(57)【特許請求の範囲】
【請求項１】
遊技機に対応して設けられる遊技用装置であって、
前記遊技機での遊技に使用可能であり遊技者が所有する所有価値数を所有価値の単価毎に特定可能であり、
前記所有価値数を管理する管理装置と通信可能であり、
いずれかの単価の所有価値数のうちの定められた単位所有価値数を前記遊技機での遊技に使用可能とするための使用可能処理を実行する使用可能処理手段と、
変換元単価の所有価値数が変換先単価の所有価値数に変換されるときの変換後の所有価値数を遊技に使用可能とするための乗入れ指示を受け付ける乗入れ指示受付手段と、
前記乗入れ指示を受け付けたときに、前記単位所有価値数に前記変換先単価を乗じた値を前記変換元単価で除した算出値が整数値とはならない場合に、該算出値が整数値となるように単位所有価値数を変更する変更処理を実行可能な変更処理手段と、を備え、
前記変更処理手段は、前記管理装置から受信した変更情報に基づいて前記変更処理を実行する
ことを特徴とする遊技用装置。
【請求項２】
遊技機に対応して設けられる遊技用装置であって、
前記遊技機での遊技に使用可能であり遊技者が所有する所有価値数を所有価値の単価毎に特定可能であり、
いずれかの単価の所有価値数のうちの定められた単位所有価値数を前記遊技機での遊技に使用可能とするための使用可能処理を実行する使用可能処理手段と、
変換元単価の所有価値数が変換先単価の所有価値数に変換されるときの変換後の所有価値数を遊技に使用可能とするための乗入れ指示を受け付ける乗入れ指示受付手段と、
前記乗入れ指示を受け付けたときに、前記単位所有価値数に前記変換先単価を乗じた値を前記変換元単価で除した算出値が整数値とはならない場合に、該算出値が整数値となるように単位所有価値数を変更する変更処理を実行可能な変更処理手段と、
前記単位所有価値数を記憶する記憶手段と、を備え、
前記記憶手段は、前記変更処理が実行された後も当該変更処理前の変更前単位所有価値数を記憶しておき、
前記変更処理手段は、解除条件が成立したときに、前記変更前単位所有価値数を新たな単位所有価値数とする
ことを特徴とする遊技用装置。
【請求項３】
請求項２の遊技用装置であって、
記録媒体を受け付ける記録媒体受付手段をさらに備え、
前記記録媒体の受付が終了したときに前記解除条件が成立する
ことを特徴とする遊技用装置。
【請求項４】
請求項２又は３の遊技用装置であって、
前記所有価値数を管理する管理装置と通信可能であり、
当該遊技用装置と前記管理装置との間で通信が成立しているか否かを確認する通信確認手段をさらに備え、
前記管理装置との通信が成立していないときに前記解除条件が成立する
ことを特徴とする遊技用装置。
【請求項５】
遊技機に対応して設けられる遊技用装置であって、
前記遊技機での遊技に使用可能であり遊技者が所有する所有価値数を所有価値の単価毎に特定可能であり、
前記所有価値数を管理する管理装置と通信可能であり、
いずれかの単価の所有価値数のうちの定められた単位所有価値数を前記遊技機での遊技に使用可能とするための使用可能処理を実行する使用可能処理手段と、
変換元単価の所有価値数が変換先単価の所有価値数に変換されるときの変換後の所有価値数を遊技に使用可能とするための乗入れ指示を受け付ける乗入れ指示受付手段と、
前記乗入れ指示を受け付けたときに、前記単位所有価値数に前記変換先単価を乗じた値を前記変換元単価で除した算出値が整数値とはならない場合に、該算出値が整数値となるように単位所有価値数を変更する変更処理を実行可能な変更処理手段と、を備え、
前記乗入れ指示受付手段は、前記乗入れ指示として前記管理装置から送信された許可情報を受信するものであり、
前記変更処理手段は、前記許可情報を受信したときに前記変更処理を実行する
ことを特徴とする遊技用装置。
【請求項６】
遊技機に対応して設けられる遊技用装置であって、
前記遊技機での遊技に使用可能であり遊技者が所有する所有価値数を所有価値の単価毎に特定可能であり、
いずれかの単価の所有価値数のうちの定められた単位所有価値数を前記遊技機での遊技に使用可能とするための使用可能処理を実行する使用可能処理手段と、
変換元単価の所有価値数が変換先単価の所有価値数に変換されるときの変換後の所有価値数を遊技に使用可能とするための乗入れ指示を受け付ける乗入れ指示受付手段と、
前記乗入れ指示を受け付けたときに、前記単位所有価値数に前記変換先単価を乗じた値を前記変換元単価で除した算出値が整数値とはならない場合に、該算出値が整数値となるように単位所有価値数を変更する変更処理を実行可能な変更処理手段と、
計時手段と、を備え、
前記変更処理手段は、
第１の計時時間であるときに前記変更処理を実行せず、
第２の計時時間であるときに前記変更処理を実行する
ことを特徴とする遊技用装置。
【請求項７】
遊技機に対応して設けられる遊技用装置であって、
前記遊技機での遊技に使用可能であり遊技者が所有する所有価値数を所有価値の単価毎に特定可能であり、
前記所有価値数を管理する管理装置と通信可能であり、
いずれかの単価の所有価値数のうちの定められた単位所有価値数を前記遊技機での遊技に使用可能とするための使用可能処理を実行する使用可能処理手段と、
変換元単価の所有価値数が変換先単価の所有価値数に変換されるときの変換後の所有価値数を遊技に使用可能とするための乗入れ指示を受け付ける乗入れ指示受付手段と、
前記乗入れ指示を受け付けたときに、前記単位所有価値数に前記変換先単価を乗じた値を前記変換元単価で除した算出値が整数値とはならない場合に、該算出値が整数値となるように単位所有価値数を変更する変更処理を実行可能な変更処理手段と、
情報表示装置及び該情報表示装置を制御する表示制御手段と、を備え、
前記表示制御手段は、前記管理装置から受信した表示用情報及び該表示用情報の表示方式を含む表示制御情報に基づいて前記情報表示装置を制御する
ことを特徴とする遊技用装置。
【発明の詳細な説明】
【技術分野】
【０００１】
本発明は、遊技機に対応して設けられる遊技用装置に関する。また、遊技用装置及び該遊技用装置と通信可能な管理装置を含む遊技用システムに関する。
【背景技術】
【０００２】
従来より、遊技者が所有する所有価値数（持玉数や貯玉数等）を、遊技機での遊技に使用可能とする使用可能処理（再プレイ）を実行するためのシステムが存在する。例えば、特許文献１には、遊技島毎に使用可能な遊技媒体の単価（貸出レート）が異なる遊技機が設置され、遊技機に対応した単価の所有価値数（４円の持玉数）によって、当該単価（４円）の遊技媒体の払出を行うことが可能であると共に、乗入れ元単価の所有価値数（１円の持玉数）を減算して遊技機に対応した単価（４円）の遊技媒体の払出を行う乗入れが可能な遊技媒体管理システムが開示されている。
【先行技術文献】
【特許文献】
【０００３】
【特許文献１】特開２０１２−５６５５号公報（段落００８８，０１１２，０１１５）
【発明の概要】
【発明が解決しようとする課題】
【０００４】
しかしながら、特許文献１に示される技術では、前述した乗入れを行うことで、端数の取扱いが問題となり、遊技場または遊技者が損失を被るという問題が発生しうる。一例として、遊技機に対応した遊技媒体の単価が１円、乗入れ元単価が４円であり、当該遊技機において１回あたりの使用可能処理（再プレイ）で１２５玉が払出されるものとする。このとき使用する単価１円の所有価値数（１２５玉）は、単価４円の遊技媒体に換算すると、１円×１２５玉／４円＝３１．２５玉となるため、乗入れ元単価が４円の場合に、該単価４円の所有価値数から減算する所有価値数（３１．２５玉）の小数点以下を切り捨てれば遊技場の損失となり、切り上げれば遊技者の損失となってしまう。
【０００５】
本発明は、このような背景のもとになされたものであり、その目的は、遊技場や遊技者が損失を被ることを防止することにある。
【課題を解決するための手段】
【０００６】
本発明は、前記課題を解決するために、次のような手段を採る。なお後述する発明を実施するための形態の説明及び図面で使用した符号を参考のために括弧書きで付記するが、本発明の構成要素は該付記したものには限定されない。
【０００７】
まず手段１に係る発明は、
遊技機（パチンコ機２）に対応して設けられる遊技用装置（カードユニット３）であって、
前記遊技機での遊技に使用可能であり遊技者が所有する所有価値数（貯玉数）を所有価値の単価毎に特定可能であり（会員管理装置１５０から受信した各エリアの貯玉数を特定可能であり）、
いずれかの単価の所有価値数のうちの定められた単位所有価値数（ＣＵ管理テーブルの基本単価に応じた基本払出玉数）を前記遊技機での遊技に使用可能とするための使用可能処理（ＣＵ３に対応する基本払出玉数を使用する貯玉再プレイ）を実行する使用可能処理手段（制御ユニット３２８）と、
変換元単価（乗入れ元エリア単価）の所有価値数（貯玉数）が変換先単価（乗入れ先エリア単価）の所有価値数（貯玉数）に変換されるときの変換後の所有価値数を遊技に使用可能とする（［乗入れ状態時払出玉数×乗入れ先エリア単価／乗入れ元エリア単価］により算出される玉数を乗入れ元エリアの貯玉数から減算可能とする）ための乗入れ指示（Ｓ３２０における貯玉再プレイの操作，Ｓ８８０における貯玉再プレイの操作、Ｓ２２００における乗入れ設定の操作，Ｓ２３１０の貯玉持玉乗入れ設定通知の受信）を受け付ける乗入れ指示受付手段（制御ユニット３２８及びタッチパネル３１４）と、
前記乗入れ指示を受け付けたときに、前記単位所有価値数（基本払出玉数）に前記変換先単価（乗入れ先エリア単価）を乗じた値を前記変換元単価（乗入れ元エリア単価）で除した算出値が整数値とはならない場合に、該算出値が整数値となるように単位所有価値数を変更する（Ｓ２３２５で、［乗入れ状態時払出玉数×乗入れ先エリア単価／乗入れ元エリア単価］が整数値となるように、払出度数を変更する）変更処理を実行可能な変更処理手段（制御ユニット３２８）と、
を備えることを特徴とする遊技用装置である。
これによれば、遊技場や遊技者が損失を被ることを防止することができる。
【０００８】
また手段２に係る発明は、
手段１の遊技用装置であって、
前記所有価値数を管理する管理装置（会員管理装置１５０）と通信可能であり、
前記変更処理手段は、前記管理装置から受信した変更情報（Ｓ２３１０の貯玉持玉乗入れ設定通知で指定される乗入状態時払出玉数）に基づいて前記変更処理を実行する
ことを特徴とする遊技用装置である。
これによれば、単位所有価値数を変更するための遊技用装置の制御を簡素化することができる。
【０００９】
手段３に係る発明は、
手段１又は２の遊技用装置であって、
前記単位所有価値数は、前記単価によらず予め定められた単位価値数（一単位数である２５）の倍数であり、
前記変更処理手段は、前記変更処理において、前記単位価値数、前記変換元単価、及び、前記変換先単価の最少公倍数の倍数を前記単位所有価値数とする（Ｓ２３１０の貯玉持玉乗入れ設定通知で指定される乗入状態時払出玉数は、乗入れ元エリア単価、乗入れ先エリア単価、及び、一単位数である２５の最少公倍数の倍数となる）
ことを特徴とする遊技用装置である。
これによれば、遊技場及び遊技者の双方が確実に損失を被らない単位所有価値数に変更することができる。
【００１０】
手段４に係る発明は、
手段１〜３から選択されるいずれかの遊技用装置であって、
前記単位所有価値数を記憶する記憶手段（基本払出玉数を記憶するＲＡＭ３２８ｂ）をさらに備え、
前記記憶手段は、前記変更処理が実行された後も当該変更処理前の変更前単位所有価値数を記憶しておき（乗入れ後もＲＡＭ３２８ｂが基本払出玉数を記憶しておき）、
前記変更処理手段は、解除条件が成立したときに、前記変更前単位所有価値数を新たな単位所有価値数とする（Ｓ３１２０で乗入れ状態が解除されたときに払出度数を基本払出玉数に応じた度数に戻す）
ことを特徴とする遊技用装置である。
これによれば、一旦変更処理が実行されると単位所有価値数が戻らないことによる不都合を回避することができる。
【００１１】
手段５に係る発明は、
手段４の遊技用装置であって、
記録媒体（会員カード）を受け付ける記録媒体受付手段（カードＲ／Ｗ３２７）をさらに備え、
前記記録媒体の受付が終了したときに前記解除条件が成立する（Ｓ５０２０のカード排出ＲＥＳを送信後に自動で乗入れ状態を解除し、払出度数を基本払出玉数に応じた度数に戻す）
ことを特徴とする遊技用装置である。
これによれば、遊技者が遊技を終了した後も単位所有価値数が戻らないことによる不都合を回避することができる。
【００１２】
手段６に係る発明は、
手段４又は５の遊技用装置であって、
前記所有価値数を管理する管理装置（会員管理装置１５０）と通信可能であり、
当該遊技用装置と前記管理装置との間で通信が成立しているか否かを確認する通信確認手段（持玉管理装置１４０及び会員管理装置１５０との通信状態がオンライン状態であるかオフライン状態であるかを確認する制御ユニット３２８）をさらに備え、
前記管理装置との通信が成立していないときに前記解除条件が成立する（Ｓ５１４０でカードユニットと持玉管理装置との通信切断を検知すると、払出度数を基本払出玉数に応じた度数に戻す）
ことを特徴とする遊技用装置である。
これによれば、管理装置との通信が成立していない状態でも単位所有価値数が戻らないことによる不都合を回避することができる。
【００１３】
手段７に係る発明は、
手段１〜６から選択されるいずれかの遊技用装置であって、
前記乗入れ指示受付手段（制御ユニット３２８及びタッチパネル３１４）は、前記乗入れ指示として許可操作（Ｓ２２００における乗入れ設定の操作）を受け付けるものであり、
前記変更処理手段は、前記許可操作を受け付けたときに前記変更処理を実行する（Ｓ２３２５で払出度数を変更する）
ことを特徴とする遊技用装置である。
これによれば、遊技者等の意思に応じて単位所有価値数を変更することができる。
【００１４】
手段８に係る発明は、
手段１〜７から選択されるいずれかの遊技用装置であって、
前記所有価値数を管理する管理装置（エリア毎の貯玉数を管理する貯玉管理テーブルを記憶する会員管理装置１５０）と通信可能であり、
前記乗入れ指示受付手段（制御ユニット３２８）は、前記乗入れ指示として前記管理装置から送信された許可情報（Ｓ２３１０の貯玉持玉乗入れ設定通知）を受信するものであり、
前記変更処理手段は、前記許可情報を受信したときに前記変更処理を実行する（Ｓ２３２５で払出度数を変更する）
ことを特徴とする遊技用装置である。
これによれば、管理装置で管理されている情報に基づいて単位所有価値数を変更可能であり、不正を防止することができる。
【００１５】
手段９に係る発明は、
手段１〜８から選択されるいずれかの遊技用装置であって、
計時手段（ＲＴＣ３２８ｄ）をさらに備え、
前記変更処理手段は、
第１の計時時間であるときに前記変更処理を実行せず（乗入れ許可時間帯テーブルで設定された時間帯以外の時間帯であれば乗入れを許可せず）、
第２の計時時間であるときに前記変更処理を実行する（乗入れ許可時間帯テーブルで設定された時間帯であれば乗入れを許可する）
ことを特徴とする遊技用装置である。
これによれば、計時時間に応じて単位所有価値数を変更可能であり、遊技場の営業形態を多様化することができる。
【００１６】
手段１０に係る発明は、
手段１〜９から選択されるいずれかの遊技用装置であって、
前記所有価値数を管理する管理装置（エリア毎の貯玉数を管理する貯玉管理テーブルを記憶する会員管理装置１５０）と通信可能であり、
情報表示装置（液晶表示器３１３）及び該情報表示装置を制御する表示制御手段（表示制御基板３２９）をさらに備え、
前記表示制御手段は、前記管理装置から受信した表示用情報及び該表示用情報の表示方式を含む表示制御情報（Ｓ２１２０で受信するブロック毎の表示情報を指定する貯玉持玉乗入れ情報等）に基づいて前記情報表示装置を制御する
ことを特徴とする遊技用装置である。
これによれば、遊技用装置における表示制御を簡素化することができる。
【００１７】
手段１１に係る発明は、
遊技機（パチンコ機２）に対応して設けられる遊技用装置（カードユニット３）と、
前記遊技用装置と通信可能であり、前記遊技機での遊技に使用可能であり遊技者が所有する所有価値数を所有価値の単価毎に管理する管理装置（各エリアの貯玉数を管理する貯玉管理テーブルを記憶する会員管理装置１５０）と、を含む遊技用システム（１）であって、
前記管理装置が管理するいずれかの単価の所有価値数のうちの定められた単位所有価値数（ＣＵ管理テーブルの基本単価に応じた基本払出玉数）を前記遊技機での遊技に使用可能とするための使用可能処理（ＣＵ３に対応する基本払出玉数を使用する貯玉再プレイ）を実行する使用可能処理手段（制御ユニット３２８）と、
前記管理装置が管理する変換元単価（乗入元エリア単価）の所有価値数（貯玉数）を変換先単価（乗入先エリア単価）の所有価値数（貯玉数）に変換する変換処理（乗入れ）を実行する変換処理手段（［（Ｓ２４５０で受信した貯玉更新要求３で指定される払出玉数）×乗入れ先エリア単価／乗入れ元エリア単価］により算出される玉数を、乗入れ元エリアの貯玉数から減算するＣＰＵ１５２）と、
変換後の所有価値数を遊技に使用可能とするための乗入れ指示（Ｓ２２００における乗入れ設定の操作，Ｓ２３１０の貯玉持玉乗入れ設定通知の受信）を受け付ける乗入れ指示受付手段（制御ユニット３２８及びタッチパネル３１４）と、
前記乗入れ指示を受け付けたときに、前記単位所有価値数（基本払出玉数）に前記変換先単価（乗入れ先エリア単価）を乗じた値を前記変換元単価（乗入れ元エリア単価）で除した算出値が整数値とはならない場合に、該算出値が整数値となるように単位所有価値数を変更する（Ｓ２３２５で、［乗入れ状態時払出玉数×乗入れ先エリア単価／乗入れ元エリア単価］が整数値となるように、払出度数を変更する）変更処理を実行可能な変更処理手段（制御ユニット３２８）と、
を備えることを特徴とする遊技用システムである。
これによれば、遊技場や遊技者が損失を被ることを防止することができる。
【００１８】
また、後述する発明を実施するための形態には、以下に示す手段１２〜１７に係る発明が含まれる。
【００１９】
手段１２に係る発明は、
遊技機（パチンコ機１）に対応して設けられ、記録媒体（会員カード）を受け付ける記録媒体受付手段（カードＲ／Ｗ３２７）を備える遊技用装置（カードユニット３）であって、
前記遊技機での遊技に使用可能であり遊技者が所有する所有価値を貸与レート毎に特定可能であり（会員管理装置１５０から受信した各エリアの貯玉数を特定可能であり）、
変換元貸与レート（乗入れ元エリア単価）の所有価値（貯玉）が変換先貸与レート（乗入れ先エリア単価）の所有価値（貯玉）に変換されるときの変換後の所有価値を遊技に使用可能とする（［乗入れ状態時払出玉数×乗入れ先エリア単価／乗入れ元エリア単価］により算出される玉数を乗入れ元エリアの貯玉数から減算可能とする）ための乗入れ指示（Ｓ２２００における乗入れ設定の操作，Ｓ２３１０の貯玉持玉乗入れ設定通知の受信）を受け付ける乗入れ指示受付手段（制御ユニット３２８及びタッチパネル３１４）と、
前記記録媒体受付手段により受け付けた記録媒体を対象として前記乗入れ指示を受け付けた旨を他の遊技用装置においても特定可能とするための特定可能化処理を実行する特定可能化処理手段（Ｓ２２１０において、会員番号、カードＩＤ、乗入れ先指定エリア種別、及び乗入れ元指定エリア種別を含む貯玉持玉乗入れ意思確認要求を送信する制御ユニット３２８）と、をさらに備え、
前記記録媒体受付手段により記録媒体を受け付けたときに、当該記録媒体を対象として前記特定可能化処理が実行されていた場合には、前記乗入れ指示によらず前記変換後の所有価値を遊技に使用可能とする（他のカードユニット３で行われた初回乗入れ時にＳ２２１０で送信した貯玉持玉乗入れ意思確認要求に応じてＳ２３１０で受信した貯玉持玉乗入れ設定通知（乗入れ状態時払出玉数、乗入れ元エリア種別、及び乗入れ元エリア単価を含む）を、Ｓ４０９０でも受信する）
ことを特徴とする遊技用装置である。
これによれば、遊技者の利便性を向上させることができる。
【００２０】
手段１３に係る発明は、
手段１２の遊技用装置であって、
前記記録媒体受付手段により記録媒体を受け付けたときに、当該記録媒体を対象とした前記特定可能化処理が実行されていた場合には、該特定可能化処理から所定期間内は前記乗入れ指示によらず前記変換後の所有価値を遊技に使用可能とする（会員管理装置１５０において記憶されていたＳ２２４０の貯玉持玉乗入れ意思確認要求が、営業時間終了後に消去されることにより、当日のみ次回乗入れ時の乗入れ設定の操作が不要となる）
ことを特徴とする遊技用装置である。
これによれば、適切な期間内において遊技者の利便性を向上させることができる。
【００２１】
手段１４に係る発明は、
手段１２又は１３の遊技用装置であって、
前記所有価値を管理する管理装置（各エリアの貯玉数を管理する貯玉管理テーブルを記憶する会員管理装置１５０）と通信可能であり、
当該遊技用装置と前記管理装置との間で通信が成立しているか否かを確認する通信確認手段（オンライン確認要求やオフライン情報を受信する制御ユニット３２８）をさらに備え、
前記管理装置との通信が成立しているときに前記変換後の所有価値を遊技に使用可能とする（オンライン確認要求を受信しておりオフライン情報を受信していないときに乗入れを実行可能である）
ことを特徴とする遊技用装置である。
これによれば、所有価値を管理可能な状態で遊技者の利便性を向上させることができる。
【００２２】
手段１５に係る発明は、
手段１２〜１４から選択されるいずれかの遊技用装置であって、
前記乗入れ指示受付手段は、前記変換元貸与レート毎（乗入れ元エリア単価毎）に前記乗入れ指示を受付可能である（Ｓ２２００で乗入れ口座を選択可能である）
ことを特徴とする遊技用装置である。
これによれば、いずれの貸与レートの所有価値を変換するか遊技者が選択可能となる。
【００２３】
手段１６に係る発明は、
手段１２〜１５から選択されるいずれかの遊技用装置であって、
所定条件が成立したときに前記変換後の所有価値を遊技に使用可能とする（Ｓ２０５０で遊技機に対応した単価の貯玉数及び持玉数がいずれも０である場合にＳ２０７０で乗入れの意思確認を実施可能である）
ことを特徴とする遊技用装置である。
これによれば、変換後の所有価値を使用可能とするための条件を設けることで処理負担を軽減することができる。
【００２４】
手段１７に係る発明は、
遊技機（パチンコ機１）に対応して設けられ、記録媒体（会員カード）を受け付ける記録媒体受付手段（カードＲ／Ｗ３２７）を備える遊技用装置（カードユニット３）と、
前記遊技用装置と通信可能であり、前記遊技機での遊技に使用可能であり遊技者が所有する所有価値を貸与レート毎に管理する管理装置（各エリアの貯玉数を管理する貯玉管理テーブルを記憶する会員管理装置１５０）と、を含む遊技用システム（１）であって、
前記管理装置が管理する変換元貸与レート（乗入れ元エリア単価）の所有価値（貯玉）を変換先貸与レート（乗入れ先エリア単価）の所有価値（貯玉）に変換する変換処理（乗入れ）を実行する変換処理手段（［（Ｓ２４５０で受信した貯玉更新要求３で指定される払出玉数）×乗入れ先エリア単価／乗入れ元エリア単価］により算出される玉数を、乗入れ元エリアの貯玉数から減算するＣＰＵ１５２）と、
変換後の所有価値を遊技に使用可能とするための乗入れ指示（Ｓ２２００における乗入れ設定の操作，Ｓ２３１０の貯玉持玉乗入れ設定通知の受信）を受け付ける乗入れ指示受付手段（制御ユニット３２８及びタッチパネル３１４）と、
前記記録媒体受付手段により受け付けた記録媒体を対象として前記乗入れ指示を受け付けた旨を他の遊技用装置においても特定可能とするための特定可能化処理を実行する特定可能化処理手段（Ｓ２２１０において、会員番号、カードＩＤ、乗入れ先指定エリア種別、及び乗入れ元指定エリア種別を含む貯玉持玉乗入れ意思確認要求を送信する制御ユニット３２８）と、を備え、
前記記録媒体受付手段により記録媒体を受け付けたときに、当該記録媒体を対象として前記特定可能化処理が実行されていた場合には、前記乗入れ指示によらず前記変換後の所有価値を遊技に使用可能とする（他のカードユニット３で行われた初回乗入れ時にＳ２２１０で送信した貯玉持玉乗入れ意思確認要求に応じてＳ２３１０で受信した貯玉持玉乗入れ設定通知（乗入れ状態時払出玉数、乗入れ元エリア種別、及び乗入れ元エリア単価を含む）を、Ｓ４０９０でも受信する）
ことを特徴とする遊技用システムである。
これによれば、遊技者の利便性を向上させることができる。
【００２５】
また、後述する発明を実施するための形態には、以下に示す手段１８及び１９に係る発明が含まれる。
【００２６】
手段１８に係る発明は、
遊技機（パチンコ機２）に対応して設けられる遊技用装置（カードユニット３）であって、
前記遊技機での遊技に使用可能であり遊技者が所有する所有価値を貸与レート毎に特定可能であり（会員管理装置１５０から受信した各エリアの貯玉数を特定可能であり）、
いずれかの貸与レートの所有価値（対応して設けられる遊技機に対応した基本単価の貯玉）を前記遊技機での遊技に使用可能とするための使用可能処理（貯玉再プレイ）を実行する使用可能処理手段（制御ユニット３２８）を備え、
特定の貸与レートの所有価値を対象とした前記使用可能処理は実行せず（単価が４．００円、２．００円、及び１．００円の貯玉については、乗入れを行うことなく貯玉再プレイに使用することはせず）、
該特定の貸与レートの所有価値が他の貸与レートの所有価値に変換されるときの当該他の貸与レートの所有価値を前記遊技機での遊技に使用可能とする（乗入れ元エリア単価４．００円から乗入れ先エリア単価４．３２円への乗入れ、乗入れ元エリア単価２．００円から乗入れ先エリア単価２．１６円への乗入れ、乗入れ元エリア単価１．００円から乗入れ先エリア単価１．０８円への乗入れが行われるときには、乗入れ先エリア単価の遊技媒体の払出が可能となる）
ことを特徴とする遊技用装置である。
これによれば、特定の貸与レートの所有価値を有する遊技者に損失を与えないようにすることができる。
【００２７】
手段１９に係る発明は、
遊技機（パチンコ機２）に対応して設けられる遊技用装置（カードユニット３）と、
前記遊技用装置と通信可能であり、前記遊技機での遊技に使用可能であり遊技者が所有する所有価値を貸与レート毎に管理する管理装置（各エリアの貯玉数を管理する貯玉管理テーブルを記憶する会員管理装置１５０）と、を含む遊技用システム（１）であって、
前記管理装置が管理するいずれかの貸与レートの所有価値（対応して設けられる遊技機に対応した基本単価の貯玉）を前記遊技機での遊技に使用可能とするための使用可能処理（貯玉再プレイ）を実行する使用可能処理手段（制御ユニット３２８）を備え、
特定の貸与レートの所有価値を対象とした前記使用可能処理は実行せず（単価が４．００円、２．００円、及び１．００円の貯玉については、乗入れを行うことなく貯玉再プレイに使用することはせず）、
該特定の貸与レートの所有価値を他の貸与レートの所有価値に変換する前記変換処理が実行される場合には、当該他の貸与レートの所有価値を前記遊技機での遊技に使用可能とする（乗入れ元エリア単価４．００円から乗入れ先エリア単価４．３２円への乗入れ、乗入れ元エリア単価２．００円から乗入れ先エリア単価２．１６円への乗入れ、乗入れ元エリア単価１．００円から乗入れ先エリア単価１．０８円への乗入れが行われるときには、乗入れ先エリア単価の遊技媒体の払出が可能となる）
ことを特徴とする遊技用システムである。
これによれば、特定の貸与レートの所有価値を有する遊技者に損失を与えないようにすることができる。
【図面の簡単な説明】
【００２８】
【図１】遊技用システムの全体像を示すシステム構成図である。
【図２】遊技用システムに用いたパチンコ機、カードユニットを示す正面図である。
【図３】カードユニットの構成を示すブロック図である。
【図４】残額管理装置の構成を示すブロック図である。
【図５】残額管理テーブルの一例を示す図である。
【図６】持玉管理装置の構成を示すブロック図である。
【図７】持玉管理テーブルの一例を示す図である。
【図８】ＣＵ管理テーブルの一例を示す図である。
【図９】会員管理装置の構成を示すブロック図である。
【図１０】貯玉管理テーブルの一例を示す図である。
【図１１】（ａ）乗入許可テーブル、及び（ｂ）乗入許可時間帯テーブルの一例を示す図である。
【図１２】乗入許可テーブルの他の例を示す図である。
【図１３】ＰＯＳで乗入れ登録を行う場合の乗入れフローの概略図である。
【図１４】ＰＯＳで乗入れ登録後の貯玉再プレイのフローの概略図である。
【図１５】ＣＵで乗入れ登録を行う乗入れフローの概略図である。
【図１６】ＣＵで乗入れ登録後に貯玉再プレイする場合の処理の流れを示す概略図である。
【図１７】起動時（初期立ち上げ時）の機器接続シーケンスを示す図である。
【図１８】乗入れ開始シーケンスにおいて会員カード挿入処理をする場合の動作の流れを示す図である。
【図１９】乗入れ開始シーケンスにおいて乗入れ総玉数確認処理をする場合の動作の流れを示す図である。
【図２０】乗入れ開始シーケンスにおいて乗入れ意思表示処理をする場合の動作の流れを示す図である。
【図２１】乗入れ開始シーケンスにおいて乗入れ開始処理をする場合の動作の流れを示す図である。
【図２２】乗入れ開始シーケンスにおいて貯玉再プレイ処理をする場合の動作の流れを示す図である。
【図２３】乗入れ解除シーケンスにおいて乗入れ解除表示処理をする場合の動作の流れを示す図である。
【図２４】乗入れ解除シーケンスにおいて乗入れ解除通知処理をする場合の動作の流れを示す図である。
【図２５】乗入れ開始通知タイミングにおいて乗入れ意思確認済みの会員カード挿入処理をする場合の動作の流れを示す図である。
【図２６】乗入れ開始通知タイミングにおいて乗入れ意思確認済みの会員カード挿入処理をする場合の動作の流れを示す図（続き）である。
【図２７】乗入れ開始通知タイミングにおいて当該口座の貯玉残数が無くなった時の処理をする場合の動作の流れを示す図である。
【図２８】乗入れ開始通知タイミングにおいて当該口座の貯玉残数が無くなった時の処理をする場合の動作の流れを示す図（続き）である。
【図２９】乗入れ解除通知タイミングにおいて乗入れ意思確認済みカードの排出処理をする場合の動作の流れを示す図である。
【図３０】乗入れ解除通知タイミングにおいて会員管理装置−持玉管理装置の通信切断時の処理をする場合の動作の流れを示す図である。
【図３１】乗入れ解除通知タイミングにおいて持玉管理装置−ＣＵの通信切断の処理をする場合の動作の流れを示す図である。
【図３２】（ａ）は、会員カード挿入後のＣＵメイン画面であり、（ｂ）は、ＣＵメニュー画面であり、（ｃ）は、ＣＵ乗入れ処理中画面であり、（ｄ）は、ＣＵ乗入れ数確認画面である。
【図３３】（ａ）は、ＣＵ乗入れ元選択画面であり、（ｂ）は、ＣＵ乗入れ実行確認画面であり、（ｃ）は、ＣＵ乗入れ処理中の文字案内画面であり、（ｄ）は、ＣＵ乗入れ登録完了の文字案内画面である。
【図３４】（ａ）は、ＣＵメイン画面（乗入れ前）であり、（ｂ）は、ＣＵ乗入れ中画面であり、（ｃ）は、ＣＵメイン画面（乗入れ後）である。
【図３５】（ａ）は、ＣＵメイン画面（乗入れ解除前）であり、（ｂ）は、ＣＵメニュー画面であり、（ｃ）は、ＣＵ乗入れ元選択画面である。
【図３６】（ａ）は、ＣＵ乗入れ中画面であり、（ｂ）は、ＣＵ乗入れ処理中の文字案内画面であり、（ｃ）は、ＣＵメイン画面（乗入れ解除後）である。
【図３７】（ａ）は、ＣＵメイン画面であり、（ｂ）は、ＣＵ乗入れ中画面である。
【図３８】（ａ）は、ＣＵメイン画面であり、（ｂ）は、ＣＵ乗入れ処理中の文字案内画面であり、（ｃ）は、ＣＵ乗入れ中画面である。
【図３９】（ａ）は、ＣＵ乗入れ中画面であり、（ｂ）は、カード排出後のＣＵ画面である。
【図４０】持玉管理装置状態要求及び持玉管理装置状態応答のコマンド内容を示す図である。
【図４１】個別持玉転送応答及び個別持玉転送通知のコマンド内容を示す図である。
【図４２】ＣＵ設定変更通知２及びＣＵ設定変更応答２のコマンド内容を示す図である。
【図４３】貯玉持玉乗入れ情報のコマンド内容を示す図である。
【図４４】貯玉持玉乗入れ情報とＣＵ画面表示の対応図である。
【図４５】貯玉持玉乗入れ確認通知、貯玉持玉乗入れ情報ＲＥＳ及び貯玉持玉乗入れ意思登録結果のコマンド内容を示す図である。
【図４６】貯玉持玉乗入れ意思登録要求のコマンド内容を示す図である。
【図４７】貯玉更新応答３及び貯玉更新要求３のコマンド内容を示す図である。
【図４８】貯玉持玉乗入れ情報のコマンド内容を示す図である。
【図４９】貯玉持玉乗入れ意思確認結果及び貯玉持玉乗入れ設定通知のコマンド内容を示す図である。
【図５０】貯玉持玉乗入れ状態のＣＵ画面表示の例を示す図である。
【図５１】運用開始通知及び貯玉更新応答のコマンド内容を示す図である。
【図５２】貯玉持玉乗入れ確認通知及び貯玉持玉乗入れ情報ＲＥＳのコマンド内容を示す図である。
【図５３】貯玉持玉乗入れ意思確認要求のコマンド内容を示す図である。
【図５４】貯玉持玉乗入れ設定応答及び貯玉更新要求のコマンド内容を示す図である。
【発明を実施するための形態】
【００２９】
以下、図面を参照して本発明に係る遊技用装置および遊技用システムを実施するための形態を説明する。
【００３０】
［遊技用システムの構成］
まず、図１は、本発明の実施の形態に係る遊技用システム１の全体像を示すシステム構成図である。遊技用システム１は、遊技場内に複数配置される各遊技島（図示略）に並設される遊技機であるカードリーダ式パチンコ機（以下パチンコ機と略称する）２と、パチンコ機２の所定側の側方位置に該パチンコ機２に対して１対１に対応設置され、会員登録をしていない一般の遊技者に対して発行される遊技用記録媒体であるプリペイド機能を備えるビジターカードや、該遊技場に会員登録した会員遊技者に対して発行される遊技用記録媒体である会員カードを受付けて、遊技機における遊技に使用される遊技媒体であるパチンコ玉を貸し出すための処理や、対応するパチンコ機２における遊技にて獲得されたパチンコ玉を計数するとともに、該計数済みのパチンコ玉数の範囲内のパチンコ玉の払出（返却）を行うカードユニット３と、カードユニット３にて使用されるビジターカードや会員カードのプリペイド残額の管理等を行う残額管理装置１００と、各カードユニット３において計数された計数済玉数を持玉数として管理する持玉数管理を行う持玉管理装置１４０や、会員カードを所持する会員遊技者が再度の遊技に使用可能に所有する所有価値としての貯玉数の管理を行う会員管理装置１５０と、遊技場内の景品カウンタに設けられて景品交換を行うための景品交換用ＰＯＳ端末１７０と、から主に構成されている。
【００３１】
そして、これら本実施の形態の遊技用システム１を構成する各装置は、図１に示すように、ハブ（ＨＵＢ）７並びに通信ケーブル８を介して双方向のデータ通信が可能に接続されていて、各接続機器にはそれぞれローカルＩＰアドレスが付与されてローカルエリアネットワーク（ＬＡＮ）が形成されており、該ローカルエリアネットワーク（ＬＡＮ）に接続されているこれら各装置には、当該装置を個々に識別可能な装置ＩＤが付与されている。なお、カードユニット３は遊技機と１対１に対応して設けられており、カードユニット３を識別することによって対応する遊技機も識別可能となるため、以下の説明において、カードユニット３の装置ＩＤを「台番号」と称する場合がある。
【００３２】
この実施の形態において、各カードユニット３と会員管理装置１５０とは、持玉管理装置１４０を介して通信を行うものとする。即ち、持玉管理装置１４０は、カードユニット３と会員管理装置１５０との間の通信を中継するものである。また、持玉管理装置１４０には、通信可能に接続された各カードユニット３の装置ＩＤ（台番号）とローカルＩＰアドレスとが対応付けられた不図示のＩＰアドレステーブルが記憶されている。これにより、カードユニット３のローカルＩＰアドレスから当該カードユニット３の装置ＩＤを特定可能であり、カードユニット３の装置ＩＤから当該カードユニット３のローカルＩＰアドレスを特定可能である。
【００３３】
尚、本実施の形態の残額管理装置１００は、上述したように、各会員カード並びに各ビジターカードに残存するプリペイド残額（遊技用価値）を管理しているとともに、通信回線１１を介して、これら会員カードやビジターカードを管理する遊技場外のカード管理会社に設置された残額管理サーバ１２と双方向のデータ通信を実施できるように接続されていて、これら残額管理サーバ１２に対して残額管理装置１００から、各種の管理情報が送信されることにより、カード管理会社は、該残額管理サーバ１２にて各遊技場の会員カード及びビジターカードによる売上げ等を把握できるようになっている。
【００３４】
また、本実施の形態の会員管理装置１５０は、上述したように、各会員カードから読み取られる情報（カードＩＤ及び会員番号）に関連付けられた貯玉数（所有価値）を管理しているとともに、通信回線１１を介して、各遊技場に対応した口座に預け入れられている貯玉数を管理する遊技場外の貯玉管理機関に設置された貯玉管理サーバ１５と双方向のデータ通信を実施できるように接続されていて、これら貯玉管理サーバ１５に対して会員管理装置１５０から、各種の管理情報が送信されることにより、貯玉管理機関は、該貯玉管理サーバ１５にて各遊技場に対応した口座に預け入れられている貯玉数等を把握できるようになっている。
【００３５】
また、カードユニット３とパチンコ機２とは、図３に示すように、払出単位として予め定められた一単位数（本実施の形態では２５）のパチンコ玉の払出に伴う各種の信号を送受可能に接続されていて、具体的には、後述するＰＲＤＹ信号線、ＢＲＤＹ信号線、ＢＲＱ信号線、及びＥＸＳ信号線が接続されている。
【００３６】
（パチンコ機）
はじめに、本実施の形態に用いた遊技機であるパチンコ機２について、以下に簡単に説明する。パチンコ機２は、図２に示すように、その前面に遊技領域２６、上皿２３、下皿２４及び発射ハンドル２５等を備えると共に、上皿に払出ボタン２１及び返却ボタン２２を備え、図３に示すように、その内部に遊技制御基板２７、払出制御基板２８、及び玉払出装置２９等を備えており、これらの各構成要素は図３に示すように接続されている。
【００３７】
遊技制御基板２７は、遊技領域２６に設けられた各入賞口へのパチンコ玉の入賞を検出してパチンコ機２における遊技（例えば、特別図柄の可変表示や特別可変入賞装置の開放制御等）及び遊技状態（例えば、特別図柄の停止表示結果が特定表示結果となる確率が高められる確変状態や特別図柄の可変表示時間が短縮される時短状態等）を制御するものである。
【００３８】
払出制御基板２８は、カードユニット３の制御ユニット３２８と通信可能に接続されており、パチンコ機２とカードユニット３との間における通信を司るものである。プリペイド残額、持玉数、及び貯玉数のいずれかを使用して、予め定められた一単位数（２５）の倍数に相当する個数のパチンコ玉を払い出すときに、払出制御基板２８と制御ユニット３２８との間で信号の送受信が行われる。
【００３９】
また払出制御基板２８は、玉払出装置２９と接続され、該玉払出装置２９を制御するものである。玉払出装置２９は、払出制御基板２８と制御ユニット３２８との通信に基づいて予め定められた一単位数（２５）の整数倍のパチンコ玉を払い出すと共に、遊技領域２７に設けられた入賞口へのパチンコ玉の入賞に基づいて遊技者に付与されるパチンコ玉（いわゆる賞球）を払い出すものである。
【００４０】
払出ボタン２１は、対応するカードユニット３のカードリーダライタ３２７（以下カードＲ／Ｗ３２７と略記する）にて受け付けたビジターカード又は会員カードに記憶されている（残額管理装置１００で管理されている）プリペイド残額を使用した払出処理を行うための払出操作を受け付けるボタンである。この払出ボタン２１が操作されたことを払出ボタンスイッチ２１ａが検出すると、制御ユニット３２８との間に設けられている払出入力信号線を介して制御ユニット３２８に払出入力信号が入力され、制御ユニット３２８が払出ボタン２１が操作された旨を認識して、プリペイド残額を使用して一単位数（２５）の整数倍のパチンコ玉を払い出すための払出制御基板２８との通信を実行する。
【００４１】
返却ボタン２２は、対応するカードユニット３のカードＲ／Ｗ３２７にて受け付けたビジターカード又は会員カードを返却するための返却操作を受け付けるボタンである。この返却ボタン２２が操作されたことを返却ボタンスイッチ２２ａが検出すると、制御ユニット３２８との間に設けられている返却入力信号線を介して制御ユニット３２８に返却入力信号が入力され、制御ユニット３２８が返却ボタン２２が操作された旨を認識して、カードＲ／Ｗ３２７にて受付中のビジターカード又は会員カードを返却する。
【００４２】
このパチンコ機２では、発射ハンドル２５が操作されると、上皿２３から発射位置に供給されたパチンコ玉が遊技領域２６に打ち込まれて遊技が行われる。パチンコ玉が遊技領域２６に設けられた各入賞口に入賞した場合には、各入賞口に応じた数の賞球が玉払出装置２９により払い出される。パチンコ玉が始動入賞口に入賞すると、可変表示装置において特別図柄の可変表示（変動表示）が開始され、その停止表示結果が予め定められた特定表示結果となった場合には、特定遊技状態（大当り遊技状態）が発生して特別可変入賞装置が開放制御されることにより、大入賞口へのパチンコ玉の入賞が可能となる。
【００４３】
遊技制御基板２７に搭載されている遊技制御用マイクロコンピュータ（図示せず）は、入賞検出に応じて、払出制御基板２８に搭載されている払出制御用マイクロコンピュータ（図示せず）に、賞球個数を示す払出制御コマンドとしての賞球個数コマンド（賞球個数信号）を出力する。払出制御用マイクロコンピュータは、賞球個数コマンドが示す賞球個数に応じて駆動信号を供給することで、玉払出装置２９を駆動する。玉払出装置２９には、賞球を払出す払出モータが備えられている。払出制御用マイクロコンピュータにより払出モータが回転駆動制御されることにより、払出制御用マイクロコンピュータにより指定された個数の賞球が玉払出装置２９から払出される。
【００４４】
払出制御基板２８の制御により入賞口（始動入賞口，一般入賞口，又は大入賞口等）に応じた数の賞球が玉払出装置２９から払い出されると、該払い出された賞球は、まず上皿２３に導かれ、該上皿が満タンになると下皿２４に導かれる。そして下皿２４に導かれた賞球は、下皿２４から落下して計数・端数払出ユニット３４０に投入される。
【００４５】
（記録媒体）
次に、本実施の形態にて使用されるビジターカードと会員カードとについて、簡潔に説明すると、本実施の形態に使用されるビジターカード並びに会員カードには、種々のデータを記憶するための不揮発性メモリと、これら記録情報の書き換えや読み出しを実施するとともに、外部のリーダライタ装置との非接触通信を実施する制御部とを有するＩＣチップが搭載されたＩＣカードを使用している。これらビジターカード並びに会員カードには、個々のカードを識別可能なカードＩＤ、具体的には、ビジターカードにはＶＣで始まるカードＩＤが、会員カードには、ＫＣで始まるカードＩＤが予め書き換え不能に記憶されていて、その種別がカードＩＤから識別可能とされているとともに、プリペイド残額を特定可能なプリペイド残額データ等の各種データが記憶されている。
【００４６】
尚、会員カードは、遊技場に会員登録を実施した会員遊技者に対して発行されるものであり、該会員に対して付与される会員番号が書き換え不能に記憶されている。また、該会員カードを使用して会員遊技者は、後述するように、一度獲得して計数したパチンコ玉を、当日再度遊技に使用できる持玉として、あるいはその翌日以降においても再度遊技に使用できる貯玉として、遊技場に預けることができるようになっているが、これら会員カードには、該持玉のデータである持玉数および貯玉のデータである貯玉数は直接記録されておらず、これら持玉数および貯玉数は、後述するように、持玉管理装置１４０および会員管理装置１５０において、カードＩＤおよび会員番号に対応付けて記憶されることで、該カードＩＤや会員番号から特定されるようになっている。
【００４７】
また、ビジターカードは、カードユニット３において発行される。尚、ビジターカードには、該ビジターカードを所有する遊技者が計数した計数済玉数に基づく持玉数と該持玉数が計数された日付とが記憶されており、該持玉数をその当日においてのみ、遊技場内の各カードユニット３において使用できるようになっている。
【００４８】
尚、本実施の形態では、上述したように、ビジターカードのみに持玉数を書き込み記録するようにしているが、本発明はこれに限定されるものではなく、これら持玉数や貯玉数のデータを、ビジターカードと同じく、会員カードに記録するようにしても良い。また、会員カードと同様にビジターカードに持玉数を書き込み記録しないようにしても良い。また、プリペイド残額は、会員カード及びビジターカードに記録させることなく、残額管理装置１００がカードＩＤに対応付けて記憶し、カードに対応するプリペイド残額を当該カードのカードＩＤから検索できるように管理してもよい。
【００４９】
（カードユニット）
次に、本実施の形態のカードユニット３について、図２及び図３に基づいて以下に説明すると、本実施の形態のカードユニット３の前面には、図２及び図３に示すように、フルカラーＬＥＤ３０１ａにより構成されて複数の色に点灯することでカードユニット３の状態等を報知可能とされた多機能ランプ３０１等の各種表示部、紙幣を挿入するための紙幣挿入口３０２、装置前面より装置前方側に突出形成された突出部３０５、計数済玉数（持玉数及び貯玉数）を払い出すための計数払出操作を受付けるための再プレイボタン３１９、会員カードやビジターカードを挿入するためのカード挿入口３０９が設けられている。
【００５０】
カードユニット３の前面に設けられたカード挿入口３０９は、該カード挿入口３０９に対応する位置に内蔵されるカードＲ／Ｗ３２７（図３参照）のカードスロット（図示略）に連設されており、このカード挿入口３０９を介してビジターカードや会員カードをカードスロットに挿入可能とされている。
【００５１】
カードユニット３の前面には、前方に突出する態様にて突出部３０５が設けられている。該突出部３０５において、遊技者と対向する面には、図２に示すように、各種情報を表示可能な表示部３１２と、会員カードを受付けた場合において、該会員カードに記録されたカードＩＤや会員番号により特定される貯玉数を用いた貯玉再プレイを実施するための再プレイボタン３１９が設けられている。
【００５２】
また、本実施の形態では、ビジターカードを受け付けた場合において、該ビジターカードに記録されている持玉数を遊技に使用する場合や、会員カードを受け付けた場合において、該会員カードのカードＩＤや会員番号により特定される持玉数を遊技に使用する場合にも、再プレイボタン３１９を操作するものとする。表示部３１２の表面には、表示部３１２に表示された各表示項目を指触により入力可能とするための透明タッチパネル３１４が設けられている。
【００５３】
また、該突出部３０５内部には、表示部３１２を成す液晶表示器３１３や再プレイボタン３１９に対応する再プレイスイッチ３１９ａが設けられており、これらが、図３に示すように、表示制御基板３２９に接続されることで、液晶表示器３１３の表示制御や、透明タッチパネル３１４による入力位置検出等が、該表示制御基板３２９によって実施される。
【００５４】
カードユニット３内の上部位置には、紙幣挿入口３０２に連設され、該紙幣挿入口３０２に投入された紙幣を取り込んでその真贋や紙幣種別の識別を実施し、その識別結果を装置略中央部に設けられている後述する制御ユニット３２８に出力する紙幣識別ユニット３２１が設けられており、該紙幣識別ユニット３２１にて各種紙幣（１万円、５千円、２千円、千円の各紙幣）の受付が可能とされている。
【００５５】
また、カードユニット３の略中央部位置には、該カードユニット３を構成する各部と接続しやすいように該カードユニット３の動作を制御する制御ユニット３２８が設けられており、後述するように、該制御ユニット３２８によって該カードユニット３の各種の動作が制御されている。
【００５６】
また、カードユニット３の前面下方端部位置には、パチンコ機２の下皿２４の下方位置に配置されることで、該下皿２４から排出されるパチンコ玉を計数するとともに、払出単位として予め定められた一単位数（本実施の形態では２５）未満の端数のパチンコ玉の払出を行う箱状の計数・端数払出ユニット３４０から排出されるパチンコ玉をカードユニット３内に流入させるための連結樋３４４が装着される。該連結樋３４４を流下して図示しない回収流路ボックスに流入してきたパチンコ玉が、回収流路ボックスをカードユニット３の前方側から後方（島内部）側に流下していき、カードユニット３の後方下端から遊技島内の図示しない回収樋に排出される。
【００５７】
図３は、本実施の形態のカードユニット３の構成を示すブロック図である。カードユニット３は、上述したように、主には、紙幣識別ユニット３２１と、カードＲ／Ｗ３２７と、表示制御基板３２９と、計数・端数払出ユニット３４０と、カードユニット３の各部の制御を制御プログラムにより実施して該カードユニット３の各種の機能を提供する制御ユニット３２８とから構成されており、紙幣識別ユニット３２１、カードＲ／Ｗ３２７、計数・端数払出ユニット３４０および表示制御基板３２９は制御ユニット３２８と接続されて各種データの送受が可能とされている。
【００５８】
カードＲ／Ｗ３２７は、カード挿入口３０９から挿入される会員カード及びビジターカードに記録されているカードＩＤ、会員番号（会員カードのみ）、持玉数及び日付（ビジターカードのみ）、プリペイド残額等の記録情報の読み出し、並びに、持玉数及び日付（ビジターカードのみ）、プリペイド残額等の書き込みを行う。カードユニット３の内方側終端部位置には、ビジターカードを最大１０枚まで貯留できる不図示のカード貯留部が設けられており、新規のビジターカードを発行可能とされている。
【００５９】
ビジターカードから読み取られたカードＩＤ、プリペイド残額、並びに、持玉数及び日付は、制御ユニット３２８のＲＡＭ３２８ｂに記憶され、プリペイド残額（「カード残高」として表示）及び持玉数（「持玉」として表示）は表示部３１２に表示可能となる。会員カードから読み取られたカードＩＤ及び会員番号、並びにプリペイド残額は、制御ユニット３２８のＲＡＭ３２８ｂに記憶され、プリペイド残額（「カード残高」として表示）は表示部３１２に表示可能となる。
【００６０】
カードの挿入が挿入センサにより検出されると、挿入されたカードがカードＲ／Ｗ３２７に設けられた搬送機構により所定位置まで搬送される。該所定位置に停止されたカードを対象とした給電やデータ通信を行うことにより、受付中のカードを対象としたデータの読み出し及び書き込みが可能となっている。なお、カード挿入前に所定位置に存在していたプリペイド残額及び持玉数がいずれも０のビジターカードは、挿入されたカードの搬送に伴い、カード貯留部及びカードＲ／Ｗ３２７に設けられた搬送機構によりカード貯留部に搬送されて貯留される。
【００６１】
また、プリペイド残額及び持玉数の少なくとも一方が０ではないビジターカード、又は、会員カードが所定位置に存在する受付中の状態では、不図示のシャッタ用ソレノイドの動作により、カード挿入口３０９を水平方向に横切る棒状のシャッタが出現してカードの挿入が阻止される。また、受付中のビジターカードのプリペイド残額及び持玉数がいずれも０となってから所定時間（例えば５分）経過すると（即ち、遊技終了が判定されると）、カード挿入口３０９のシャッタが解除される。
【００６２】
制御ユニット３２８が返却ボタン２２の操作を検知すると、カードＲ／Ｗ３２７に対して所定位置にある受付中のビジターカード又は会員カードの排出を指示する。このとき、カード挿入口３０９のシャッタが解除され、カードＲ／Ｗ３２７及びカード貯留部に設けられた搬送機構により、所定位置にあるカードがカード挿入口３０９から排出され遊技者に返却されると共に、カード貯留部に貯留されているビジターカード（プリペイド残額及び持玉数がいずれも０のもの）が所定位置まで搬送される。
【００６３】
次に、本実施の形態の制御ユニット３２８について説明する。制御ユニット３２８は、図３に示すように、制御プログラムを実行可能な中央演算処理回路（ＣＰＵ）３２８ａや、カードリーダライタ３２７に受付け中のビジターカード及び会員カードのカードＩＤや、会員番号（会員カードのみ）、並びにプリペイド残額や、持玉数、貯玉数等の各種のデータを記憶可能なＲＡＭ３２８ｂや、中央演算処理回路（ＣＰＵ）３２８ａが実行する制御プログラムや、当該カードユニット３の装置ＩＤを含む設定情報や、各種のデータを書き換え記憶可能な不揮発性メモリであるＥＥＰＲＯＭ３２８ｃや、その時点の時刻情報やカレンダ情報等を出力可能なリアルタイムクロック（ＲＴＣ）３２８ｄを含み、ＲＡＭ３２８ｂは図示しない電池によりバックアップされており、電源が遮断されても、所定期間において記憶されているデータが保持される。
【００６４】
本実施の形態の制御ユニット３２８は、前述したようにパチンコ玉の貸出に伴う各種の信号の送受を、パチンコ機２に設けられている払出制御基板２８との間において実施可能に接続されている。
【００６５】
また、制御ユニット３２８は、計数・端数払出ユニット３４０と接続されており、後述するように、該計数・端数払出ユニット３４０から出力されてくる計数情報の受信に応じて、表示部３１２の下部位置に表示する計数済玉数の値（持玉数）を更新することで、計数・端数払出ユニット３４０にて計数された計数済玉数が持玉数として表示される。
【００６６】
また、制御ユニット３２８は、前述したように、パチンコ機１の上皿２３に設けられた払出ボタン２１が操作されたことを検知するための払出ボタンスイッチ２１ａに接続されており、払出ボタン２１の操作に応じた信号が、該払出ボタンスイッチ２１ａから入力されることにより、払出ボタン２１の操作の有無を把握し、払出ボタン２１の操作があったときには払出処理を実施することで、一単位数（２５）の整数倍のパチンコ玉の払出を対応するパチンコ機２から実施させる。
【００６７】
ここでカードユニット３とパチンコ機２との間で行われる信号のやりとりについて説明する。本例では、ＲＡＭ３２８ａに基本払出玉数又は後述する乗入れ状態時払出玉数として１２５（一単位数である２５の５倍に相当）が記憶されているものとする。
【００６８】
まずパチンコ機２及びカードユニット３の電源投入時に、両者の間における接続確認が行われると、パチンコ機２の払出制御基板２８は、ＰＲＤＹをＬＯＷとすることにより、ＰＲＤＹ信号線を介して、カードユニット３の制御部ユニット３２８に払出可能信号を送信して（Ｓ１）、スタンバイ状態となる。
【００６９】
次にカードユニット３の制御ユニット３２８は、ＰＲＤＹのＬＯＷ（払出可能信号）を受信しているスタンバイ状態において払出ボタン２１（又は再プレイボタン３１９）の操作を検出すると、ＢＲＤＹをＬＯＷとすることにより、ＢＲＤＹ信号線を介して、パチンコ機２の払出制御基板２８に払出可能信号を送信する（Ｓ２）。
【００７０】
この状態において、カードユニット３の制御ユニット３２８は、ＢＲＱをＬＯＷとすることにより、ＢＲＱ信号線を介して、パチンコ機２の払出制御基板２８に単位払出要求信号を送信する（Ｓ３）。次にパチンコ機２の払出制御基板２８は、ＢＲＤＹのＬＯＷ（払出可能信号）を受信した状態においてＢＲＱのＬＯＷ（単位払出要求信号）を受信すると、玉確認センサ（図示せず）により一単位数（２５）のパチンコ玉を払い出す準備（払出準備）が整っているか否かを確認し、該払出準備が整っていることを条件として、ＥＸＳをＬＯＷとすることにより、ＥＸＳ信号線を介して、カードユニット３の制御ユニット３２８に単位払出準備信号を送信する（Ｓ４）。
【００７１】
次に該ＥＸＳのＬＯＷ（単位払出準備信号）を受信したカードユニット３の制御ユニット３２８は、ＢＲＱをＨＩＧＨとすることにより、ＢＲＱ信号線を介して、パチンコ機２の払出制御基板２８に単位払出指令信号を送信する（Ｓ５）。次に該ＢＲＱのＨＩＧＨ（単位払出指令信号）を受信したパチンコ機２の払出制御基板２８は、玉払出装置２９に対して払出信号を出力し、これに基づいて一単位数（２５）のパチンコ玉の払出が行われると共に、該払出の完了に基づいて、ＥＸＳをＨＩＧＨとすることにより、ＥＸＳ信号線を介して、カードユニット３の制御ユニット３２８に単位払出完了信号を送信する（Ｓ６）。
【００７２】
これらＳ３〜Ｓ６の制御を、５回繰り返すことにより、１２５玉をパチンコ機２から払い出し、これらの制御の終了に基づいて、ＢＲＤＹをＨＩＧＨとすることにより、ＢＲＤＹ信号線を介して、パチンコ機２の払出制御基板２８に払出終了信号を送信し（Ｓ７）、１２５玉の払出を終了する。このように、パチンコ玉が払い出されるときのＳ３〜Ｓ６の制御の繰り返し回数を「払出度数」と称する。
【００７３】
この実施の形態では、払出度数の１度数（Ｓ３〜Ｓ６の制御１回）あたり２５玉のパチンコ玉が払い出されるようになっており、１度数あたりの払出玉数を一単位数としている。この「払出度数」は、基本単価以外の単価の貯玉数を使用して基本単価のパチンコ玉を払い出す「乗入れ」が実行されるときに、基本払出玉数に応じた払出度数から乗入れ状態時払出玉数に応じた払出度数に変更可能となっている。
【００７４】
また、制御ユニット３２８は、通信部３３４並びにＨＵＢ７を介して、ローカルエリアネットワーク（ＬＡＮ）に接続されている前述の残額管理装置１００、持玉管理装置１４０、及び会員管理装置１５０等とデータ通信可能に接続されており、これらの各コンピュータと各種データの送受が該通信部３３４を通じて可能とされている。
【００７５】
また、制御ユニット３２８に接続された表示制御基板３２９は、表示部３１２を構成する液晶表示器３１３や、透明タッチパネル３１４や、再プレイボタン３１９に対応する再プレイスイッチ３１９ａ等の電子部品が接続されており、これら透明タッチパネル３１４の操作情報や、再プレイボタン３１９の操作情報が、表示制御基板３２９を介して制御ユニット３２８に出力される。
【００７６】
本実施の形態の表示制御基板３２９には、液晶表示器３１３の表示駆動を行う表示駆動回路（図示略）や、前記透明タッチパネル３１４からの出力信号に基づいて押圧操作された位置を特定して該特定した入力位置情報を出力する入力位置検出回路（図示略）や、表示部３１２に表示する表示映像に関する処理を行うＶＤＰ（図示略）や、メニュー表示等に使用する画像データ等を記憶するＶＲＯＭ（図示略）や、表示部３１２に表示する表示データを一時記憶するＶＲＡＭ（図示略）や、制御ユニット３２８から独立して、各種スイッチ類や透明タッチパネル等の入力に伴う判断や処理を処理プログラムに基づいて実施する表示制御マイコン等が実装されており、制御ユニット３２８から出力される表示データ（ページデータ）等に基づいて、各種の表示画面を、表示部３１２を構成する液晶表示器３１３に表示可能とされている。
【００７７】
制御ユニット３２８では、残額管理装置１００との通信により該残額管理装置１００で管理されるプリペイド残額の更新に伴い、記憶しているプリペイド残額（表示部３１２に表示する「カード残高」の数値）を更新し、持玉管理装置１４０との通信により該持玉管理装置１４０で管理される持玉数の更新に伴い、記憶している持玉数（表示部３１２に表示する「持玉」の数値）を更新し、会員管理装置１５０との通信により該会員管理装置１５０で管理される貯玉数の更新に伴い、記憶している貯玉数（表示部３１２に表示する「貯玉」の数値）を更新する。
【００７８】
また、制御ユニット３２８は、持玉管理装置１４０から定期的（本実施の形態では約１０秒毎）に送信されてくるオンライン確認要求の受信の有無により、持玉管理装置１４０との通信状態がオンライン状態であるかオフライン（通信不能）状態であるかを検知できるようになっているとともに、これらオンライン確認要求の受信に応じてオンライン確認応答を持玉管理装置１４０に返信することで、持玉管理装置１４０においても各カードユニット３のオンライン・オフライン状態を検知できるようになっている。尚、これらオンライン確認要求としては、他のデータ送信要求にて代用される場合がある。
【００７９】
この実施の形態では、カードユニット３は、持玉管理装置１４０を介して会員管理装置１５０と通信を行う。ここで、カードユニット３と持玉管理装置１４０との間でオンライン状態が成立している場合であっても、持玉管理装置１４０と会員管理装置１５０との間ではオフライン状態となっている場合がある。このような場合には、持玉管理装置１４０は、会員管理装置１５０とのオフライン状態を通知するためのオフライン情報（例えば、Ｓ５１３０のＣＵ切断通知）をカードユニット３に送信する。オフライン情報を受信したカードユニット３では、持玉管理装置１４０との間ではオンライン状態であるが、会員管理装置１５０との間ではオフライン状態であることを把握することができるため、例えば、持玉数の使用を可能とし、貯玉数の使用（後述する乗入れも含む）を禁止するといった制御を行うことが可能となる。
【００８０】
また、この実施の形態では、カードユニット３がオンライン確認要求を受信しており、且つオフライン情報を受信していないとき、即ち、持玉管理装置１４０と通信可能であり、且つ会員管理装置１５０と通信可能である場合にのみ、貯玉の使用（後述する乗入れも含む）が許容される。
【００８１】
また、制御ユニット３２８は、計数・端数払出ユニット３４０と計数情報や端数払出要求等の各種のデータを、少ない通信線数にてデータの送受が可能なシリアル通信により送受可能に接続されている。
【００８２】
ここで、本実施の形態の計数・端数払出ユニット３４０について説明する。本実施の形態の計数・端数払出ユニット３４０は、図２に示すように、パチンコ機２の下皿２４の直下に配置された横長の箱状物であり、カードユニット３の最も下方位置に設けられている不図示の回収流路ボックスに連結樋３４４を介して連結されている。
【００８３】
そして、計数・端数払出ユニット３４０の上面には、下皿２４から排出されるパチンコ玉が投入されるホッパ形状とされた不図示の投入部が形成されていて、その前面のカードユニット３本体側（向かって左側）には、払出（返却）された端数のパチンコ玉が取り出し可能に貯留される返却貯留部３４２が設けられている。
【００８４】
計数・端数払出ユニット３４０の内部には、計数・端数払出ユニット３４０の制御を行う制御マイコン等が搭載された制御基板により構成される制御部３５０が内蔵されている。この制御部３５０には、図３に示すように、流路変更シャッタ３５１、払出モータ３５３、払出センサ３５４、計数センサ３５６、及び貯留玉センサ３５７等が接続されていて、該制御部３５０にて計数・端数払出ユニット３４０の各機能が形成されるように制御される。また、制御部３５０は、カードユニット３の本体と連結樋３４４を介して電気的に接続されている。
【００８５】
計数・端数払出ユニット３４０の投入部に投入されたパチンコ玉は不図示の計数流路に流入して該計数流路上を連結樋３４４の方向に向けて流下し、該計数流路の下流部に設けられている計数センサ３５６にて検出されるようになっている。計数センサ３５６にて検出されたパチンコ玉の流下方向は流路変更シャッタ３５１により変更可能となっている。該流路変更シャッタ３５１が出没することによって、パチンコ玉の流下方向を、連結樋３４４側或いはパチンコ玉を貯留する不図示の貯留部側に切り替えることが可能とされている。
【００８６】
ここで、計数センサ３５６によりパチンコ玉が検出される毎に制御ユニット３２８に記憶されている計数済玉数の値が加算される。そして、所定のタイミング（例えば、計数済玉数が更新されることなく５秒が経過したタイミング）で、制御ユニット３２８に記憶されている持玉数に計数済玉数の値が加算されて持玉数が更新されると共に、計数済玉数の値は０にリセットされる。
【００８７】
貯留部に流入するパチンコ玉は、貯留玉センサ３５７により検出されていき、貯留部内がパチンコ玉により満たされることにより、貯留玉センサ３５７によってパチンコ玉が所定時間以上連続して検出された場合には、流路変更シャッタ３５１による貯留部側への流路変更が解除されることで、計数センサ３５６により検出された計数済みのパチンコ玉は全て、連結樋３４４を流下してカードユニット３内部の回収流路ボックスを介して遊技島内に回収される。
【００８８】
また、貯留部に貯留されたパチンコ玉は、払出モータ３５３によって１つずつ返却貯留部３４２に払出可能となる。このとき、払出センサ３５４により、遊技者に払出（返却）するパチンコ玉数を計数可能となっている。
【００８９】
貯留部にパチンコ玉が貯留されている状態において、一単位数未満の端数のパチンコ玉数、例えば、端数として２０玉の払出（返却）がなされる場合、つまり、制御部３５０が制御ユニット３２８から払出（返却）する端数である２０玉を含む端数払出要求を受信した場合には、該受信した端数払出要求に含まれる払出玉数（端数）である２０の検出信号が払出センサ３５４から入力されてくるまで払出モータ３５３を作動させることにより、該払出玉数（端数）である２０個のパチンコ玉が、返却貯留部３４２に返却されて貯留されるようになる。
【００９０】
制御部３５０は、端数に相当する数の検出信号が払出センサ３５４から入力されてきた際には、端数払出要求の応答として、端数払出完了通知を制御ユニット３２８に対して送信することにより、制御ユニット３２８は、端数払出要求で指定した端数の払出が完了したことを認識する。
【００９１】
この実施の形態では、各カードユニット３において設定される基本払出玉数はいずれも一単位数（２５）の整数倍であるため、プリペイド残額が基本払出玉数に相当する金額（例えば４．００円×１２５＝５００円）以上の場合、持玉数（貯玉数）が基本払出玉数以上の場合には、前述した払出制御基板２８と制御ユニット３２８との通信によって、基本払出玉数に相当する全数を払出可能となっている。
【００９２】
また、プリペイド残額が基本払出玉数に相当する金額（例えば４．００円×１２５＝５００円）未満であるが一単位数に相当する金額（例えば４．００円×２５＝１００円）以上の場合には、［一単位数×ｎ＜（プリペイド残額／基本単価）］となる最大のｎを払出度数として設定し、前述した払出制御基板２８と制御ユニット３２８との通信によって、設定された払出度数に相当する数のパチンコ玉を払い出す。
【００９３】
また、プリペイド残額が一単位数に相当する金額（例えば４．００円×２５＝１００円）未満である場合には、［基本単価×ｎ＜プリペイド残額］となる最大のｎを端数として設定し、制御ユニット３２８から計数・端数払出ユニット３４０に対して、設定した端数を含む端数払出要求が送信され、計数・端数払出ユニット３４０の返却貯留部３４２に端数相当のパチンコ玉が払い出される。
【００９４】
また、持玉数（貯玉数）が基本払出玉数未満であるが一単位数以上の場合には、［一単位数×ｎ＜持玉数（貯玉数）］となる最大のｎを払出度数として設定し、前述した払出制御基板２８と制御ユニット３２８との通信によって、設定された払出度数に相当する数を払い出す。
【００９５】
また、持玉数（貯玉数）が一単位数未満である場合には、当該持玉数（貯玉数）を端数として設定し、制御ユニット３２８から計数・端数払出ユニット３４０に対して、設定した端数を含む端数払出要求が送信され、計数・端数払出ユニット３４０の返却貯留部３４２に端数相当のパチンコ玉が払い出される。
【００９６】
なお、基本払出玉数として一単位数の整数倍ではない払出玉数が設定されている場合には、前述した払出制御基板２８と制御ユニット３２８と通信による払出と、計数・端数払出ユニット３４０による払出の両方が実行されることにより、該基本払出玉数のパチンコ玉が払い出されるようにすると良い。例えば、基本払出玉数として１１６が設定されている場合には、払出度数が４に設定され、前述した払出制御基板２８と制御ユニット３２８との通信によって１００玉がパチンコ機２から払い出され、計数・端数払出ユニット３４０の返却貯留部３４２に端数の１６玉が払い出される。
【００９７】
なお、この実施の形態では、計数・端数払出ユニット３４０の内部に設けられた貯留部に端数払出用のパチンコ玉を貯留するようにしているが、このような形態に限らず、端数相当のパチンコ玉を払い出す場合に、遊技島の玉供給経路から計数・端数払出ユニット３４０に供給されたパチンコ玉を払い出すようにしても良い。
【００９８】
（残額管理装置）
次に、本実施の形態の残額管理装置１００について、図４に基づき説明する。まず、本実施の形態に用いた残額管理装置１００は、図４に示すように、コンピュータ内部にてデータの送受を行うデータバス１０１に、該残額管理装置１００が実施する各種処理を行うＣＰＵ１０２、ワークメモリ等として使用されるＲＡＭ１０３、時刻情報やカレンダ情報を出力するＲＴＣ１０４、ハードディスク等からなる記憶装置１０５、キーボードやマウス等の入力装置１０６、各種の画面を表示出力する表示装置１０７、各種情報をプリント出力するプリンタ１０８、ローカルエリアネットワーク（ＬＡＮ）に接続されたカードユニット３（制御ユニット３２８）やカード発行・入金機等の各装置とのデータ通信を行う通信部１０９、カード会社に設置された残額管理サーバ１２とのデータ通信を行うデジタルサービスユニット（ＤＳＵ）１１０が接続された通常のコンピュータである。
【００９９】
記憶装置１０５には、残額管理装置１００において実施される各種処理を行うための処理内容が記述された処理プログラムに加えて、会員カード及びビジターカードに残存するプリペイド残額を管理するための残額管理テーブル（図５参照）が記憶されている。
【０１００】
残額管理テーブルには、図５に示すように、各ビジターカード及び各会員カードを個々に識別可能なカードＩＤに対応付けて、当該会員カードの発行を受けた会員遊技者の会員番号（会員カードのみ）と、プリペイド残額とが記憶されており、会員カードに記憶されているカードＩＤ若しくは会員番号、ビジターカードに記憶されているカードＩＤから、プリペイド残額を特定できるようになっている。
【０１０１】
カードユニット３の紙幣識別ユニット３２１により紙幣が受け付けられたときには、該カードユニット３と残額管理装置１００との間で通信が行われ、該受け付けた紙幣に応じた識別額が、カードユニット３にて受付中の会員カード又はビジターカードのカードＩＤに対応付けて残額管理テーブルで管理されているプリペイド残額に加算される。また、カードユニット３の制御ユニット３２８に記憶されているプリペイド残額も加算後のプリペイド残額に更新されると共に、受付中の会員カード又はビジターカードに記録されているプリペイド残額も書き換えられる。
【０１０２】
カードユニット３において払出ボタン２１が操作され、受付中の会員カード又はビジターカードのプリペイド残額を使用したパチンコ玉の払出が実行されるときには、該カードユニット３と残額管理装置１００との間で通信が行われ、カードユニット３にて受付中の会員カード又はビジターカードのカードＩＤに対応付けて残額管理テーブルで管理されているプリペイド残額から、消費金額（払出玉数×基本単価に相当）が減算される。また、カードユニット３の制御ユニット３２８に記憶されているプリペイド残額も減算後のプリペイド残額に更新されると共に、受付中の会員カード又はビジターカードに記録されているプリペイド残額も書き換えられる。
【０１０３】
（持玉管理装置）
次に、本実施の形態の持玉管理装置１４０について、図６に基づき説明する。まず、本実施の形態に用いた持玉管理装置１４０は、図６に示すように、コンピュータ内部にてデータの送受を行うデータバス１４１に、該管理コンピュータ１４０が実施する各種処理を行う中央演算処理装置（ＣＰＵ）１４２、ワークメモリ等として使用されるＲＡＭ１４３、時刻情報やカレンダ情報を出力するリアルタイムクロック（ＲＴＣ）１４４、ハードディスク等からなる記憶装置１４５、キーボードやマウス等の入力装置１４６、各種の画面を表示出力する表示装置１４７、各種情報をプリント出力するプリンタ１４８、ローカルエリアネットワーク（ＬＡＮ）に接続されたカードユニット３及び会員管理装置１５０、並びに景品交換用ＰＯＳ端末１７０等とのデータ通信を行う通信部１４９が接続された通常のコンピュータである。
【０１０４】
また、ＣＰＵ１４２は、前述したように、通信部１４９から各カードユニット３に対して定期的にオンライン確認要求を送信し、各カードユニットから装置ＩＤを含むオンライン確認応答を受信することにより、各カードユニット３とオンライン状態であるかオフライン状態であるかを検知可能である。また、会員管理装置１５０に対しても、定期的にオンライン確認要求を送信し、会員管理装置１５０からオンライン確認応答を受信することにより、会員管理装置１５０とオンライン状態であるかオフライン状態であるかを検知可能である。会員管理装置１５０とオフライン状態である場合には、カードユニット３に対してオフライン情報を送信する。
【０１０５】
ここで、会員管理装置１５０と持玉管理装置１４０との間でオンライン状態が成立している場合であっても、持玉管理装置１４０とＣＵ３との間ではオフライン状態となっている場合がある。このような場合には、持玉管理装置１４０は、ＣＵ３とのオフライン状態を通知するためのオフライン情報（例えば、Ｓ５２３０のＣＵ切断通知）を会員管理装置１５０に送信する。オフライン情報を受信した会員管理装置１５０では、持玉管理装置１４０との間ではオンライン状態であるが、ＣＵ３との間ではオフライン状態であることを把握することができるため、例えば、乗入れ状態を解除するといった制御を行うことが可能となる。
【０１０６】
記憶装置１４５には、持玉管理装置１４０において実施される各種処理を行うための処理内容が記述された処理プログラムに加えて、遊技者（会員カードを使用する会員遊技者及びビジターカードを使用するビジター遊技者）の所有価値である、当日において獲得された持玉数を管理するための持玉管理テーブル（図７参照）と、各カードユニット３の基本単価及び基本払出玉数、並びに各カードユニット３で受付中の会員カード又はビジターカードのカードＩＤを管理するためのＣＵ管理テーブル（図８参照）とが記憶されている。
【０１０７】
持玉管理テーブルには、図７に示すように、各カードＩＤ及び各会員番号（会員カードのみ）に対応付けて、当該会員カード又はビジターカードを使用した遊技者がその当日において獲得した獲得玉数の合計であって遊技や景品交換に未使用の玉数である持玉数が記憶されており、ビジターカードや会員カードに記憶されているカードＩＤ若しくは会員番号（会員カードのみ）から、当該遊技者が所有する持玉数を特定できるようになっている。
【０１０８】
なお、持玉管理テーブルに管理されている持玉数は、その当日のみ持玉数として管理されており、営業終了後の営業終了時処理において会員カードのカードＩＤ及び会員番号に対応する持玉数は、当該会員カードのカードＩＤ及び会員番号に対応する貯玉数に加算更新された後、全て０にクリアされる。また、営業終了後の営業終了時処理においてビジターカードのカードＩＤに対応する持玉数は、全て０にクリアされる。
【０１０９】
ここで、図７に示すように、持玉数は、遊技機での遊技に使用可能な遊技媒体の基本単価毎に管理されている。この例では、エリア１は単価４．００円の持玉数、エリア２は単価２．００円の持玉数、エリア３は単価１．００円の持玉数を管理するための記憶領域であり、各エリアの持玉数は、当該エリアに対応した基本単価の遊技機での遊技で獲得した持玉数である。営業終了時処理においては、持玉管理テーブルにおける各エリアの持玉数が、後述する貯玉管理テーブルにおける当該エリアに対応したエリアの貯玉数に加算されることになる。
【０１１０】
カードユニット３の計数・端数払出ユニット３４０におけるパチンコ玉の計数により制御ユニット３２８に記憶される持玉数が更新されるときには、該カードユニット３と持玉管理装置１４０との間で通信が行われ、カードユニット３にて受付中の会員カード又はビジターカードのカードＩＤに対応付けて持玉管理テーブルで管理されている持玉数が、当該カードユニット３にて記憶されている持玉数に更新される。ここで、当該カードユニット３の装置ＩＤに対応した基本単価に対応したエリアの持玉数が更新されるものとする。また、カードユニット３の制御ユニット３２８に記憶されている持玉数も加算後の持玉数に更新されると共に、受付中のビジターカードに記録されている持玉数も書き換えられる。
【０１１１】
また、カードユニット３において再プレイボタン３１９が操作され、受付中の会員カード又はビジターカードのカードＩＤに対応付けられた持玉数を使用したパチンコ玉の払出が実行されるときには、該カードユニット３と持玉管理装置１４０との間で通信が行われ、カードユニット３にて受付中の会員カード又はビジターカードのカードＩＤに対応付けて持玉管理テーブルで管理されている持玉数から、払出玉数が減算される。ここで、当該カードユニット３の装置ＩＤに対応した基本単価に対応したエリアの持玉数から払出玉数が減算されるものとする。また、カードユニット３の制御ユニット３２８に記憶されている持玉数も減算後の持玉数に更新されると共に、受付中のビジターカードに記録されている持玉数も書き換えられる。
【０１１２】
なお、このような持玉数の更新形態に限らず、パチンコ玉の計数や持玉数を使用したパチンコ玉の払出が実行されるときには、持玉管理装置１４０で管理されている持玉数が更新されずにカードユニット３側で記憶されている持玉数のみが更新され、カードユニット３から会員カード又はビジターカードが返却されるときに、該カードユニット３と持玉管理装置１４０との間で通信が行われ、当該会員カード又はビジターカードのカードＩＤに対応付けて持玉管理装置１４０にて記憶されている持玉数が、カードユニット３にて記憶されている持玉数に更新されるようにしても良い。ここで、当該カードユニット３の装置ＩＤに対応した基本単価に対応したエリアの持玉数が更新されるものとする。また、ビジターカードが返却されるときに、当該カードユニット３にて記憶されている持玉数が当該ビジターカードに記録されるようにしても良い。
【０１１３】
ＣＵ管理テーブルには、図８に示すように、各カードユニット３の装置ＩＤ（台番号）に対応付けて、当該カードユニットに対応して設けられる遊技機において使用可能な遊技媒体の単価である基本単価と、プリペイド残額を使用して当該基本単価の遊技媒体を払い出すための払出操作（払出ボタン２１の操作）、又は、当該基本単価に対応したエリアの持玉数（貯玉数）を払い出して当該遊技機での遊技に使用可能とするための払出操作（再プレイボタン２１９の操作）で払い出されるパチンコ玉の数である基本払出玉数と、当該カードユニットにおいて受付中の会員カード又はビジターカードのカードＩＤである受付中カードＩＤと、が記憶されている。なお、基本単価に対応したエリア以外のエリアの貯玉数を使用して当該基本単価のパチンコ玉を払い出す乗入れが実行される場合において、当該基本単価を「乗入れ先エリア単価」と称する場合がある。
【０１１４】
ここで記憶されている基本単価及び基本払出玉数は、各装置ＩＤのカードユニット３に送信され、制御ユニット３２８のＲＡＭ３２８ｂに記憶される。後述する乗入れ状態となっていない場合は、プリペイド残額を使用する場合、持玉数を使用する場合、及び、貯玉数を使用する場合（貯玉再プレイの場合）のいずれにおいても、各カードユニット３で記憶される基本払出玉数のパチンコ玉が払い出される。例えば、基本単価が４．００円の場合の基本払出玉数は１２５となっているため、制御ユニット３２８とパチンコ機２との間で通信が実行され、５度数相当の１２５玉が払い出されることになる。また、基本単価が２．００円及び１．００円の場合の基本払出玉数は２００となっているため、制御ユニット３２８とパチンコ機２との間で通信が実行され、８度数相当の２００玉が払い出されることになる。
【０１１５】
（会員管理装置）
次に、本実施の形態の会員管理装置１５０について、図９に基づき説明する。まず、本実施の形態に用いた会員管理装置１５０は、図９に示すように、コンピュータ内部にてデータの送受を行うデータバス１５１に、該会員管理装置１５０が実施する各種処理を行うＣＰＵ１５２、ワークメモリ等として使用されるＲＡＭ１５３、時刻情報やカレンダ情報を出力するＲＴＣ１５４、ハードディスク等からなる記憶装置１５５、キーボードやマウス等の入力装置１５６、各種の画面を表示出力する表示装置１５７、各種情報をプリント出力するプリンタ１５８、ローカルエリアネットワーク（ＬＡＮ）に接続された持玉管理装置１４０及び景品交換用ＰＯＳ端末１７０等の各装置とのデータ通信を行う通信部１５９、貯玉管理期間に設置された貯玉管理サーバ１５とのデータ通信を行うデジタルサービスユニット（ＤＳＵ）１６０が接続された通常のコンピュータである。
【０１１６】
記憶装置１５５には、会員管理装置１５０において実施される各種処理を行うための処理内容が記述された処理プログラムに加えて、会員カードを所持する会員遊技者が所有する当日前に当該会員遊技者により獲得された貯玉数を管理するための貯玉管理テーブル（図１０参照）と、遊技機の基本単価（乗入れ先エリア単価）とは異なる単価（乗入れ元エリア単価）の貯玉を使用して当該遊技機に対応した単価の遊技媒体を払い出す乗入れを許可するか否かを管理するための乗入許可テーブル（図１１（ａ）を参照）と、乗入れを許可する時間帯を管理するための乗入許可時間帯テーブル（図１１（ｂ）を参照）と、前述した持玉管理装置１４０から取得可能なＣＵ管理テーブルとが記憶されている。
【０１１７】
貯玉管理テーブルには、図１０に示すように、会員カードの各カードＩＤに対応付けて、当該会員カードの発行を受けた会員遊技者を個々に識別可能な会員識別情報である会員番号と、当該会員遊技者が当日前（ただし当日に景品交換用ＰＯＳ端末１７０の使用によって持玉数が貯玉数に変換された場合には、当該貯玉数も含まれる）において獲得した獲得玉数の合計であって遊技や景品交換に未使用の玉数である貯玉数とが記憶されており、会員カードに記憶されている会員カードＩＤ若しくは会員番号から、当該会員遊技者が所有する所有価値である貯玉数を特定できるようになっている。
【０１１８】
ここで、図１０に示すように、貯玉数は、遊技機での遊技に使用可能な遊技媒体の基本単価毎に管理されている。この例では、エリア１は単価４．００円の貯玉数、エリア２は単価２．００円の貯玉数、エリア３は単価１．００円の貯玉数を管理するための記憶領域であり、各エリアの貯玉数は、当該エリアに対応した基本単価の遊技機での遊技で獲得した所有価値である。
【０１１９】
また、この実施の形態では、各エリアにおける貯玉の単価は、前述した持玉管理テーブルにおける当該エリアに対応したエリアにおける持玉の単価と共通である。そのため、遊技場の営業終了後（あるいは景品交換用ＰＯＳ端末１７０の使用時）に持玉を貯玉に移行させるためには、会員管理装置１５０が持玉管理装置１４０から持玉管理テーブルの記憶内容を取得して、会員番号毎に、持玉管理テーブルにおけるエリアｎの持玉数を貯玉管理テーブルにおけるエリアｎの貯玉数に加算する（ｎ＝１，２，…，１０）処理を実行すると良い。
【０１２０】
また、カードユニット３において再プレイボタン３１９が操作され、受付中の会員カードの会員番号に対応付けられた貯玉数を使用したパチンコ玉の払出（貯玉再プレイ）が実行されるときには、該カードユニット３と会員管理装置１５０との間で通信が行われ、カードユニット３にて受付中の会員カードの会員番号に対応付けて貯玉管理テーブルで管理されている貯玉数から、払出玉数が減算される（即ち、乗入れを伴わない通常の貯玉再プレイが実行される）。このように、非乗入れ状態においては、当該カードユニット３の装置ＩＤに対応した基本単価に対応したエリアの貯玉数が減算される。一方、乗入れ状態においては、当該カードユニット３の装置ＩＤに対応した基本単価に対応したエリアの貯玉数ではなく、乗入れ元エリアの貯玉数が減算される。
【０１２１】
乗入れ許可テーブルには、図１１（ａ）に示すように、貯玉管理テーブルで管理される各エリア（乗入れ元エリア）毎に、当該エリアにおける貯玉を他のエリア（乗入れ先エリア）の貯玉に変換する乗入れを許可するか否かが記憶されている。乗入れが許可される乗入れ元エリアと乗入れ先エリアとの組合せを○、乗入れが許可されない乗入れ元エリアと乗入れ先エリアとの組合せを×で示している。
【０１２２】
例えば、エリア１の貯玉（単価４．００円）は、エリア２の貯玉（単価２．００円）及びエリア３の貯玉（単価１．００円）に変換可能であるが、エリア４の貯玉（単価２０．００円）には変換不能である。すなわち、乗入れ元エリア単価が４．００円であり乗入れ先エリア単価が２．００円の乗入れ、乗入れ元エリア単価が４．００円であり乗入れ先エリア単価が１．００円の乗入れは許可されるが、乗入れ元エリア単価が４．００円であり乗入れ先エリア単価が２０．００円の乗入れは不許可となっている。
【０１２３】
乗入れ許可時間帯テーブルには、図１１（ｂ）に示すように、乗入れが許可される乗入れ元エリアと乗入れ先エリアの組合せ毎に、乗入れを許可する時間帯が記憶されている。例えば、乗入れ元エリア単価が４．００円（エリア１）の場合には、乗入れ先エリア単価によらず、遊技場の営業時間中（１０：００〜２２：００）は乗入れを行うことが可能である。一方で、乗入れ元エリア単価が２．００円（エリア２）の場合、乗入れ元エリア単価が１．００円（エリア３）の場合には、乗入れ先エリア単価によらず、１８：００〜２２：００の時間帯に限り乗入れが許可される。
【０１２４】
なお、記憶装置１５５には不図示の会員情報管理テーブルも記憶されており、該会員情報記憶テーブルでは、会員カードに記録されているカードＩＤ及び会員番号に対応付けて、当該会員番号により識別される会員遊技者が会員登録時に登録した氏名及び暗証番号が記憶されていると共に、当該会員カードが使用可能であるか否かを示す使用可否情報が記憶されている。会員カードが発行された時点では使用可否情報が使用可能と設定されている。
【０１２５】
会員遊技者が会員カードを紛失した場合には、遊技場に氏名及び暗証番号を届け出ることにより、遊技場の店員が氏名及び暗証番号を入力装置１５６により入力することで、ＣＰＵ１５２によって会員情報記憶テーブルから該当する会員カードが検索され、該当する会員カードについては使用可否情報が使用不可と設定される。
【０１２６】
（景品交換用ＰＯＳ端末）
景品交換用ＰＯＳ端末１７０（以下、景品ＰＯＳ１７０と略記する）は、マイクロコンピュータが設けられ、このマイクロコンピュータには、制御中枢としてのＣＰＵ、ＣＰＵの制御動作プログラムを格納しているＲＯＭ、ＣＰＵのワークエリアとしてのＲＡＭ、外部機器との信号の入出力を行なうための入出力インターフェイスが設けられている。ＣＰＵは、入出力インターフェイスを介して、持玉管理装置１４０との間での情報の入出力、会員管理装置１５０との間での情報の入出力がそれぞれ可能となっている。また、景品ＰＯＳ１７０には、マイクロコンピュータに接続されるカードリーダライタ、表示装置、キーボード等の入力装置、バーコードリーダ等が設けられている。
【０１２７】
カードリーダライタにビジターカードが挿入されることにより、景品ＰＯＳ１７０と持玉管理装置１４０との間で通信が行われ、カードリーダライタで読み取られたビジターカードのカードＩＤに対応付けて持玉管理装置１４０で記憶されている持玉数が表示装置に表示される。この状態で、景品に付された交換玉数を示すバーコードをバーコードリーダで読み取ることにより、あるいは入力装置によって交換玉数を入力することにより、該交換玉数が、表示されている持玉数から減算される（これに伴い該交換玉数が、読み取られたカードＩＤに対応付けて持玉管理装置１４０で記憶されている持玉数から減算される）ことで、持玉と景品とを交換可能となっている。
【０１２８】
また、カードリーダライタに会員カードが挿入されることにより、景品ＰＯＳ１７０と持玉管理装置１４０及び持玉管理装置１４０と貯玉管理装置１５０との間で通信が行われ、カードリーダライタで読み取られた会員カードのカードＩＤに対応付けて持玉管理装置１４０で記憶されている持玉数が、カードリーダライタで読み取られた会員カードの会員番号に対応付けて貯玉管理措置１５０で記憶されている貯玉数に加算され、該更新後の貯玉数が表示装置に表示される。この状態で、景品に付された交換玉数を示すバーコードをバーコードリーダで読み取ることにより、あるいは入力装置によって交換玉数を入力することにより、該交換玉数が、表示されている貯玉数から減算される（これに伴い該交換玉数が、読み取られたカードＩＤに対応付けて会員管理装置１５０で記憶されている貯玉数から減算される）ことで、貯玉と景品とを交換可能となっている。なお、更新後の貯玉数の一部のみを景品交換に使用し、残りの貯玉数は次回の遊技（貯玉再プレイ）に使用することも可能であり、更新後の貯玉数の全てを次回の遊技（貯玉再プレイ）に使用することも可能である。
【０１２９】
［遊技用システムの処理］
以下、本実施の形態の遊技用システム１の動作、特にカードユニット３（以下ＣＵ３と略記する）、持玉管理装置１４０、及び会員管理装置１５０において実行される処理について説明する。この実施の形態において、ＣＵ３では、前述したように、当該ＣＵ３に対応した基本単価（乗入れ先エリア）の貯玉数を使用した貯玉再プレイを実行可能である。また、ＣＵ３では、当該ＣＵ３に対応した基本単価（乗入れ先エリア）とは異なる単価（乗入れ元エリア）の貯玉数を使用して、当該ＣＵ３に対応した基本単価（乗入れ先エリア）の遊技媒体を払い出す乗入れを実行可能である。
【０１３０】
ここで、ＣＵ３での乗入れを実行可能とするための乗入れ意思確認に関して、各ＣＵ３において乗入れ意思確認を実行する場合と、各ＣＵ３では乗入れ意思確認を実行せずに他の装置によって乗入れの意思確認を実行する場合と、が想定される。以下の例では、各ＣＵ３で乗入れ意思確認を行わず景品ＰＯＳ端末で乗入れ意思確認を実行する場合の乗入れフローの概要（図１３及び図１４）と、各ＣＵ３で乗入れ意思確認を実行する場合の乗入れフローの概要（図１５及び図１６）とを示している。
【０１３１】
１．乗入れフローの概要
１−１．景品ＰＯＳで乗入れ意思確認する場合の乗入れフロー
図１３及び図１４は、景品ＰＯＳ１７０を使用する場合の乗入れフロー図であり、景品ＰＯＳ端末、ＣＵ３、持玉管理装置１４０、会員管理装置１５０間の処理の流れ及びデータの流れを示している。以下、図１３を参照して、景品ＰＯＳ１７０で乗入れ登録（意思確認）を行い、ＣＵ３と接続した場合のフローについて説明する。
【０１３２】
（景品ＰＯＳで乗入れ意思確認）
まず、Ｓ１００で、景品ＰＯＳ１７０は、会員カードが挿入されたか否かを判断する。会員カードが挿入されたと判断した場合、景品ＰＯＳ１７０は、会員カードに記録されたカードＩＤ及び会員番号情報を読み取り、貯玉数情報の照会及び暗証番号の照会、並びに持玉数情報の照会を行う。
【０１３３】
貯玉数情報の照会及び暗証番号の照会は、景品ＰＯＳ１７０と会員管理装置１５０間の通信によって行われ（図示せず）、景品ＰＯＳ１７０にて受け付けられた会員カードの会員番号に対応付けて会員管理装置１５０で管理されている貯玉数情報及び暗証番号が景品ＰＯＳ１７０に記憶される。ここで、貯玉管理テーブルで管理されているエリア毎の貯玉数と、会員情報管理テーブルで管理されている暗証番号とが記憶されるものとする。
【０１３４】
持玉数情報の照会は、Ｓ１１０で景品ＰＯＳ１７０から持玉管理装置１４０へ問い合わせ信号が送信され、さらにＳ１２０で景品ＰＯＳ１７０にて受け付けられた会員カードのカードＩＤに対応付けて持玉管理装置１４０で管理されている持玉数情報を、景品ＰＯＳ１７０に返信することで行われる。持玉管理装置１４０から送信された持玉数情報は、景品ＰＯＳ１７０に記憶される。ここで、持玉管理テーブルで管理されているエリア毎の持玉数が記憶されるものとする。
【０１３５】
なお、持玉管理装置１４０は、Ｓ１２０において会員管理装置１５０と通信を行い、景品ＰＯＳ１７０にて受け付けられた会員カードの会員番号に対応付けて会員情報管理テーブルで記憶されている使用可否情報が、使用不可と設定されているか否かを確認するようにしており（Ｓ１２０におけるクレームカードの検索）、使用不可と設定されている場合には、景品ＰＯＳ１７０に対して持玉数情報を返信することなく、使用不可の結果を返信し、これを受信した景品ＰＯＳ１７０では、表示装置により使用不可の報知を行う。
【０１３６】
貯玉数情報及び暗証番号、並びに持玉数を受信した景品ＰＯＳ１７０では、Ｓ１３０で表示装置の画面上に暗証番号入力画面が表示される。この暗証番号入力画面において入力された暗証番号と、上記の景品ＰＯＳ１７０に記憶された暗証番号が一致すると、Ｓ１４０で乗入れ選択画面が表示される。乗入れ選択画面には、上記の処理によって得られたエリア毎の貯玉数と持玉数とが表示される。
【０１３７】
ここで遊技者は、エリア毎の貯玉数と持玉数を確認して、遊技を行おうとする遊技機に対応した基本単価の乗入れ先口座（エリア）を選択すると共に、乗入れ元口座（エリア）及び乗入れ元口座（エリア）の使用優先順位を選択し、Ｓ１５０で乗入れ登録を終了する。即ち、Ｓ１５０の乗入れ登録において、読み取られた会員番号を対象として、乗入れを行うか否かの意思確認（乗入れの同意）を行うと共に、乗入れ先口座と乗入れ元口座との関連付けを行い、さらに、乗入れ先口座への乗入れを実行する場合にいずれの乗入れ元口座の貯玉数から優先して使用するかを決定するようにしている。
【０１３８】
例えば、乗入れ先口座としてエリア１（４．００円）を選択した場合に、優先度１の乗入れ元口座としてエリア２（２．００円）を選択し、優先度２の乗入れ元口座としてエリア３を選択することで、遊技を行う遊技機の基本単価（４．００円）に対応した乗入れ先口座の貯玉数及び持玉数がいずれも０となった場合に、まず、優先度１のエリア２を乗入れ元エリアとして、２．００円の貯玉を乗入れに使用可能とし、エリア２の貯玉数が０となった場合には、次いで優先度２のエリア３を乗入れ元エリアとして、１．００円の貯玉を乗入れに使用可能とする。なお、乗入れ先口座（エリア）に関しては、遊技者が選択可能としても良く、遊技場により予め定められている（例えばエリア１（４．００円）に限られる）ようにしても良い。
【０１３９】
なお、Ｓ１５０の乗入れ登録においては、乗入れ先となるカードユニット３において、エリア毎の貯玉数と持玉数とがそれぞれ別個に表示される表示方式、及び、各エリア毎に貯玉数と持玉数とを合算した合算所有数が表示される表示方式、のいずれの表示方式とするかも設定可能である。
【０１４０】
このようにして景品ＰＯＳ１７０にて設定された会員番号毎の乗入れの意思確認情報、乗入れ口座の関連付け情報、持玉数と貯玉数との合算表示／別表示の設定、及び、乗入れ時における払出対象となる乗入れ元口座の優先順位は、乗入れ登録情報として会員管理装置１５０に記憶される。会員管理装置１５０では、ＣＵ３から会員カードの挿入が通知され、当該会員カードの会員番号に対応した乗入れ登録情報が記憶されている場合には、当該乗入れ登録情報に基づいた乗入れを当該ＣＵ３において可能とするための制御（当該ＣＵ３を対象とした乗入れ元口座及び優先順位の設定及び表示方式の設定等）を実行する。
【０１４１】
このように、遊技場側で管理可能であり、遊技者も使用可能な景品ＰＯＳ１７０を用いて乗入れの意思確認を行うことが可能である。遊技場側で管理しており会員情報が記憶されている会員管理装置１５０を遊技者に直接操作させることは不適切であるため、遊技場内に設置され、遊技者が操作可能な遊技用装置である景品ＰＯＳ１７０によって乗入れの意思確認を行うようにしている。
【０１４２】
（貯玉再プレイ）
次に、図１４を参照して、上記のように景品ＰＯＳ１７０で乗入れ登録（意思確認）を行った後、ＣＵ３にて貯玉再プレイを行う場合のフローについて説明する。
【０１４３】
Ｓ１６０で遊技者によってＣＵ３に会員カードが挿入されると（又は会員カードが挿入された状態において暗証番号の入力がされると）、Ｓ１７０でＣＵ３はカード挿入イベント発生処理として、払出可能持玉数の問い合わせ処理、払出可能貯玉数の問い合わせ処理及び暗証番号の問い合わせ処理に移行する。ＣＵ３は、払出可能持玉数の問い合わせ処理により、挿入された会員カードのカードＩＤに対応付けて持玉管理テーブルで管理されている持玉数を取得し、払出可能貯玉数の問い合わせ処理により、挿入された会員カードの会員番号に対応付けて貯玉管理テーブルで管理されている貯玉数を取得し、暗証番号の問い合わせ処理により、挿入された会員カードの会員番号に対応付けて会員情報管理テーブルで管理されている暗証番号を取得するものである。
【０１４４】
ＣＵ３は、Ｓ１８０でカード情報問い合わせを持玉管理装置１４０に送信する。カード情報問い合わせには、会員カードから読み取られたカードＩＤ及び会員番号が含まれる。ＣＵ３からカード情報問い合わせを受信した持玉管理装置１４０は、Ｓ１９０でカード挿入イベントを検知し、さらにＳ２００で会員管理装置１５０に会員番号を含むカード情報問い合わせを送信する。
【０１４５】
会員番号を含むカード情報問い合わせを受信した会員管理装置１５０は、Ｓ２１０で会員番号の照会と暗証番号の照会を行い、会員番号に対応する会員の口座の貯玉数を読み出し、さらにＳ２２０で持玉管理装置１４０にカード情報として送信する。持玉管理装置１４０は、Ｓ２３０で受信した暗証番号及び貯玉数情報と、Ｓ１８０で受信したカード情報問い合わせに含まれるカードＩＤに対応した持玉数情報とを含むカード情報をＣＵ３に転送する。
【０１４６】
ＣＵ３のタッチパネル３１４により遊技者が番号を入力することで、ＣＵ３が会員管理装置１５０から取得した暗証番号と、入力された番号との照合が実行される。暗証番号と入力された番号とが合致すると、貯玉再プレイが実行可能となる。ここで、Ｓ２４０で遊技者がＣＵ３の再プレイボタン３１９を押すと、所定数（例えば、ＣＵ３に予め記憶されている基本払出玉数）の遊技媒体が遊技機から払い出され、Ｓ２５０で持玉管理装置１４０に引き落とし玉数及び会員番号を含む貯玉更新要求が通知される。持玉管理装置１４０は、Ｓ２６０で受信した引き落とし玉数及び会員番号を含む貯玉更新要求を、会員管理装置１５０に転送する。
【０１４７】
会員管理装置１５０に登録された当該会員番号の口座（ここでは当該ＣＵ３で記憶されている基本単価に対応した口座）に貯玉残数が有りの場合（Ｓ２７０）は、Ｓ２８０で貯玉残数から引き落とし玉数が引き落とされ、貯玉残数が更新される。一方、当該会員番号の口座に貯玉残数が無しの場合は、後述するＳ３６０の処理に移行する。
【０１４８】
Ｓ２８０で、当該ＣＵ３の基本単価に対応した口座の貯玉数から払出玉数（引き落とし玉数）が減算されると、Ｓ２９０で、更新後の貯玉残数は、貯玉更新応答として持玉管理装置１４０に送信される。貯玉更新応答を受信した持玉管理装置１４０は、Ｓ３００で受信した貯玉残数を含む貯玉更新応答をＣＵ３に送信する。
【０１４９】
ここで、当該ＣＵ３の基本単価に対応した口座の貯玉数から払出玉数（引き落とし玉数）が減算されることにより、当該口座の貯玉数が０になったものとする。このとき会員管理装置１５０では、当該口座の貯玉数が０となったことに基づいて、景品ＰＯＳ１７０から受信して記憶している乗入れ登録情報に、当該ＣＵ３にて受付中の会員カードの会員番号が記憶されているか否かを確認する。乗入れ登録情報に会員番号が記憶されている場合には、乗入れ状態に移行し、当該口座以外の乗入れ元口座の貯玉数を使用して当該ＣＵ３から遊技媒体を払い出すことを可能とする。
【０１５０】
このとき会員管理装置１５０、持玉管理装置１４０、及びＣＵ３にて実行される処理は、後述する図２１に示すＳ２３００（乗入れの開始を通知）以降の処理と同様である。例えば、ＣＵ３において会員管理装置１５０から指定される乗入れ状態時払出玉数に応じた払出度数に変更可能であると共に、乗入れ状態であることが報知され、乗入れ元エリア単価等が表示される。
【０１５１】
貯玉更新応答を受信したＣＵ３は、Ｓ３１０で貯玉残数（ここでは当該口座の貯玉数である０）を再プレイ可能玉数としてＣＵ３の表示部３１２に表示する。Ｓ３２０で再プレイ可能玉数を確認した遊技者が再プレイボタン３１９を押すと、所定数（例えば、ＣＵ３に記憶されている乗入れ状態時払出玉数）の遊技媒体が払い出され、Ｓ３３０で持玉管理装置１４０に引き落とし玉数及び会員番号を含む貯玉更新要求が通知される。持玉管理装置１４０は、Ｓ３４０で受信した引き落とし玉数及び会員番号を含む貯玉更新要求を、会員管理装置１５０に転送する。
【０１５２】
会員管理装置１５０は、乗入れ状態において当該ＣＵ３で記憶されている基本単価に対応した口座（当該口座）の貯玉残数が０である（Ｓ３５０）ことに基づいて、Ｓ３６０で乗入れ可能玉数を抽出する。即ち、当該ＣＵ３で記憶されている基本単価に対応した口座以外の乗入れ元口座の貯玉数が抽出される。ここで、貯玉数の抽出対象となる乗入れ元口座は、会員管理装置１５０で記憶している当該会員番号の乗入れ登録情報で指定される優先順位に従って決定される。
【０１５３】
そして、決定された乗入れ元口座の貯玉数から、払い出された基本単価の遊技媒体数に相当する引き落とし数が減算され、乗入れ元口座の貯玉数である乗入れ用貯玉残数の更新が行われる。ここで乗入れ元口座の貯玉数から減算される引き落とし数は、［当該ＣＵ３に対応した基本単価×当該ＣＵ３の制御により実際に払い出されたパチンコ玉数÷乗入れ元口座に対応した単価］により算出される。さらにＳ３７０で、更新後の乗入れ用貯玉残数は、貯玉更新応答として持玉管理装置１４０に送信される。
【０１５４】
貯玉更新応答を受信した持玉管理装置１４０は、Ｓ３８０で受信した乗入れ用貯玉残数を含む貯玉更新応答をＣＵ３に送信する。貯玉更新応答を受信したＣＵ３は、Ｓ３９０で、乗入れ元口座の貯玉数を当該ＣＵ３の基本単価に換算した玉数（乗入れ元口座の貯玉数×乗入れ元口座に対応した単価÷当該ＣＵ３に対応した基本単価）を再プレイ可能玉数（当該口座以外の他口座からの乗入れ可能玉数）としてＣＵ３の表示部３１２に表示する。ここで、再プレイ可能玉数として、乗入れ元口座の貯玉数自体を乗入れ元口座に対応した単価（乗入れ元エリア単価）と共に表示するようにしても良い。
【０１５５】
図１３及び図１４の例では、上記の乗入れに使用する貯玉は、Ｓ１００〜１５０の処理で景品ＰＯＳ１７０において乗入れ意思確認及び選択された乗入れ元口座（エリア）の貯玉が対象であり、ＣＵ３では乗入れ意思確認及び乗入れ元口座の選択を行わない構成となっている。そのため、乗入れを行いたい遊技者は、乗入れを行う前にＣＵ３から会員カードを排出し、遊技機から景品ＰＯＳ１７０に移動して、遊技者又は店員によって乗入れに関する操作をする必要がある。
【０１５６】
なお、図１３及び図１４の例では、乗入れを行おうとする遊技者が景品ＰＯＳ１７０にて乗入れの意思確認を行い、その後に実行される乗入れの処理は、景品ＰＯＳ１７０から乗入れ登録情報を取得して記憶している会員管理装置１５０と乗入れ先口座の基本単価に対応したＣＵ３との間で実行されている。一方、以下の図１５及び図１６、並びに図１８以降の例では、乗入れを行おうとする遊技者がＣＵ３にて乗入れの意思確認を行い、その後に実行される乗入れの処理は、乗入れ登録情報を記憶する会員管理装置１５０と乗入れ先口座の基本単価に対応したＣＵ３（乗入れの意思確認が行われたＣＵ３又は台移動後のＣＵ３）との間で実行される。ここで、乗入れの意思確認が行われる遊技用装置は、両者の場合で異なる（前者：景品ＰＯＳ１７０，後者：ＣＵ３）が、乗入れの意思確認後の乗入れに関する処理（後述する図２１の乗入れ開始及び図２２の貯玉再プレイ等）は両者で共通となる。
【０１５７】
１−２．ＣＵで乗入れ意思確認する場合の乗入れフロー
図１５及び図１６は、本発明の実施の形態の概要を説明するための乗入れフロー図であり、ＣＵ３、持玉管理装置１４０、会員管理装置１５０間の処理の流れ及びデータの流れを示している。以下、図１３で説明した景品ＰＯＳ端末１７０ではなく、ＣＵ３で乗入れ登録を行う場合の処理の概要について説明する。なお、ＣＵ３において乗入れ意思確認を行い、乗入れ状態において払出を行う場合に実行される処理の詳細については、さらに図１８〜図２２を用いて後述する。
【０１５８】
（ＣＵで乗入れ意思確認）
以下、図１５を参照して、ＣＵ３で乗入れ登録（意思確認）を行う場合のフローについて説明する。まず、Ｓ５００で遊技者によってＣＵ３に会員カードが挿入された後、会員カード挿入を検知したＣＵ３は、Ｓ５１０でカードイベント発生処理に移行し、前述した払出可能持玉数の問い合わせ処理、払出可能貯玉数の問い合わせ処理及び暗証番号の問い合わせ処理を開始する。
【０１５９】
ＣＵ３は、Ｓ５２０でカード情報問い合わせを持玉管理装置１４０に送信する。カード情報問い合わせには、会員カードから読み取られたカードＩＤ及び会員番号が含まれる。ＣＵ３からカード情報問い合わせを受信した持玉管理装置１４０は、Ｓ５３０でカード挿入イベントを検知し、さらにＳ５４０で会員管理装置１５０に会員番号を含むカード情報問い合わせを送信する。
【０１６０】
会員番号を含むカード情報問い合わせを受信した会員管理装置１５０は、Ｓ５５０で会員番号の照会と暗証番号の照会を行い、会員番号に対応する会員の口座の貯玉数を読み出し、さらにＳ５６０で持玉管理装置１４０にカード情報として送信する。持玉管理装置１４０は、Ｓ５７０で受信した暗証番号及び貯玉数情報と、Ｓ５２０で受信したカード情報問い合わせに含まれるカードＩＤに対応した持玉数情報とを含むカード情報をＣＵ３に転送する（Ｓ５８０）。ここで貯玉数が読み出される口座とは、Ｓ５００において会員カードが挿入されたＣＵ３で記憶される基本単価に対応する口座（エリア）であり、例えば単価４．００円の口座（エリア１）である。
【０１６１】
ＣＵ３のタッチパネル３１４により遊技者が番号を入力することで、ＣＵ３が会員管理装置１５０から取得した暗証番号と、入力された番号との照合が実行される。暗証番号と入力された番号とが合致すると、ＣＵ３は、Ｓ５９０でＣＵ３の表示部３１２に乗入れ選択画面を表示する。さらに遊技者が乗入れ選択画面上の「乗入れ」ボタンを選択することにより乗入れ意思確認が成され、Ｓ６００でＣＵ３から持玉管理装置１４０に、会員番号を含む乗入れ確認通知が送信される。
【０１６２】
続いて、Ｓ６１０で乗入れ確認通知を受信した持玉管理装置１４０は、Ｓ６２０で、会員番号を含む乗入れ可能口座の問い合わせを会員管理装置１５０に送信する。乗入れ可能口座の問い合わせを受信した会員管理装置１５０は、Ｓ６３０で会員管理装置１５０に登録している各口座の乗入れ可否情報（乗入れ許可テーブル）を参照し、Ｓ６４０で各口座の乗入れ可否、受信した会員番号に対応した各口座の乗入れ前払出可能玉数及び乗入れ後払出可能玉数を含む乗入れ可能口座の照会結果を、持玉管理装置１４０に送信する。続いて、持玉管理装置１４０は、上記の乗入れ可能口座の照会結果をＳ６５０でＣＵ３に送信する。
【０１６３】
ＣＵ３は、受信した乗入れ可能口座の照会結果の情報に基づいて、Ｓ６６０でＣＵ３の表示部３１２に当該口座に対する乗入れ可能口座を表示する。この乗入れ可能口座表示画面には、遊技媒体の単価ごとに分類された乗入れ元口座（エリア）名と、乗入れ前払出可能玉数及び乗入れ後払出可能玉数がそれぞれ表示されている。遊技者はＣＵ３画面上で上記の情報を参照して、どの口座（エリア）を乗入れ元口座（エリア）とするかを選択することができる。
【０１６４】
Ｓ６７０で遊技者がＣＵ３画面上で乗入れ元口座を選択すると、Ｓ６８０でＣＵ３画面は乗入れ同意確認画面に移行する。遊技者がＣＵ３画面上で乗入れ同意確認を行うと、Ｓ６９０で、ＣＵ３から持玉管理装置１４０に乗入れ元口座を指定するための情報が送信される。乗入れ元口座を指定する情報を受信した持玉管理装置１４０は、Ｓ７００で遊技者によって選択された乗入れ元口座に記憶されている持玉数を読み出し、Ｓ７２０で持玉の貯玉化要求を会員管理装置１５０に送信する。また、Ｓ７１０で、持玉管理装置１４０は、Ｓ６７０〜Ｓ６８０で遊技者によって選択された乗入れ元口座の番号（例えばエリア１〜１０から選択されるエリア番号）を会員管理装置１５０に通知する。
【０１６５】
会員管理装置１５０は、受信した持玉の貯玉化要求（Ｓ７２０）を元に、Ｓ７３０で乗入れ元口座の持玉を貯玉化し、貯玉数を更新する。即ち、持玉管理テーブルにおける乗入れ元口座（エリアｎ）の持玉数を貯玉管理テーブルにおける乗入れ元口座（エリアｎ）の貯玉数に加算する。また、受信した乗入れ元口座の番号（Ｓ７１０）を元に、Ｓ７４０で乗入れ元口座を決定して、乗入れ意思確認の登録を完了する。このとき、会員管理装置１５０には、受信した会員番号と選択された乗入れ元口座とを含む乗入れ登録情報が記憶されることになる。
【０１６６】
（貯玉再プレイ）
次に、図１６を参照して、上記のＣＵ３での乗入れ登録（意思確認）を行った後、貯玉再プレイを行う場合のフローについて説明する。図１５では、図１３の例と異なり、景品ＰＯＳ１７０等の遊技機から離れた位置に設置された機器ではなくＣＵ３で乗入れ登録を行ったので、遊技者は離席すること無く、またカードを排出して再度挿入する必要も無く、乗入れ登録から貯玉再プレイに移行することができる。
【０１６７】
なお、図１３で示したように景品ＰＯＳ１７０にて乗入れ意思確認を行った後に、ＣＵ３にて図１５に示した乗入れ意思確認を再度行うことにより、会員管理装置１５０に記憶されている乗入れ登録情報の変更を行うようにしても良い。即ち、図１３では乗入れを実行する意思確認を行ったが、図１５では乗入れを実行しない意思登録に変更したり、あるいは、図１３で設定した乗入れ元口座を、図１５で設定した他の乗入れ元口座に変更することが可能である。また、これとは逆に、図１５で示したようにＣＵ３にて乗入れ意思確認を行った後に、景品ＰＯＳ１７０にて図１３に示した乗入れ意思確認を再度行うことにより、会員管理装置１５０に記憶されている乗入れ登録情報の変更を行うようにしても良い。
【０１６８】
Ｓ８００で遊技者がＣＵ３の再プレイボタン３１９を押すと、所定数（例えば、ＣＵ３に予め記憶されている基本払出玉数）の遊技媒体が遊技機から払い出され、Ｓ８１０で持玉管理装置１４０に引き落とし玉数及び会員番号を含む貯玉更新要求が通知される。持玉管理装置１４０は、Ｓ８２０で受信した引き落とし玉数及び会員番号を含む貯玉更新要求を、会員管理装置１５０に転送する。
【０１６９】
会員管理装置１５０に登録された当該会員番号の口座（ここでは当該ＣＵ３で記憶されている基本単価に対応した口座）に貯玉残数が有りの場合（Ｓ８３０）は、Ｓ８４０で貯玉残数から引き落とし玉数が引き落とされ、貯玉残数が更新される。一方、当該会員番号の口座に貯玉残数が無しの場合は、後述するＳ９２０の処理に移行する。
【０１７０】
Ｓ８４０で、当該ＣＵ３の基本単価に対応した口座の貯玉数から払出玉数（引き落とし玉数）が減算されると、Ｓ８５０で、更新後の貯玉残数は、貯玉更新応答として持玉管理装置１４０に送信される。貯玉更新応答を受信した持玉管理装置１４０は、Ｓ８６０で受信した貯玉残数を含む貯玉更新応答をＣＵ３に送信する。
【０１７１】
貯玉更新応答を受信したＣＵ３は、Ｓ８７０で貯玉残数を再プレイ可能玉数としてＣＵ３の表示部３１２に表示する。Ｓ８８０で再プレイ可能玉数を確認した遊技者が再プレイボタン３１９を押すと、所定数（例えば、基本払出玉数以下の貯玉残数）の遊技媒体が遊技機及び計数・端数払出ユニット３４０から払い出され、Ｓ８９０で持玉管理装置１４０に引き落とし玉数及び会員番号を含む貯玉更新要求が通知される。持玉管理装置１４０は、Ｓ９００で受信した引き落とし玉数及び会員番号を含む貯玉更新要求を、会員管理装置１５０に転送する。
【０１７２】
そして、会員管理装置１５０に登録された当該会員番号の口座（ここでは当該ＣＵ３で記憶されている基本単価に対応した口座）の貯玉残数から、指定された引き落とし玉数が減算され、貯玉残数が０に更新されたものとする。そして、会員管理装置１５０に登録された当該会員番号の口座（ここでは当該ＣＵ３で記憶されている基本単価に対応した口座）の貯玉残数が０であることに基づいて（Ｓ９１０）、上記の図１５のフローで選択された乗入れ元口座からの乗入れ状態に移行する。
【０１７３】
乗入れ状態への移行に対応して、Ｓ９２０において、払出度数（払出玉数）は通常用払出度数（ＣＵ３に対応した基本払出玉数に応じた度数）から乗入れ用払出度数（乗入れ状態時払出玉数に応じた度数）に変更可能とされる。ここで、乗入れ状態における１回の貯玉再プレイによって払い出されるパチンコ玉の数である乗入れ状態時払出玉数は、［乗入れ状態時払出玉数×当該ＣＵ３に対応した基本単価÷乗入れ元口座に対応した単価］が整数となるように設定される。
【０１７４】
続いてＳ９４０で、会員管理装置１５０からＣＵ３に持玉管理装置１４０を介して、乗入れ状態への切り替え通知及び乗入れ状態時払出玉数に対応した乗入れ用払出度数への変更指示が送信される。ＣＵ３は、Ｓ９６０で払出度数を乗入れ状態時払出玉数に対応した乗入れ用払出度数に変更し、ＣＵ３画面に乗入れ状態であることを表示する。
【０１７５】
また、乗入れ状態においてＣＵ３で記憶されている基本単価に対応した口座の貯玉残数が０であるときに、再プレイボタン３１９を押すと、乗入れ状態時払出玉数の遊技媒体が遊技機から払い出され、持玉管理装置１４０に引き落とし玉数（乗入れ状態時払出玉数）及び会員番号を含む貯玉更新要求が通知される。持玉管理装置１４０は、受信した引き落とし玉数（乗入れ状態時払出玉数）及び会員番号を含む貯玉更新要求を、会員管理装置１５０に転送する。
【０１７６】
そして、Ｓ９３０で、会員管理装置１５０に登録された当該会員番号の口座（ここでは当該ＣＵ３で記憶されている基本単価に対応した口座）の貯玉残数から、実際に払い出された基本単価の遊技媒体数（引き落とし玉数）に相当する貯玉数が減算され、乗入れ元口座の貯玉数である乗入れ用貯玉残数の更新が行われる。ここで乗入れ元口座の貯玉数から減算される引き落とし数は、［当該ＣＵ３に対応した基本単価×当該ＣＵ３の制御により実際に払い出されたパチンコ玉数÷乗入れ元口座に対応した単価］により算出される。さらに、更新後の乗入れ用貯玉残数は、貯玉更新応答として持玉管理装置１４０に送信される。
【０１７７】
貯玉更新応答を受信した持玉管理装置１４０は、Ｓ９５０で受信した乗入れ用貯玉残数を含む貯玉更新応答をＣＵ３に送信する。貯玉更新応答を受信したＣＵ３は、Ｓ９７０で、乗入れ元口座の貯玉数を当該ＣＵ３の基本単価に換算した玉数（乗入れ元口座の貯玉数×乗入れ元口座に対応した単価÷当該ＣＵ３に対応した基本単価）を再プレイ可能玉数（当該口座以外の他口座からの乗入れ可能玉数）としてＣＵ３の表示部３１２に表示する。このように、表示上は当該ＣＵの基本単価を基準として再プレイが可能な乗入れ玉数として表示される。但し、実際に他口座（乗入れ元口座）から引き落とすタイミングは、会員管理装置１５０が貯玉更新要求コマンドを受信したタイミングとなる。ここで、再プレイ可能玉数として、乗入れ元口座の貯玉数自体を乗入れ元口座に対応した単価（乗入れ元エリア単価）と共に表示するようにしても良い。
【０１７８】
２．ＣＵで乗入れ意思確認、乗入れ開始及び解除のシーケンス
２−１．起動時（初期立上時）の機器接続シーケンス
図１７は、本実施の形態における会員管理装置１５０、持玉管理装置１４０及びＣＵ３の起動時（初期立上時）の動作の流れを示す図である。
【０１７９】
会員管理装置１５０、持玉管理装置１４０及びＣＵ３の起動後、Ｓ１０００で持玉管理装置１４０が会員管理装置１５０にエリア拡張版島コン接続要求を送信する。エリア拡張版島コン接続要求を受信した会員管理装置１５０は、Ｓ１０１０で持玉管理装置１４０に、エリア拡張版島コン接続応答を送信し、さらにＳ１０２０で持玉管理装置状態要求を送信する。
【０１８０】
エリア拡張版島コン接続要求とは、持玉管理装置１４０が起動したことを会員管理装置１５０に通知すると共に起動時におけるオンライン確認要求である。また、エリア拡張版島コン接続応答とは、会員管理装置１５０が起動したことを持玉管理装置１４０に通知すると共に起動時におけるオンライン確認応答である。持玉管理装置状態要求は、持玉管理装置１４０に対して乗入れ対応の可否を確認するためのコマンドである（図４０を参照）。エリア拡張版島コン接続応答と持玉管理装置状態要求を受信した持玉管理装置１４０は、Ｓ１０３０で持玉管理装置状態応答を、会員管理装置１５０に送信する。
【０１８１】
持玉管理装置状態応答とは、会員管理装置１５０に対して乗入れ対応の可否を通知するためのコマンドであり、図４０に示す各項目（Ｎｏ１〜Ｎｏ６）が含まれる。乗入れ対応の可否は、持玉管理装置１４０におけるエリア設定に基づいて決定される。ここで、エリア設定には、通常エリア設定と拡張エリア設定の２種類の設定が存在し、通常エリア設定とは、使用可能な持玉数の口座数（エリア数）が第１所定数（例えばエリア１〜４の４口座）に制限される設定であり、拡張エリア設定とは、使用可能な持玉数の口座数（エリア数）が第１所定数より多い第２所定数（例えばエリア１〜１０の１０口座）となる設定である。乗入れを実行する場合には、持玉管理装置１４０の設定が、拡張エリア設定となっていることが前提となる。即ち、これらエリア設定（通常エリア設定又は拡張エリア設定）に基づく情報が、乗入れ対応可能な持玉管理装置１４０であるか否かを確認可能とするために会員管理装置１５０に対して送信される。
【０１８２】
図４０に示すように、持玉管理装置状態応答（Ｓ１０３０）には、貯玉相互乗入れの対応可否を示す貯玉相互乗入れ状態（Ｎｏ５）が含まれている。この貯玉相互乗入れ状態（Ｎｏ５）において、乗入れ対応可否フラグを、０１：乗入れ対応可、又は、００：乗入れ対応不可、のいずれかに設定することで乗入れ対応の可否を指定可能となっている。会員管理装置１５０は、受信した持玉管理装置状態応答（Ｓ１０３０）の乗入れ対応可否フラグに基づいて、持玉管理装置１４０が乗入れに対応しているか否かを判定する。会員管理装置１５０は、持玉管理装置１４０が乗入れに対応していることを確認した場合には、使用可能な貯玉数の口座数（エリア数）を、拡張エリア設定に対応した第２所定数（例えばエリア１〜１０の１０口座）として、乗入れ用コマンド（ＣＵ設定変更通知２や貯玉持玉乗入れ情報等）を使用可能とする。
【０１８３】
乗入れ対応可否フラグの設定の例としては、上記の拡張エリア設定によって、エリア数が１０に拡張されており、且つ拡張エリア設定以外の事情により乗入れ無効となることが無い場合は、乗入れ対応可と判断して、乗入れ対応可否フラグを０１（対応）とする。一方、エリア数が１０未満の所定数の場合（通常エリア設定の場合）は、乗入れ対応不可（未対応）と判断して、乗入れ対応可否フラグを００（未対応）とする。また、エリア数は１０に拡張されたが、拡張エリア設定以外の事情により乗入れ無効となる場合も、乗入れ対応不可（未対応）として、乗入れ対応可否フラグを００（未対応）とする。
【０１８４】
ここで、乗入れ対応可否フラグが０１（対応）の場合にのみ、後述するＣＵ設定変更通知２に応じてＣＵ３の設定を変更可能となる。乗入れ対応可否フラグが００（未対応）の場合に、後述するＣＵ設定変更通知２が会員管理装置１５０から持玉管理装置１４０に通知された場合は、ＣＵ設定変更応答２で「結果：００以外（乗入れ状態移行不可）」を会員管理装置１５０に返信し、ＣＵ設定変更処理（乗入れ処理）を中止する。なお、以下に説明する実施の形態では、持玉管理装置１４０が乗入れに対応した機器構成となっている場合について説明する。
【０１８５】
２−２．ＣＵでの意思確認（乗入れ開始）
図１８〜図２２は、ＣＵ３で乗入れの意思確認（乗入れ登録）を行い、乗入れを実行する場合の、会員管理装置１５０、持玉管理装置１４０及びＣＵ３間の処理の流れを示す図である。ここで、図１８〜図２２は、図１５及び図１６で既に説明した、ＣＵ３において乗入れの意思確認（乗入れ登録）を行い乗入れを実行する形態を、詳細に示すものである。
【０１８６】
この例では、持玉管理装置１４０において、拡張エリア設定がされており且つ乗入れ対応が可能と設定されている。そして、前述したように、持玉管理装置１４０の持玉管理テーブル（図７）において、単価の異なる持玉を管理するためのエリア１〜１０の口座が設定されており、会員管理装置１５０の貯玉管理テーブル（図１０）においては、持玉管理テーブルのエリア１〜１０各々に対応した単価の異なる貯玉を管理するためのエリア１〜１０の口座が設定されている。
【０１８７】
この例では、持玉管理テーブル及び貯玉管理テーブルにおいて、口座１（エリア１）：４円口座、口座２（エリア２）：２円口座、口座３（エリア３）：１円口座、口座４（エリア４）：２０円口座としている。このうち、口座１〜３（エリア１〜３）はパチンコ機で使用可能な遊技媒体（パチンコ玉）に対応した口座であり、口座４（エリア４）はスロットマシンで使用可能な遊技媒体（メダル）に対応した口座である。
【０１８８】
また、会員管理装置１５０には、会員カードのカードＩＤ及び会員番号に対応付けて会員の所有する貯玉／貯メダル数が記憶されている。また、持玉管理装置１４０には、会員カードのカードＩＤ及び会員番号に対応付けて会員の所有する持玉／持メダル数が記憶されている。持玉／持メダルは遊技場の営業当日のみ使用可能となっている。
【０１８９】
図１８においては、会員管理装置１５０に記憶されている会員所有の貯玉／貯メダル数は、口座１（エリア１）には０、口座２（エリア２）には２０００、口座３（エリア３）には３０００、口座４（エリア４）には４０００となっており、口座５〜１０（エリア５〜１０）はいずれも０である。また、持玉管理装置１４０に記憶されている会員所有の持玉／持メダル数は、口座１（エリア１）には０、口座２（エリア２）には２００、口座３（エリア３）には３００、口座４（エリア４）及び口座５〜１０（エリア５〜１０）はいずれも０である。会員管理装置１５０及び持玉管理装置１４０における口座５〜１０（エリア５〜１０）はいずれも使用可能であるものの、遊技場の運用上使用されていない口座である。会員カード挿入前の初期状態においては、持玉管理装置１４０の発行済み取引通番は０、受信済み通番も０となっている。
【０１９０】
また、ＣＵ３に記憶されている基本単価は４．００円であり、基本払出玉数として１２５が設定されているものとする。即ち、対応する遊技機では単価４．００円の遊技媒体が使用され、払出度数（１２５／２５）は５度数と設定されているものとする。即ち、プリペイド残額を使用する場合（５００円相当）、持玉数を使用する場合（１２５玉相当）、及び、貯玉数を使用する場合（１２５玉相当）のいずれにおいても、単価４．００円の遊技媒体が１２５玉払い出される。
【０１９１】
ここで、ＣＵ３が記憶する基本単価は、持玉管理テーブル及び貯玉管理テーブルにおける口座１（エリア１）に対応しており、非乗入れ状態では、持玉数の更新に伴い、持玉管理テーブルにおける口座１（エリア１）の持玉数が更新され、貯玉数の更新に伴い、貯玉管理テーブルにおける口座１（エリア１）の貯玉数が更新される。このように、ＣＵ３で設定されている基本単価に対応した口座を当該口座と称する場合がある。
【０１９２】
２−２−１．会員カード挿入
以下、ＣＵ３に会員カードが挿入された場合の、会員管理装置１５０、持玉管理装置１４０及びＣＵ３間の処理の流れについて、図１８及び図３２（ａ）を参照して説明する。
【０１９３】
Ｓ２０００で、遊技者がカード残高１０００円の会員カードをＣＵ３に挿入すると、Ｓ２０１０でＣＵ３から持玉管理装置１４０にカード挿入通知が送信される。このカード挿入通知には、ＣＵ３に挿入された会員カードのカードＩＤ（以下ＣＩＤと称する場合がある）及び会員番号が含まれている。
【０１９４】
カード挿入通知を受信した持玉管理装置１４０は、Ｓ２０２０で、カード挿入通知で指定された会員番号を含むカード情報要求を会員管理装置１５０に送信する（Ｓ２０２０）。持玉管理装置１４０の発行済み取引通番は１に更新され、受信済み通番は０のままである。カード情報要求を受信した会員管理装置１５０は、会員カードの使用可否判断を実行し、使用可と判断された場合は、カード情報要求で指定される会員番号に対応付けて記憶している各口座の貯玉数から当該口座（ＣＵ３で記憶する基本単価に対応した口座）である口座１（エリア１）の貯玉数を読み出し、Ｓ２０３０でカード情報応答を持玉管理装置１４０に返信する。このカード情報応答には、会員番号、口座１：再プレイ可能玉数：０、及び、口座１：再プレイ可能度数：０、が含まれている。再プレイ可能玉数とは、当該口座の貯玉数（本例では０）であり、再プレイ可能度数とは、［当該口座１の貯玉数÷一単位数（２５）］により算出される値の整数部分（本例では０）である。
【０１９５】
ここで、会員カードの使用可否判断とは、何ら異常のない会員カードの場合のカード挿入結果ＯＫ（使用可）、その会員カードが会員管理装置１５０に登録されていない等の全く使用できない場合のカード挿入結果ＮＧ（使用不可、カード排出）、その会員カードの持玉数と貯玉数の使用を禁止するカード挿入結果ＮＧ（プリペイド残額のみ使用可）の３種類がある。カード挿入結果ＮＧ（プリペイド残額のみ使用可）となる場合とは、受信した会員番号は登録されているが、他のエラーが発見されてそのカードの持玉数と貯玉数との使用を禁止する必要がある場合である。他のエラーとは、例えば、カードが盗難（または紛失）され、その後そのカードのカードＩＤを失効カードとして登録した場合に、その失効カードとして登録されたカードＩＤと同じカードＩＤがカードユニット３から送信されてきた場合等である。
【０１９６】
カード情報応答を受信した持玉管理装置１４０は、Ｓ２０４０で、カード情報応答で指定された情報（会員番号、口座１：再プレイ可能玉数：０、及び、口座１：再プレイ可能度数：０）を含むカード挿入結果をＣＵ３に送信する。また、図示しないが、ＣＵ３は、受け付けた会員カードのカードＩＤに対応付けて持玉管理装置１４０で記憶されている各口座の持玉数のうち、当該ＣＵ３が記憶している基本単価に対応した口座１（エリア１）の持玉数を取得するものとする。また、図示しないが、ＣＵ３は、受け付けた会員カードのカードＩＤに対応付けて残額管理装置１００で記憶されているプリペイド残額（カード残高）を取得するものとする。
【０１９７】
カード挿入結果を受信したＣＵ３は、遊技者が当該口座である口座１（エリア１）の総玉数を一見して把握できるように、Ｓ２０５０で当該口座１の貯玉数及び持玉数をＣＵ３画面の所定の領域に表示し、会員カード挿入処理を終了する。
【０１９８】
図３２（ａ）は、この場合にタッチパネル式のＣＵ３画面に表示されるメイン画面（通常画面とも言う）であり、プリペイド残額を使用する場合の１回あたりの使用金額（当該ＣＵ３が記憶する基本単価×基本払出玉数により算出される金額）が表示される（「５００円貸出」）と共に、当該ＣＵ３が記憶する基本単価が表示され（「貸玉：１玉４円」）、当該ＣＵ３が記憶するプリペイド残額（受け付けた会員カードから読み取られたプリペイド残額）が表示される（「カード残高」）。また、持玉管理装置１４０から取得した持玉数が表示され（「持玉０玉」）、貯玉管理装置１５０から取得した貯玉数が表示される（「貯玉０玉」）。さらに、メニュー画面へ移行するためのメニューボタンが表示される（「メニュー」）。このように、遊技者は、当該口座の持玉数及び貯玉数を把握することができる。
【０１９９】
２−２−２．乗入れ総玉数確認
口座１（エリア１）の４円口座に他の口座から乗入れを行うために、まず、乗入れ可能な総玉数の確認を行う。以下、乗入れ先口座が口座１（エリア１）の４円口座であり、他の口座を乗入れ元口座とする場合について、図１９、図３２（ａ）、図３２（ｂ）、図３２（ｃ）及び図３２（ｄ）を参照して説明する。
【０２００】
Ｓ２０６０で、遊技者が図３２（ａ）のＣＵ３メイン画面内の「メニュー」ボタンを指でタッチすることにより、図３２（ｂ）に示すＣＵ３メニュー画面が表示される。メニュー画面には、「乗り入れ」、「持玉情報」、「総数確認」、「戻る」等の画面タッチ式の各ボタンが表示される。ここで、例えば遊技者が「戻る」ボタンに指でタッチすると、再び図３２（ａ）のＣＵ３メイン画面を表示することができる。
【０２０１】
ここで、ＣＵ３は、記憶している当該ＣＵ３の基本単価に対応した持玉数及び貯玉数がいずれも０である場合にのみ、表示部３１２に「乗り入れ」ボタンを表示すると良い。
【０２０２】
即ち、図１５及び図１６に示した例（並びに後述する図２７及び図２８に示す例）が、ＣＵ３において当該ＣＵ３に対応した基本単価の貯玉数が残存している状態であっても、乗入れの意思確認（乗入れ登録）は可能である（Ｓ５９０で基本単価の貯玉数によらず乗入れ意思確認を実行して、その後Ｓ８８０で貯玉再プレイが実行されたときに、基本単価の貯玉数が無いことを条件として、Ｓ９３０で乗入れ元口座の貯玉数が減算される））のに対して、この図１８〜図２２の例では、当該ＣＵ３に対応した基本単価の持玉数及び貯玉数が残存していない状態となったときに、乗入れの意思確認（乗入れ登録）が可能となる構成としても良い。
【０２０３】
このような構成とすることで、当該口座の持玉数及び貯玉数によらず乗入れの意思確認（乗入れ登録）を許容することによる遊技用システム１の処理負担を抑制することができる。なお、このような構成とする場合には、ＣＵ３で記憶しているプリペイド残額の有無によらず、乗入れの意思確認（乗入れ登録）を許容するようにしても良く、プリペイド残額が０である場合にのみ、乗入れの意思確認（乗入れ登録）を許容するようにしても良い。
【０２０４】
（乗入れ意思確認）
Ｓ２０７０で、遊技者が図３２（ｂ）のＣＵ３メニュー画面内の「乗入れ」ボタンに指でタッチすることにより、乗入れ意思確認が実施されると、ＣＵ３画面は、図３２（ｃ）の乗入れ処理中画面に移行し、ＣＵ３画面には「しばらくお待ちください」等の文字案内が表示される。また、図１９に示すように、Ｓ２０７０に続いてＳ２０８０で、ＣＵ３から持玉管理装置１４０へ、貯玉持玉乗入れ確認通知が送信される。この貯玉持玉乗入れ確認通知には、図５２に示す各項目（Ｎｏ１〜Ｎｏ４）が含まれ、ＣＵ３にて受付中の会員カードに関する会員番号、カードＩＤ、及びカード種別の情報が含まれている。
【０２０５】
貯玉持玉乗入れ確認通知を受信した持玉管理装置１４０は、Ｓ２０９０で、貯玉持玉乗入れ確認通知で指定されるカードＩＤに対応付けて持玉管理装置１４０で記憶されている各口座（エリア）の持玉数を読み出し、会員管理装置１５０へ貯玉持玉乗入れ確認通知を送信する。この貯玉持玉乗入れ確認通知には、図４５に示す各項目（Ｎｏ１〜Ｎｏ１７）が含まれ、ＣＵ３から受信した貯玉持玉乗入れ確認通知が指定する会員番号、カードＩＤ、及びカード種別、並びに、各エリアの持玉数が含まれている。ここで、各エリアの持玉数は、本実施例においては上記のように、エリア１持玉残数：０、エリア２持玉残数：２００、エリア３持玉残数：３００、エリア４持玉残数：０、・・・エリア１０持玉残数：０、である。
【０２０６】
続いてＳ２１００で、会員管理装置１５０は、貯玉持玉乗入れ確認通知で指定される各エリアの持玉数と、貯玉持玉乗入れ確認通知で指定される会員番号に対応付けて記憶している各エリアの貯玉数に基づいて、各エリアの総玉数（各エリアの持玉数と各エリアの貯玉数の合算値）を計算し、乗入れに使用可能な払出可能玉数として各エリア毎に記憶する。なお、この持玉数と貯玉数との合算処理は、乗入れ可能な玉数をＣＵ３に表示して確認可能とするための計算処理であり、実際に持玉を貯玉に移行（持玉数及び貯玉数を更新）する処理ではない。
【０２０７】
次にＳ２１１０で、会員管理装置１５０は、貯玉持玉乗入れ情報を持玉管理装置１４０へ送信する。図４３は、貯玉持玉乗入れ情報に含まれる各項目（Ｎｏ１〜Ｎｏ５９）の内容を示している。貯玉持玉乗入れ情報には、継続有無（Ｎｏ１）、継続番号（Ｎｏ２）、台番号（Ｎｏ３）、結果（Ｎｏ４）、会員番号（Ｎｏ５）、及びＣＩＤ（Ｎｏ６）、並びに、各ブロック番号（ブロック１〜１０）に対応した項目（Ｎｏ７〜５８）が含まれる。ブロック番号とはＣＵ３の画面内の画面配置の箇所を示すものであり、各ブロック番号に対応した項目は、当該ブロック番号に対応した画面上の表示領域に表示される情報を指定するものである。
【０２０８】
継続有無（Ｎｏ１）は、乗入れエリア情報の電文継続有無を示す項目であり、ブロック数が１０以下の場合には、００：継続無し、と設定され、１１以上の場合には、０１：継続有り、と設定される。貯玉持玉乗入れ情報１回の送信につき１０ブロック分の情報を送信可能であるため、ブロック数が１１以上の場合には、貯玉持玉乗入れ情報が複数回に分けて送信される。継続番号（Ｎｏ２）は、貯玉持玉乗入れ情報の継続回数を示す項目であり、０１から始まり継続順（即ち１０ブロック毎）に１インクリメントするものである。
【０２０９】
ブロック数が１１以上ある場合は、貯玉持玉乗入れ情報に含まれる継続有無フラグ（Ｎｏ１）及び継続番号（Ｎｏ２）の設定を用いて、貯玉持玉乗入れ情報が複数回に渡って送信される。例えば、ブロック数２０である場合には、１回目に送信する貯玉持玉乗入れ情報の継続有無フラグ（Ｎｏ１）を、０１：継続有り、と設定すると共に、継続番号（Ｎｏ２）を、０１、と設定し、２回目に送信する貯玉持玉乗入れ情報の継続有無フラグ（Ｎｏ１）を、００：継続無し、と設定すると共に、継続番号（Ｎｏ２）を、０２、と設定する。図１９の例では、ブロック数は１０であるので、継続有無フラグは００（継続無し）と設定され、継続番号は０１に設定されている。
【０２１０】
台番号（Ｎｏ３）は、受信した貯玉持玉乗入れ確認通知で指定された台番号である。結果（Ｎｏ４）は、乗入れ可能口座の問い合わせ結果であり、乗入れ元口座として選択可能な口座が存在する場合には、００：許可（乗入れ可能）と設定され、乗入れ元口座として選択可能な口座が存在しない場合には、００以外：禁止（乗入れ不可）と設定される。会員番号（Ｎｏ５）は、乗入れの対象となる会員番号であり、持玉管理装置１４０から受信した貯玉持玉乗入れ確認通知（Ｓ２０９０）で指定された会員番号である。
【０２１１】
ＣＩＤ（Ｎｏ６）は、対象となるカードＩＤ又は電子マネー端末の端末識別番号である。受信した貯玉乗入れ確認通知が指定するカード種別に基づいて、カード種別０１〜０４の場合［０１：一般カード（ビジターカード），０２：会員カード，０３：一般ダミーカード（テスト用のビジターカード），０４：会員ダミーカード（テスト用の会員カード）］には、上記のＣＩＤとしてＣＵ３にて受け付けられたビジターカード又は会員カードのカードＩＤが設定され、カード種別０５の場合［０５：電子マネー端末（電子マネー用カードを含む）］は、受け付けた電子マネー端末（電子マネー用カードを含む）を識別可能な端末識別番号（電子マネー用カードのカードＩＤを含む）が設定される。本例では、ＣＵ３にて会員カードを受け付ける例としているため、ＣＩＤは会員カードから読み取られたカードＩＤとなる。
【０２１２】
各ブロック番号に対応した項目として、乗入れ可能エリア番号、表示方法、玉／メダル単価、乗入れ前払出可能玉数、及び乗入れ後払出可能玉数が含まれる。ブロック番号とは、図３２（ｄ）及び図４４に示すように、ＣＵ３の表示部３１２における画面内の情報表示位置を示しており、画面の上から下に向かってブロック番号順に、当該ブロック番号に対応した項目の情報が表示される。一のブロックは一の乗入れ元口座（エリア）に関する情報の表示に使用され、ブロック番号とエリア番号の対応は、会員管理装置１５０で管理されている。
【０２１３】
ここで、乗入れ可能エリア番号（Ｎｏ７、…、Ｎｏ５３）は、貯玉管理テーブルで管理されるエリアのうち、乗入れ元口座として選択可能なエリアのエリア番号である。この例では、乗入れ先エリア（当該ＣＵ３の基本単価に対応したエリア）がエリア１（４．００円）となっているため、乗入れ可能エリア番号として設定されない。また、この実施の形態では、遊技媒体の種別が異なる口座については、乗入れを禁止するようにしているため、パチンコ機で使用される遊技媒体（パチンコ玉）に対応した貯玉口座からスロットマシンで使用される遊技媒体（メダル）に対応した貯メダル口座への乗入れ、及び、貯メダル口座から貯玉口座への乗入れは、いずれも不許可となる。そのため、貯メダル口座であるエリア４（２０．００円）も、乗入れ可能エリア番号として設定されない。即ち、貯玉持玉乗入れ情報では、異なる種別の遊技媒体（パチンコ玉とメダル）に対応した口座のブロックは混在しないようになっている。従って、本例では、ブロック番号順（１及び２）に、エリア１及び４を除いたエリア番号（２及び３）が、乗入れ可能エリア番号として設定される。
【０２１４】
このように、会員管理装置１５０において、乗入れ元口座とすることができないエリアに対応した情報（ブロック）をＣＵ３の表示対象から除外しておくことにより、ＣＵ３において乗入れ元口座としての表示対象であるか否かの判定を不要とし、遊技者が乗入れ元口座として選択可能であると誤解することを防止するようにしている。
【０２１５】
表示方法（Ｎｏ８、…、Ｎｏ５４）は、当該ブロックの乗入れ可能エリア番号に対応した乗入れ元口座の選択可否を示す（００：選択可能，０１：画面表示するが選択は不可）項目であり、後述する図３３（ａ）において、当該ブロックを、乗入れ元エリアとして選択可能とするか、又は、画面表示するが選択は不可とするか、を設定するものである。前述したように、乗入れ先エリアや貯メダル口座を乗入れ元口座とすることは禁止されているため、これらのエリアに対応したブロックは送信されない。しかしながら、遊技者にとっては乗入れ元口座として選択することはできないものの、他の口座の貯玉数を確認したいケースもあるため、表示方法により、乗入れ元エリアとして選択可能とするか（００）、又は、乗入れ元エリアとして選択することは不可であるが当該エリアの貯玉数を表示するか（０１）を設定可能としている。本例では、ブロック１及び２のいずれも００（選択可能）と設定されている。
【０２１６】
玉／メダル単価（Ｎｏ９、…、Ｎｏ５５）は、乗入れ元エリアの貯玉数を使用する場合における払出玉数と貸出金額との関係を示す項目であり、先頭４Ｂｙｔｅには払出玉数が設定され、後方４Ｂｙｔｅには貸出金額が設定される。本実施の形態では、乗入れ元エリアの貯玉の単価（例えば、１玉２円コーナー、１玉１円コーナー等）を表示するためのデータである。本例では、各ブロックの乗入れ可能エリア番号と各ブロックの玉／メダル単価は、具体的には以下のように対応している。図１９のＳ２１１０で会員管理装置１５０から送信される「ブロック１乗入れ可能エリア番号：０２」及び「ブロック１玉単価：１玉２円」は、ブロック１がエリア２（２円口座）の情報を表示することを示している。同様に、「ブロック２乗入れ可能エリア番号：０３」及び「ブロック１玉単価：１玉１円」は、ブロック２がエリア３（１円口座）の情報を表示することを示している。
【０２１７】
乗入れ前払出可能玉数（Ｎｏ１０、…、Ｎｏ５６）は、乗入れ元口座からの引き出しが可能な玉数を示す項目であり、本例では、乗入れ可能エリア番号に対応した口座の総玉数（貯玉数と持玉数との合算値）が設定される。乗入れ後払出玉数（Ｎｏ１１、…、Ｎｏ５７）は、乗入れ元口座から乗入れ先口座へ乗入れが可能な玉数であり、本例では、乗入れ可能エリア番号に対応した口座の総玉数（乗入れ元エリア単価の総玉数）を、乗入れ先エリア単価の玉数に換算した玉数（乗入れ元エリア単価×当該乗入れ元エリアの総玉数÷乗入れ先エリア単価）が設定される。
【０２１８】
図１９のＳ２１１０で会員管理装置１５０から送信される「ブロック１乗入れ前払出可能玉数：２２００」は、エリア２の持玉数：２００と、エリア２の貯玉数：２０００を合算したもの（持玉を貯玉に移行する場合の更新後の貯玉数）であり、エリア２の２円口座から乗入れに使用可能となる総玉数である。「ブロック１乗入れ後払出可能玉数：１１００」は、エリア２の２円口座からエリア１の４円口座に乗入れ可能な玉数（エリア２の総玉数をエリア１の玉数に換算した玉数）であり、２２００玉×（２円÷４円）＝１１００玉として算出された玉数である。
【０２１９】
同様に、図１９のＳ２１１０における「ブロック２乗入れ前払出可能玉数：３３００」は、エリア３の持玉数：３００と、エリア３の貯玉数：３０００を合算したもの（持玉を貯玉に移行する場合の更新後の貯玉数）であり、エリア３の１円口座から乗入れに使用可能となる総玉数である。「ブロック２乗入れ後払出可能玉数：８２５」は、エリア３の１円口座からエリア１の４円口座に乗入れ可能な玉数（エリア３の総玉数をエリア１の玉数に換算した玉数）であり、３３００玉×（１円÷４円）＝８２５玉として算出された玉数である。
【０２２０】
上記乗入れ可能エリア番号として何れのエリア番号を設定するか、即ち、ＣＵ３に表示させる乗入れ元口座に対応したブロックの設定は、会員管理装置１５０が、図１１（ａ）の乗入れ許可テーブルに基づいて実行する。図１１（ａ）に示すように、エリア１（乗入れ元エリア単価：４．００円）は、エリア２（２．００円）及びエリア３（１．００円）には乗入れが許可されているが、エリア４（２０．００円）への乗入れは不許可である。同様に、エリア２はエリア１及びエリア３には乗入れ許可されているがエリア４は不許可であり、エリア３はエリア１及びエリア２には乗入れ許可されているがエリア４は不許可である。
【０２２１】
本実施の形態では、乗入れはパチンコ機で使用可能な遊技媒体（パチンコ玉）に対応した口座間で行われる場合のみ許可され、パチンコ機で使用可能な遊技媒体（パチンコ玉）に対応した口座（エリア１〜３）からスロットマシンで使用可能な遊技媒体（メダル）に対応した口座（エリア４）への乗入れ、あるいはその逆（エリア４からエリア１〜３）の乗入れは禁止されている。なお、図１１（ａ）に示した乗入れ許可テーブルの設定内容、即ち、乗入れを許可する場合の乗入れ元エリアと乗入れ先エリアの組み合わせは、会員管理装置１５０の入力装置１５６により変更可能となっている。
【０２２２】
この例では、ＣＵ３に対応したエリア１が乗入れ先エリアとなるため、当該乗入れ先エリアに対して許容される乗入れ元エリアはエリア２（２円口座）及び３（１円口座）となる。そのため、ブロック１の乗入れ可能エリア番号は０２、ブロック２の乗入れ可能エリア番号は０３に設定される。ここで、前述したように、乗入れ先エリア（本例では４円エリア）を乗入れ元エリアとすることはできないため、当該乗入れ先エリア（４円エリア）に対応するブロックは存在しない。また、ＣＵ３がパチンコ機２に対応したものであることにより、貯メダル口座は乗入れ元エリアから除外されるため、当該貯メダル口座（エリア４）に対応するブロックは存在しない。
【０２２３】
また、前述したように、各ブロックの表示方法は、後述する図３３（ａ）の乗入れ元選択画面において、遊技者が各ブロックの乗入れＯＮ／ＯＦＦ選択を可能とするか否かを指定する項目であり、図４３に示すように、各ブロック毎に、表示方法：００（選択可）、０１（画面表示するが選択は不可）の何れかが、会員管理装置１５０によって指定される。この実施の形態では、乗入れ元可能エリア番号が設定されたブロックについては、全て表示方法：００（選択可）が設定されるものとしている。図１９に示す例では、エリア２（２円口座）に対応したブロック１について、表示方法：００（エリア２は乗入れ元として選択可）と設定し、エリア３（１円口座）に対応したブロック２について、表示方法：００（エリア３は乗入れ元として選択可）と設定している。
【０２２４】
なお、パチンコ機で使用される遊技媒体（パチンコ玉）に対応した口座（同じ種別の遊技媒体に対応した口座）ではあるものの、乗入れ元口座として選択することができない口座（例えば０．５円口座であるエリア５とする）が存在する場合に、当該口座の貯玉数をＣＵ３に表示させる（但し、乗入れ元口座とすることは不可とする）ために、ブロック３を、乗入れ可能エリア番号：０５（０．５円口座）と設定し、表示方法：０１（エリア５は乗入れ元として選択不可）と設定すると良い。
【０２２５】
ＣＵ３は、受信した上記ブロックの表示方法の通知内容を元に、２−２−３．乗入れ意思表示で説明する図３３（ａ）の乗入れ元選択画面において、遊技者がブロックごとに乗入れＯＮ／ＯＦＦ切替を行うことができる機能を有している。ここで、ブロック１及び２は上記のように「表示方法：００」と通知されたので、遊技者によって乗入れＯＮ／ＯＦＦ切替可能となる。一方、ブロック３は上記のように「表示方法：０１」と通知されたため、乗入れＯＮ／ＯＦＦ切り替え不可（初期状態ＯＦＦから切り替えボタンにタッチしてもＯＮに切り替え不可）に設定される。
【０２２６】
なお、いずれのエリアからの乗入れも許可されていない場合（例えば、図１１において乗入れ先エリアがエリア４となる場合）には、貯玉持玉乗入れ情報の乗入れ可能口座の問い合わせ結果（Ｎｏ４）を００以外：禁止（乗入れ不可）と設定すると良い。この場合には、貯玉持玉乗入れ情報を受信したＣＵ３において、乗入れの意思確認（乗入れ登録）が実行されず、その旨の報知が行われる。
【０２２７】
続いてＳ２１２０で、持玉管理装置１４０は、会員管理装置１５０から受信した貯玉持玉乗入れ情報により指定される情報を含む貯玉持玉乗入れ情報（図４８を参照）をＣＵ３へ送信する。Ｓ２１２０で持玉管理装置１４０から送信された貯玉持玉乗入れ情報を受信したＣＵ３は、各口座（エリア）ごとの乗入れ前払出可能玉数及び乗入れ後払出可能玉数をＣＵ３画面の所定の領域に表示する（図３２（ｄ）参照）。これにより、遊技者は、当該口座以外の他の口座の持玉を貯玉に移行した場合の更新後の貯玉数と、その更新後の貯玉数を使用して当該ＣＵ３に対応した基本単価の遊技媒体を払い出す場合の、払出可能玉数とを把握可能となる。
【０２２８】
図３２（ｄ）及び図４４に示すように、ＣＵ３の乗入れ数確認画面のブロック１には、エリア２に対応した情報として、１玉２円コーナーの乗入れ前払出可能玉数２２００玉及び乗入れ後払出可能玉数１１００玉が表示され、ブロック２には、エリア３に対応した情報として、１玉１円コーナーの乗入れ前払出可能玉数３３００玉及び乗入れ後払出可能玉数８２５玉が表示されている。なお、図３２（ｄ）には、ブロック１とブロック２のみが表示されているが、ブロック３以降を表示させたい場合は、画面内のスクロールボタンを指でタッチして、画面をスクロールすればよい。
【０２２９】
このように、ＣＵ３は、会員管理装置１５０にて設定されたブロック毎の表示情報に基づいて表示部３１２への表示制御を実行することにより、ＣＵ３自体が表示方式及び表示内容を設定する場合と比較して、ＣＵ３における表示制御を簡素化し、ＣＵ３の制御負担を軽減することができる。
【０２３０】
なお、この実施の形態では、ＣＵ３において乗入れ元口座（エリア）毎に乗入れ後払出可能玉数を表示するようにしているが、このような形態に限らず、各乗入れ元口座に対応した乗入れ後払出可能玉数を合算した乗入れ後合計払出可能玉数を表示するようにしても良い。本例では、エリア２に対応した乗入れ後払出可能玉数である１１００と、エリア３に対応した乗入れ後払出可能玉数である８２５とを合算した乗入れ後合計払出可能玉数である１９２５を表示するようにすると良い（例えば、［エリア２（１１００玉）＋エリア３（８２５玉）＝１９２５玉と表示する）。これによれば、複数の口座の乗入れ前払出可能玉数を全て使用する場合における、当該ＣＵ３での払出可能玉数を把握することができる。
【０２３１】
このような形態とする場合は、１回の貯玉再プレイにおいて、選択されている複数の乗入れ元口座の貯玉数から引き落とし数を減算可能とすると良い。例えば、乗入れ先エリアがエリア１（４円）であり、優先度１の乗入れ元エリアとして選択されたエリア２（２円）の貯玉数が３００玉であり、優先度２の乗入れ元エリアとして選択されたエリア３（１円）の貯玉数が１０００玉である場合に、１回目の貯玉再プレイにおいて単価４円の遊技媒体を２００玉払い出すことに基づいて、エリア２の貯玉数から３００を減算すると共にエリア３の貯玉数から２００玉を減算し［（３００玉×２円÷４円）＋（２００玉×１円÷４円）＝２００玉］、２回目の貯玉再プレイにおいて単価４円の遊技媒体を２００玉払い出すことに基づいて、エリア３の貯玉数から８００玉を減算する［８００玉×１円÷４円＝２００玉］ことにより、表示されている乗入れ後合計払出可能玉数である４００玉［エリア２（１５０玉）＋エリア３（２５０玉）＝４００玉］を、表示した通り全数使用可能となる。
【０２３２】
なお、図３２（ｄ）でＣＵ３画面上に表示される乗入れ前払出可能玉数及び乗入れ後払出可能玉数は、Ｓ２１００において会員管理装置が１５０がＣＵ３画面に表示するために計算した数値であり、実際に各口座の持玉数及び貯玉数が更新されるわけではない。
【０２３３】
次に、Ｓ２１３０で、ＣＵ３は、当該ＣＵ３の台番号（装置ＩＤ）及び会員番号を含む貯玉持玉乗入れ情報ＲＥＳを持玉管理装置１４０に送信する（図５２参照）。続いて、これを受信した持玉管理装置１４０は、Ｓ２１４０で台番号及び会員番号を含む貯玉持玉乗入れ情報ＲＥＳを会員管理装置１５０に送信する（図４５参照）。ブロック数が１０以下の場合は、Ｓ２１４０の貯玉持玉乗入れ情報ＲＥＳを会員管理装置１５０が受信して、２−２−２．乗り入れ総玉数確認処理を終了する。ブロック数が１１以上だった場合（継続有無フラグが０１で継続有りだった場合）は、図１９に示すように、Ｓ２１４０の貯玉持玉乗入れ情報ＲＥＳを会員管理装置１５０が受信後、Ｓ２１５０で再度Ｓ２１１０に戻り、継続番号：０２としてブロック１１〜２０について上記ブロック１〜１０と同じ処理を行う。
【０２３４】
２−２−３．乗入れ意思表示
以下、口座２（エリア２）の２円口座を乗入れ元として選択し、口座１（エリア１）の４円口座に乗入れを行う例を説明する。まず、ＣＵ３画面である図３３（ａ）〜図３３（ｄ）を参照して、乗入れ意思表示処理における遊技者の操作の流れについて説明する。
【０２３５】
乗入れ元口座を選択するために、遊技者は図３２（ｄ）のＣＵ３画面中の「選択」ボタンを指でタッチして、図３３（ａ）のＣＵ３乗入れ元選択画面を表示させる。図３３（ａ）のＣＵ３乗入れ元選択画面においては、画面内のブロックごとに表示された「乗入ＯＮ／ＯＦＦ」ボタンを遊技者が指でタッチすることによって、ブロックごと（エリアごと）に乗入れ元の選択（ＯＮ）／非選択（ＯＦＦ）を切り替えることが可能となっている。
【０２３６】
図３３（ａ）のブロック１の「乗入ＯＮ／ＯＦＦ」ボタンを遊技者が指でタッチすると、乗入の表示がＯＦＦからＯＮに切り替わる。再度タッチすると、ＯＮからＯＦＦに切り替えることができる。ここで、図３３（ａ）のスクロールボタンにタッチしてブロック３を表示させ、ブロック３の「乗入ＯＮ／ＯＦＦ」ボタンにタッチしても、乗入れはＯＦＦのままでＯＮに切り替えることはできない。これは、２−２−２．乗り入れ総玉数確認で説明したように、Ｓ２１１０で「ブロック３表示方法：０１（エリア５は乗入れ元として選択不可）」と設定したためである。
【０２３７】
図３３（ａ）でブロック１のみが乗入ＯＮとなった状態で、図３３（ａ）の画面内の「決定」ボタンにタッチすると、図３３（ｂ）のＣＵ３乗入れ実行確認画面が表示され、画面には「乗入れを設定しますか？」という文字案内が表示される。図３３（ｂ）の実行確認画面中の「戻る」ボタンをタッチすると、図３３（ａ）の乗入れ元選択画面に戻ることができる。「ＯＫ」ボタンをタッチすると、乗入れ元口座：エリア２（２円口座）の選択が確定し、図３３（ｂ）は図３３（ｃ）のＣＵ３乗入れ処理中画面に移行し、乗入れ処理が完了するまでの期間中は、ＣＵ３画面には「しばらくお待ちください」等の文字案内が表示される。
【０２３８】
このように、当該口座以外の口座（エリア）毎に、その口座の貯玉数を乗入れに使用するか否かを選択可能であり（即ち乗入れ元エリアを設定可能であり）、遊技者の利便性を向上させることができる。例えば、遊技者の選択により、使用頻度が低いエリアの貯玉数から優先的に使用することも可能となる。
【０２３９】
次に、図２０を参照して、乗入れ意思表示処理における会員管理装置１５０、持玉管理装置１４０、ＣＵ３間の処理の流れについて説明する。
【０２４０】
上記のように、図３３（ａ）で乗入れ元口座としてエリア２（２円口座）が選択された状態で、図３３（ｂ）のＣＵ３乗入れ実行確認画面中の「ＯＫ」ボタンを遊技者がタッチすると、乗入れ元口座：エリア２（２円口座）の選択が決定される。この図３３（ｂ）のの操作は、図２０のＳ２２００に相当している。
【０２４１】
Ｓ２２００の乗入れ元口座選択に続いて、Ｓ２２１０で、ＣＵ３から貯玉持玉乗入れ意思確認要求が持玉管理装置１４０に送信される。この貯玉持玉乗入れ意思確認要求には、継続有無：００（終了）、継続番号：０１、カードＩＤ、カード種別、乗入れ先指定エリア種別：０１（乗入れ先は４円口座なので０１）１ブロック目乗入れ元指定エリア種別：０２（乗入れ元は２円口座なので０２）、１ブロック目要求区分：０１（意思登録）〜１０ブロック目乗入れ元指定エリア種別：００、１０ブロック目要求区分：００、の情報が含まれている（図５３参照）。ここで、図５３に示すように、乗入れ元として遊技者が選択したブロックの要求区分は０１（乗入れ意思の登録）となり、乗入れ元として遊技者が選択しなかったブロックの要求区分は００（乗入れ意思の解除）となる。
【０２４２】
貯玉持玉乗入れ意思確認要求を受信した持玉管理装置１４０は、Ｓ２２２０で、貯玉持玉乗入れ意思確認要求で指定されるカードＩＤに対応付けて記憶している各口座の持玉数のうち、貯玉持玉乗入れ意思確認要求で指定される乗入れ元口座（要求区分が０１（乗入れ意思の登録）のブロックに対応したエリア）の持玉数を抽出し、その持玉数が０でない場合は、乗入れ元口座の持玉を貯玉に移行する処理を実施するために、会員管理装置１５０へ個別持玉転送通知を送信する。
【０２４３】
この個別持玉転送通知には、台番号（当該ＣＵ３の台番号０００１）、会員番号、ＣＩＤ、カード種別、エリア１持玉加算玉数：０、エリア２持玉加算玉数：２００、エリア３持玉加算玉数：０、〜エリア１０持玉加算玉数、の情報が含まれている（図４１参照）。すなわち、Ｓ２２００で乗入れ元口座として選択されたエリア２（２円口座）の持玉２００は、エリア２持玉加算玉数：２００として、持玉管理装置１４０から会員管理装置１５０へ送信される。一方、Ｓ２２００で乗入れ元口座として選択されていないエリア３（１円口座）の持玉３００は、Ｓ２２２０では、「要求区分が０１（乗入れ意思の登録）のブロックに対応したエリアの持玉」には該当しないため、エリア３持玉加算玉数は０とセットされている。
【０２４４】
会員管理装置１５０は、受信した個別持玉転送通知で指定される会員番号に対応付けて貯玉管理テーブルで記憶されている各エリアの貯玉数に、貯玉持玉転送通知で指定される各エリアの持玉数を加算し、各エリアの貯玉数を更新する。これにより、実際に管理されている貯玉数が更新されることになる。即ち、乗入れ元に選択された口座（エリア）の貯玉数と持玉素を合算し、貯玉数を更新する。この例では、口座２（エリア２）の貯玉数は、２０００（貯玉）＋２００（持玉からの移行分）＝２２００となる。乗入れ元として選択されていない口座２（エリア２）以外の口座（エリア）の貯玉数に変更は無い。
【０２４５】
なお、会員管理装置１５０で管理されている各エリアの貯玉数に各エリアの持玉数が加算されるタイミングは、乗入れの意思確認登録が行われるときに限らず、例えば、乗入れ状態において貯玉再プレイが実行されて、乗入れ先エリア単価の遊技媒体の払出が行われるときに、乗入れ元エリアの貯玉数に当該乗入れ元エリアの持玉数が加算されるようにして、該加算更新後の貯玉数から、［払出玉数×乗入れ先エリア単価÷乗入れ元エリア単価］の引き落とし数が減算されるようにしても良い。
【０２４６】
続けて、Ｓ２２３０で、会員管理装置１５０から持玉管理装置１４０へ、個別持玉転送応答が送信される。個別持玉転送応答は、持玉の移行と貯玉との合算が完了したことを示す結果：００（貯玉成功）と、台番号：０００１を含む情報である（図４１参照）。
【０２４７】
なお、遊技者によって選択された乗入れ元口座に持玉が無い場合は、Ｓ２２２０及びＳ２２３０の処理は発生せず、Ｓ２２１０から以下に説明するＳ２２４０の処理に移行する。また、Ｓ２２００で複数のエリアが乗入れ元口座として選択されていた場合は、会員管理装置１５０は選択エリア全てについて、エリアごとに持玉と貯玉の合算を行う。
【０２４８】
次に、会員管理装置１５０に乗入れ意思確認を登録するために、Ｓ２２４０で持玉管理装置１４０から会員管理装置１５０へ、貯玉持玉乗入れ意思確認要求が送信される。この貯玉持玉乗入れ意思確認要求には、台番号（当該ＣＵ３の台番号０００１）、継続有無：００（終了）、継続番号：０１、カードＩＤ、カード種別、乗入れ先指定エリア種別：０１（乗入れ先は４円口座なので０１）、１ブロック目乗入れ元指定エリア種別：０２（乗入れ元は２円口座なので０２）、１ブロック目要求区分：０１（意思登録）〜１０ブロック目乗入れ元指定エリア種別：００、１０ブロック目要求区分：００、の情報が含まれている（図４６参照）。
【０２４９】
会員管理装置１５０では、Ｓ２２４０で受信した貯玉持玉乗入れ意思確認要求の内容を乗入れ登録情報として記憶しておくものとする。即ち、乗入れ登録情報として、乗入れの意思確認の対象となった会員カードの会員番号に対応付けて、乗入れの意思確認が行われたＣＵ３の台番号と、選択された乗入れ元エリアとが記憶されるものである。このように、会員管理装置１５０側で乗入れ登録情報を記憶しておくことにより、他のＣＵ３に当該会員カードが挿入されたときに、改めてそのＣＵ３で乗入れの意思確認を行う必要がなくなり、遊技者の利便性を向上させることができる。
【０２５０】
ここで、乗入れ登録情報（貯玉持玉乗入れ意思確認要求）の記憶期間は、当該営業日のみに限られるものとする。即ち、営業終了時刻経過後に会員管理装置１５０で実行される締め処理において、乗入れ登録情報は消去される。これにより、会員カードを所有する遊技者は、翌日以降の遊技に際して、改めて乗入れの意思確認を行うことになる。これにより、翌日以降の遊技に際して、遊技者に乗入れの意思がないにも関わらず既に記憶されている乗入れ登録情報に基づいて乗入れの意思確認を要することなく乗入れが可能となってしまうことによる遊技者の不都合を回避することができる。
【０２５１】
なお、乗入れ登録情報（貯玉持玉乗入れ意思確認要求）の記憶期間は、営業日当日に限られるものではなく、所定時間内（例えば４時間以内）とするようにしても良く、複数営業日（例えば１週間）に渡って記憶するようにしても良い。また、会員管理装置１５０において、乗入れ登録情報を時間経過に応じて消去しないようにしても良く、選択された全ての乗入れ元エリアを対象とした乗入れ解除操作が受け付けられるまで（例えば、Ｓ３０２０で受信する貯玉持玉乗入れ意思確認要求で全てのブロックの要求区分が００（意思解除）であることが確認されるまで）継続して記憶するようにしても良い。
【０２５２】
次に、Ｓ２２５０で会員管理装置１５０から持玉管理装置１４０へ、台番号（当該ＣＵ３の台番号０００１）及び「結果：００（登録完了）」情報を含む貯玉持玉乗入れ意思確認結果が送信され（図４５参照）、続けて、Ｓ２２６０で持玉管理装置１４０からＣＵ３へ、「結果：００（登録完了）」情報を含む貯玉持玉乗入れ意思確認結果が送信される（図４９参照）。
【０２５３】
この貯玉持玉乗入れ意思確認結果を受信したＣＵ３は、Ｓ２２７０で「乗入れの意思確認登録を完了する。ＣＵ３画面は、図３３（ｃ）の乗入れ処理中から図３３（ｄ）の乗入れ登録完了の画面に移行し、ＣＵ３画面上には「乗入れの登録が完了しました」等の文字案内が表示される。ブロックが１１以上ある場合は、Ｓ２２８０でＳ２２１０の処理に戻り、ブロック１１〜２０についてブロック１〜１０と同じ処理を繰り返す。
【０２５４】
なお、前述した実施の形態では、乗入れ元として複数エリアの選択／非選択を、遊技者がＣＵ３画面上のボタン操作によって決定するとして説明したが、エリア選択の方法はこれに限られるものではない。例えば、図５１に示すように、貯玉持玉相互乗入れ同意選択機能として、予め単一エリア選択のみ可能（００）、複数選択可能（０１）、一括して全エリア選択のみ可能（０２）と設定できる機能を有するようにしてもよい。上記設定は、遊技場側が、遊技島毎や遊技機に対応したＣＵ３毎に行うようにしてもよい。
【０２５５】
このようにすることにより、会員管理装置１５０、持玉管理装置１４０及びＣＵ３のシステム上の負荷を減らすと共に、遊技者の乗入れ操作が煩雑になるのを避けることができる。
【０２５６】
２−２−４．乗入れ開始 
会員管理装置１５０は、２−２−３．乗入れ意思表示の処理を完了した後、図２１に示す乗入れ開始の通知処理に自動的に移行する。乗入れ開始の通知処理に移行するタイミングは、例えば、図２０の乗入れの意思確認登録を完了（Ｓ２２７０）した後、または、会員管理装置１５０が乗入れ意思確認を登録（Ｓ２２５０）後、所定の時間が経過した後等とすればよい。
【０２５７】
会員管理装置１５０は、Ｓ２３００で乗入れ開始の通知処理に移行すると、乗入れ登録情報として記憶している各ブロックの乗入れ元指定エリア種別及び要求区分に基づいて、持玉管理装置１４０に送信するＣＵ設定変更通知２を設定する（図４２参照）。ＣＵ設定変更通知２において、記憶している乗入れ登録情報（Ｓ２２４０参照）の台番号（本例では０００１）及び会員番号を設定し、乗入れ状態指示：０１（開始）と設定し、後述する計算処理により決定された乗入れ状態時払出玉数（本例では２００）を設定し、記憶している乗入れ登録情報において要求区分が０１（意思登録）に設定されているブロックの乗入れ元指定エリア種別に基づいて、乗入れ元エリア種別（本例では０２）を設定し、当該乗入れ元エリア種別に対応した基本単価に基づいて、乗入れ元エリア単価（１玉２円）を設定する。
【０２５８】
ここで、複数の乗入れ元エリアが選択されていることに伴い、Ｓ２２４０の貯玉持玉乗入れ意思確認要求において、複数のブロックの要求区分が０１（意思登録）となっている場合がある。この場合には、会員管理装置１５０は、予め定められた優先順位に基づいて、Ｓ２３００で設定する乗入れ元エリア（種別）を決定するようにすると良い。例えば、乗入れ元エリア単価が高いエリアから優先して乗入れ元エリアとして決定するようにしても良く、貯玉数が多いエリア、あるいは、乗入れ先エリア単価に換算した払出可能玉数（乗入れ元エリアの貯玉数×乗入れ元エリア単価÷乗入れ先エリア単価）が多いエリアから優先して乗入れ元エリアとして決定するようにしても良い。また、乗入れ元エリアの優先順位を、遊技場側で会員管理装置１５０にて設定するようにしても良く、遊技者がＣＵ３にて設定可能としても良い。
【０２５９】
また、ここで算出する乗入れ状態時払出玉数は、以下のようにして算出される。まず、［当該ＣＵ３に対応した基本単価×当該ＣＵ３に対応した基本払出玉数÷乗入れ元エリア単価］により算出される値が整数値となるか否かを確認する。ここで、この算出値は、当該ＣＵ３にて乗入れ状態時に実行される１回の貯玉再プレイ処理において、乗入れ元エリアの貯玉数から減算される引き落とし数に相当する。
【０２６０】
ここで上記の算出値（引き落とし数）が整数値とならない場合には、小数点以下を切り捨てれば遊技場が損失を被り、小数点以下を切り上げると遊技者が損失を被ることになる。例えば、仮に、乗入れ元口座が４円口座、乗入れ先口座が１円口座であり、基本払出玉数が１２５玉（５度数）であったとすると、乗入れ元口座からの引き落とし数は［１２５玉×１円÷４円＝３１．２５玉］となり、小数点以下の端数が発生してしまう。この場合、小数点以下を切り捨てれば遊技場の損失となり、切り上げれば遊技者の損失となってしまう。
【０２６１】
この実施の形態では、ＣＵ３における払出玉数を基本払出玉数から乗入れ状態時払出玉数に変更することにより、乗入れ状態における乗入れ元口座からの引き落とし数を整数値として、遊技場及び遊技者が損失を被らないようにしている。ここで、以下のように、乗入れ先エリア単価、乗入れ元エリア単価、及び一単位数の最少公倍数を乗入れ状態時払出玉数とすることで、確実に遊技場及び遊技者が損失を被らないような引き落とし数に変更可能となる。
【０２６２】
具体的には、［乗入れ先エリア単価×乗入れ元エリア単価×一単位数］により算出される値の倍数を乗入れ状態時払出玉数とすることで、［当該ＣＵ３に対応した基本単価×乗入れ状態時払出玉数÷乗入れ元エリア単価］により算出される乗入れ元口座からの引き落とし数を確実に整数とすることができる。例えば、上記の例において、単位価値数：２５、乗入れ元エリア単価：４（円）、及び乗入れ先エリア単価：１（円）の最小公倍数である１００の倍数を乗入れ状態時払出玉数とすることで、上記引き落とし数を整数値とすることができる。
【０２６３】
ここで、図２１に示される実施の形態では、基本払出玉数が１２５玉となっているため、仮に、［乗入れ先エリア単価×乗入れ元エリア単価×一単位数］により算出される値（４円×１円×２５＝１００）を乗入れ状態時払出玉数とすると、基本払出玉数（１２５）よりも少ない乗入れ状態時払出玉数となり、１回の貯玉再プレイで払い出される玉数が少なくなることにより、遊技者にとって不便となることがある。そのため、このような場合には、［（乗入れ先エリア単価×乗入れ元エリア単価×一単位数）により算出される値の倍数であって且つ基本払出玉数以上となる最少値］（上記の例では、４円×１円×２５＝１００の２倍である２００）を、乗入れ状態時払出玉数として設定すると良い。なお、このような形態（基本払出玉数以上の乗入れ状態時払出玉数とする形態）に限らず、［乗入れ先エリア単価×乗入れ元エリア単価×一単位数］自体を乗入れ状態時払出玉数と設定するようにしても良い。
【０２６４】
また、乗入れ元口座として複数のエリアが設定されている場合には、各乗入れ元口座について、［（乗入れ先エリア単価×乗入れ元エリア単価×一単位数）により算出される値の倍数であって且つ基本払出玉数以上となる最少値］を記憶しておくようにすると良い。そして、実際に貯玉の使用対象となる乗入れ元口座に応じて、乗入れ状態時払出玉数を設定すると良い。なお、このように複数の乗入れ元口座が選択される場合において、各乗入れ元口座について算出された［乗入れ先エリア単価×乗入れ元エリア単価×一単位数］の最少公倍数を、共通の乗入れ状態時払出玉数として設定することにより、乗入れ元口座によらず乗入れ状態時払出玉数が変化しない構成としても良い。
【０２６５】
一方、［当該ＣＵ３に対応した基本単価×当該ＣＵ３に対応した基本払出玉数÷乗入れ元エリア単価］により算出される値が整数値となるのであれば、乗入れ状態時払出玉数として、当該ＣＵ３に対応した基本払出玉数を設定する。これにより、貯玉再プレイにおける払出玉数は乗入れ後も変化しない。このように、［当該ＣＵ３に対応した基本単価×当該ＣＵ３に対応した基本払出玉数÷乗入れ元エリア単価］により算出される値が整数値となる場合（基本払出玉数のままでも遊技者及び遊技場が損失を被らない場合）には払出玉数を変化させないことにより、ＣＵ３における払出度数の変更処理が不要になり、制御負担を軽減することができる。
【０２６６】
続いて、会員管理装置１５０は、持玉管理装置１４０にＣＵ設定変更通知２を送信する。このＣＵ設定変更通知２には、台番号：０００１、会員番号、乗入れ状態指示：０１（開始）、上記で計算した乗入れ状態時払出玉数：２００、上記の乗入れ元エリア種別：０２（２円口座）及び乗入れ元エリア単価（１玉２円）、の情報が含まれている（図４２参照）。
【０２６７】
また、会員管理装置１５０は、前述したＳ２３００でＣＵ設定変更通知２を送信する前に、各機器の接続状態や乗入れ対応状態をチェックするシーケンスを自動的に実施するようにしてもよい。例えば、会員管理装置１５０と会員管理装置１５０より下位の端末が接続状態且つ各台乗入れに対応していれば乗入れ開始ＯＫ、持玉管理装置１４０とＣＵ３が未接続であれば乗入れ開始ＮＧ、会員管理装置１５０より下位の端末が乗入れ未対応であれば乗入れ開始ＮＧ、持玉管理装置１４０の設定が乗入れ禁止になっている場合は乗入れ開始ＮＧ、とする。会員管理装置１５０は、上記のチェックで乗入れ開始ＯＫとなった場合は上記ＣＵ設定変更通知２を持玉管理装置１４０に送信し、乗入れＮＧとなった場合は処理を中断して、ＣＵ３画面に乗入れＮＧとなった旨とその要因等を表示するようにしてもよい。
【０２６８】
Ｓ２３００で送信されたＣＵ設定変更通知２を受信した持玉管理装置１４０は、Ｓ２３１０でＣＵ３に貯玉持玉乗入れ設定通知を送信する。この貯玉持玉乗入れ設定通知には、会員番号、乗入れ状態指示：０１（開始）、乗入れ状態時払出玉数：２００、乗入れ元エリア種別：０２（２円口座）及び乗入れ元エリア単価（１玉２円）、の情報（Ｓ２３００のＣＵ設定変更通知２で指定される情報）が含まれている（図４９参照）。
【０２６９】
ここで、Ｓ２３００及びＳ２３１０で送信される「乗入れ状態指示：０１（開始）」とは、乗入れ状態開始を許可する情報であり、これを受信したＣＵ３は以下に説明するＳ２３２０以降の処理に移行する。会員管理装置１５０又は持玉管理装置１４０において乗入れ状態開始を許可しない場合は、Ｓ２３００又はＳ２３１０において「乗入れ状態指示：００」の情報が送信され、これを受信したＣＵ３は乗入れ処理を終了し、ＣＵ３画面を図３２（ａ）のＣＵメイン画面に切り替える。
【０２７０】
なお、持玉管理装置１４０が貯玉持玉乗入れ設定通知を送信中またはＣＵ３が貯玉持玉乗入れ設定通知を受信中に、ＣＵ３がカード返却処理を行った場合は、乗入れ状態への移行を中断して、ＣＵ３画面にその旨を表示するようにすればよい。
【０２７１】
Ｓ２３１０の貯玉持玉乗入れ設定通知を受信したＣＵ３は、Ｓ２３２０で、ＣＵ設定変更の「結果：ＯＫ（００：移行完了）」を含む貯玉持玉乗入れ設定応答を持玉管理装置１４０に送信する（図５４参照）。
【０２７２】
但し、貯玉持玉乗入れ設定通知を受信したときの判定により、（i）貯玉持玉乗入れ設定通知の会員番号と挿入中の会員カードの会員番号とが不一致の場合、（ii）貯玉持玉乗入れ設定通知受信時に会員カードが未挿入の場合、（iii）貯玉持玉乗入れ設定通知受信時にＣＵ３がエラー状態の場合には、「結果０１：移行キャンセル」を含む貯玉持玉乗入れ設定応答を持玉管理装置１４０に送信し、Ｓ２３２５（払出度数変更）以降の処理を実行しないものとする。
【０２７３】
なお、ＣＵ３が入金処理中（紙幣受付に基づいてプリペイド残額の加算処理を実行中）、消費処理中（パチンコ機２と玉貸通信中又は一単位数未満の端数払出中、払出に伴うプリペイド価値、持玉数、貯玉数の減算処理中）、計数処理中（計数・端数払出ユニット３４０によるパチンコ玉の計数中）の場合には、「結果：ＯＫ（００：移行完了）」を含む貯玉持玉乗入れ設定応答を持玉管理装置１４０に送信し、Ｓ２３２５以降の処理を実行可能となる。
【０２７４】
Ｓ２３２０の貯玉持玉乗入れ設定応答を送信したＣＵ３は、Ｓ２３２５で、払出度数を、当該ＣＵ３で記憶している基本払出玉数に応じた払出度数から、Ｓ２３１０の貯玉持玉乗入れ設定通知で指定される乗入れ状態時払出玉数に応じた払出度数に変更する。この例では、払出度数を、基本払出玉数（１２５）÷一単位数（２５）＝５度数から、乗入状態時払出玉数（２００）÷一単位数（２５）＝８度数に変更するものである。一方、ＣＵ３は、貯玉持玉乗入れ設定通知で指定される乗入れ状態時払出玉数が、記憶している基本払出玉数と一致している場合には払出度数の変更を行わない。
【０２７５】
このように、ＣＵ３においては、会員管理装置１５０から指示された乗入れ状態時払出玉数に応じた払出度数に設定するようにしているため、自ら乗入れ状態時払出玉数を設定する場合と比較して、ＣＵ３の制御を簡素化することができる。ここで、ＣＵ３は、基本払出玉数（及び基本払出玉数に応じた払出度数）を、乗入れ状態時払出玉数に応じた払出度数に変更した後も、消去せずＲＡＭ３２８ｂの所定記憶領域に記憶しておくものとする。
【０２７６】
また、この実施の形態では、遊技者の乗入れ意思確認に応じて払出度数が変更されるため、意図せず払出度数が変更されることにより遊技者を困惑させることがない。また、この実施の形態では、会員管理装置１５０が管理している乗入れ先エリア単価及び乗入れ元エリア単価に基づいて乗入れ状態時払出玉数（ＣＵ３における払出度数）が設定されるため、ＣＵ３における処理が簡素化され、会員管理装置１５０から送信されたＣＵ設定変更通知２（会員管理装置１４０から送信された貯玉持玉乗入れ設定通知）を受信したことに基づいて払出度数が変更可能となるため、ＣＵ３において意図的に払出度数を変更するような不正も防止することができる。
【０２７７】
貯玉持玉乗入れ設定応答を受信した持玉管理装置１４０は、Ｓ２３３０で台番号及び「結果：ＯＫ（００：乗入れ状態移行可能）」を含むＣＵ設定変更応答２を会員管理装置１５０に送信する（図４２参照）。このＣＵ設定変更応答２を受信した会員管理装置１５０は、ＣＵ設定変更処理を終了する。即ち、ＣＵ３に対して指定した乗入れ状態時払出玉数に応じた払出度数に変更されたことを確認する。
【０２７８】
次に、Ｓ２３４０でＣＵ３から持玉管理装置１４０に、受付中の会員カードのＣＩＤ及び会員番号を含むカード挿入通知が送信される。このカード挿入通知は、持玉管理装置１４０にＣＩＤと会員番号を送信する手段として、擬似的且つ自動的に行われるシーケンスであり、実際にカードの排出や挿入の動作は行われない。続いて、Ｓ２３５０で、持玉管理装置１４０から会員管理装置１５０に、会員番号を含むカード情報要求が送信される。持玉管理装置１４０の発行済取引通番は２（更新）、受信済通番は０となる。
【０２７９】
このカード情報要求を受信した会員管理装置１５０は、口座２（エリア２）から口座１（エリア１）に乗入れ可能な玉数を計算する。この場合の計算式は、２２００（口座２の貯玉数）×（２円÷４円）＝１１００玉となる。ここで、計算される乗入れ可能な玉数とは、乗入れ元エリアの貯玉数を全て使用してＣＵ３で乗入れ先エリア単価の遊技媒体を払い出すと仮定した場合の払出玉数であり、実際の乗入れ元エリアの貯玉数と乗入れ先エリアの貯玉数は更新されていない。
【０２８０】
続いて、会員管理装置１５０は、Ｓ２３６０で、この口座２の乗入れ可能玉数（再プレイ可能玉数＝１１００玉）を含むカード情報応答を持玉管理装置１４０に送信し、持玉管理装置１４０はＳ２３７０で口座２の乗入れ可能玉数（再プレイ可能玉数＝１１００玉）を含むカード挿入結果をＣＵ３に送信する。
【０２８１】
図３４（ａ）は、乗入れ開始前のＣＵ３メイン画面であり、ＣＵ口座が１玉４円口座の持玉及び貯玉が０であることを示している。持玉管理装置１４０からＳ２３７０のカード挿入結果を受信したＣＵ３は、ＣＵ３画面を図３４（ａ）から図３４（ｂ）に切り替え、貯玉持玉乗入れ設定通知（Ｓ２３１０）で指定された乗入れ元エリア単価及び乗入れ状態時払出玉数に応じた「１玉２円コーナーから乗入れ中」及び「２００玉払出」を表示すると共に、カード挿入結果（Ｓ２３７０）で指定される再プレイ可能玉数に応じた「乗入れ貯玉：１１００玉」を表示する。図５０に、図４９に示した貯玉持玉乗入れ設定通知の項目とＣＵ乗入れ中画面の対応例を示す。
【０２８２】
なお、図３４（ｂ）及び図３４（ｃ）でＣＵ３画面上に表示される乗入れ貯玉数は、会員管理装置が１５０がＣＵ３画面に表示するために計算した数値であり、実際に会員管理装置１５０に登録されている貯玉数が更新されるわけではない。すなわち、この段階ではＳ２２２５で算出された貯玉数に変更はない。
【０２８３】
また、図３４（ｂ）の「切替」ボタンにタッチすることによって、ＣＵ３画面を図３４（ｃ）の乗入れ開始後のメイン画面に切り替えることができる。乗入れ開始前のメイン画面である図３４（ａ）と乗入れ開始後のメイン画面である図３４（ｃ）の違いは、「貯玉」欄が「乗入れ貯玉」欄に変更されている点である。図３４（ｃ）の乗入れ開始後のメイン画面から、図３４（ｂ）の乗入れ中画面に戻るには、図３４（ｃ）のメイン画面の「メニュー」ボタンをタッチすればよい。
【０２８４】
なお、乗入れ開始後は、図３４（ｃ）のメイン画面と図３４（ｂ）の乗入れ中の画面を、所定時間置き（例えば３秒ごと）に自動的に切り替えて交互に表示させるようにしてもよい。こうすることにより、遊技者は、乗入れ元口座、乗入れ先口座及び乗入れ可能な貯玉数を、一見して把握可能となる。
【０２８５】
（時間帯に応じた乗入れ許可）
また、乗入れが可能となる営業時間帯を、乗入れ元口座及び乗入れ先口座の組み合わせ毎に設定しておくようにしてもよい。例えば、会員管理装置１５０のＣＰＵ１５２が、記憶装置１５５に記憶している図１１（ｂ）の乗入れ許可時間帯テーブルに基づいて、乗入れを許可するか否かを判定するようにしても良い。
【０２８６】
図１１（ｂ）の例では、エリア１（乗入れ元エリア単価：４．００円）からエリア２（乗入れ先エリア単価：２．００円）及びエリア３（乗入れ先エリア単価：１．００円）への乗入れが可能な時間帯は、いずれも１０時から２２時と設定されており、遊技場の営業時間内において制限無く乗入れ可能とされている。一方、エリア２（乗入れ元エリア単価：２．００円）からエリア１（乗入れ先エリア単価：４．００円）及びエリア３（乗入れ先エリア単価：１．００円）への乗入れ、並びにエリア３（乗入れ元エリア単価：１．００円）からエリア１（乗入れ先エリア単価：４．００円）及びエリア２（乗入れ先エリア単価：２．００円）への乗入れは、いずれも１８時から２２時までに制限されている。即ち、この例では、エリア２及び３よりもエリア１（乗入れ元エリア単価：４．００円）の貯玉数を有する遊技者、即ち、単価４円の遊技媒体により遊技を行う遊技者に対して有利な乗入れ条件を設けていることになる。
【０２８７】
このように、乗入れを許可する時間帯を設定することにより、遊技場の営業形態を多様化することができる。また、本例のように、乗入れ元エリアと乗入れ先エリアの組合せ毎に、乗入れを許可する時間帯を設定することにより、遊技場の方針（例えば、乗入れの際に単価の高い貯玉を有する遊技者を優遇する）に応じた乗入れ条件を設けることができる。なお、図１１（ｂ）の例では、乗入れ元エリア単価に応じて乗入れ可能な時間帯が異なるように設定しているが、乗入れ先エリア単価に応じて乗入れ可能な時間帯が異なるようにしても良く、例えば、乗入れ先エリアがエリア１である場合には、営業時間内は制限なく乗入れが可能であるが、乗入れ先エリアがエリア２又はエリア３である場合には、１８：００〜２２：００の特定の時間帯のみ乗入れが可能となるようにしても良い。
【０２８８】
このように、乗入れ可能な時間帯に制限を設ける場合、会員管理装置１５０は、Ｓ２１１０の貯玉持玉乗入れ情報を送信するときに、乗入れ許可時間帯テーブル及び現在の時刻を参照して、乗入れ先エリア以外の他のエリア及び乗入れ先エリアの各組合せについて、乗入れが許可されている時間帯であるか否かを確認する。そして、乗入れが許可されている時間帯の場合には、当該他のエリアに対応したブロックの表示方法を、００：選択可能、と設定し、乗入れが許可されていない時間帯の場合には、当該他のエリアに対応したブロックの表示方法を、０１：選択不可と設定すると良い。このようにすることで、当該ブロックに対応した口座については、図３５（ｃ）で乗入れを「ＯＮ」に設定することができなくなり、乗入れ元エリアとして選択することができなくなる。
【０２８９】
なお、他のエリア及び乗入れ先エリアの全ての組み合わせについて、乗入れが許可されていない時間帯である場合には、Ｓ２１１０の貯玉持玉乗入れ情報を送信するときに、結果を、００以外：禁止（乗入れ不可）と設定すると良い。
【０２９０】
また、貯玉持玉乗入れ情報によって乗入れの可否を指定する場合に限らず、Ｓ２３００のＣＵ設定変更通知２において、乗入れが許可されている時間帯であれば「乗入れ状態指示：０１（乗入れ状態開始指示）」と設定し、乗入れが許可されていない時間帯であれば「乗入れ状態指示：００（乗入れ状態終了指示）」と設定することにより、ＣＵ３に対して、選択されたエリアからの乗入れが許可されていないことを通知し、ＣＵ３がその旨を表示すると良い。
【０２９１】
また、乗入れの意思登録がされた時点（図２０の処理がされた時点）では乗入れが許可される時間帯であったが、その後遊技を行い、乗入れが許可されない時間帯に移行した場合には、乗入れを終了する（選択された乗入れ元エリアの貯玉数を使用して乗入れ先エリア単価の遊技媒体の払い出しを行うことを中止する）と共に、対象となるＣＵ３に対して、「乗入れ状態指示：００（乗入れ状態終了指示）」と設定したＣＵ設定変更通知２を送信して、ＣＵ３が乗入れ状態が終了したことを表示する（払出度数を基本払出玉数に応じた払出度数に戻す）ようにすると良い。
【０２９２】
また、遊技場側において、遊技場内の各遊技機に対応したＣＵ３を対象として、乗入れ可能な営業時間帯を一律に設定するようにしても良い。例えば、開店後の１時間のみ乗入れ可能とし、会員が複数のエリアに所有している貯玉を開店直後に優先的に使用しやすくする環境を用意するようにしてもよい。その場合は、例えば、図５１に示す運用開始通知コマンド（会員管理装置１５０又は持玉管理装置１４０からＣＵ３に送信される）の貯玉持玉相互乗入れ機能設定において、相互乗入れ：００（無効）、０１（有効）を指定するようにすると良い。これにより、遊技場内の各ＣＵ３を対象として、一括して乗入れ機能の有効／無効を切替可能となる。具体的には、営業開始時の処理において、運用開始通知コマンドの貯玉持玉相互乗入れ機能設定を相互乗入れ：０１（有効）としてＣＵ３に送信し、所定時刻（例えば１１：００）となったタイミングで、運用開始通知コマンドの貯玉持玉相互乗入れ機能設定を相互乗入れ：００（無効）としてＣＵ３に送信するようにする。
【０２９３】
２−２−５．貯玉再プレイ
前述した２−２−４．乗り入れ開始処理によって使用可能となった乗入れ元エリアの貯玉を用いて貯玉再プレイを行う場合の処理の流れを、図２２を用いて説明する。Ｓ２４００で、遊技者によってＣＵ３に設けられた再プレイボタン３１９が押されると、Ｓ２４１０でＣＵ３から持玉管理装置１４０に受付中の会員カードの会員番号を含む貯玉更新開始通知が送信され、続けてＳ２４２０で持玉管理装置１４０から会員管理装置１５０に当該ＣＵ３の台番号及び会員番号を含む貯玉更新開始通知が送信される。また、Ｓ２４３０で持玉管理装置１４０からＣＵ３へ「結果：００（ＯＫ）」を含む貯玉更新開始応答が送信される。
【０２９４】
この貯玉更新開始応答を受信したＣＵ３は遊技機と通信を行い（再プレイパルス出力）、遊技機からは、乗入れ状態時払出玉数分の２００玉（８度数）の払出が行われる。続いて、Ｓ２４４０で、ＣＵ３から持玉管理装置１４０へ、貯玉更新要求が送信される。この貯玉更新要求には、払出玉数：２００玉（８度数）、エリア（口座）種別：０１（４円口座）、オンライン取引通番：２、乗入れ元口座  ：０２（２円口座）の情報が含まれている（図５４参照）。即ち、貯玉更新要求には、乗入れ先エリア（０１）及び乗入れ元エリア（０２）、並びに当該ＣＵに対応した遊技機で実際に払い出された遊技媒体数（２００）が含まれる。
【０２９５】
これに伴い、持玉管理装置１４０の発行済み取引通番：２、受信済通番：２（乗入れ元口座）となる。上記のオンライン取引通番とは、停電などで生じる突発的な電源断からの会員カードのリカバリー情報を、持玉管理装置１４０で管理するための通番である。
【０２９６】
次に、Ｓ２４５０で持玉管理装置１４０から会員管理装置１５０へ貯玉更新要求３が送信される。この貯玉更新要求３には、台番号、会員番号、引落区分：０１（再プレイ）、払出玉数：２００（８度数）、当台エリア種別：０１（４円口座）、乗入れ元エリア種別：０２（２円口座）の情報（貯玉更新要求で指定された情報）が含まれている（図４７参照）。この貯玉更新要求３は、Ｓ２４４０の再プレイ実施によって実際に遊技機に引き落とされた払出玉数を会員管理装置１５０に通知し、乗入れ元エリアの貯玉数を更新するための情報である。
【０２９７】
貯玉更新要求３を受信した会員管理装置１５０は、乗入れ元エリアであるエリア２（２円口座）の貯玉数から、上記の再プレイ１回分の払出玉数２００に相当する乗入れ元エリア単価の玉数を減算し、「玉１（再プレイ可能玉数）」を更新する。具体的には、前述したように、［払出玉数×乗入れ先エリア単価÷乗入れ元エリア単価］により算出される引き落とし数を、乗入れ元エリアの貯玉数から減算する。ここでは、２００（玉）×４（円）÷２（円）＝４００玉をエリア２（２円口座）の貯玉数２２００から減算する。すなわち、２２００−４００＝１８００玉が更新後のエリア２（２円口座）の貯玉数となる。
【０２９８】
続いて、会員管理装置１５０はＣＵ３画面上に表示する情報として「玉１（再プレイ可能玉数）」及び「玉１（再プレイ可能度数）」を算出する。乗入れ元エリアの貯玉数を全て使用すると仮定した場合の乗入れ先エリアの払出可能玉数が「玉１（再プレイ可能玉数）」であり、その払出可能玉数を一単位数で除した値が「玉１（再プレイ可能度数）」となる。具体的には、更新後のエリア２（２円口座）の貯玉１８００を当該口座であるエリア１（４円口座）に換算した玉数は、１８００×（２円÷４円）＝９００となるため、「玉１（再プレイ可能玉数）」＝９００、「玉１（再プレイ可能度数）」は９００玉÷２５玉＝３６度数と算出される。
【０２９９】
続いて、Ｓ２４６０で会員管理装置１５０は、上記の算出結果及び貯玉更新結果に基づいて、結果：００（ＯＫ）、会員番号、玉１（再プレイ可能玉数）：９００、玉１（再プレイ可能度数）：３６を含む貯玉更新応答３を、持玉管理装置１４０に送信する（図４７参照）。この貯玉更新応答３を受信した持玉管理装置１４０は、Ｓ２４７０で、オンライン取引通番：３、玉１（再プレイ可能玉数）：９００、玉１（再プレイ可能度数）：３６を含む貯玉更新応答（貯玉更新応答３で指定された情報を含む）を、ＣＵ３に送信する（図５１参照）。これに伴い、持玉管理装置１４０の発行済み取引通番：３、受信済み通番：２となる。
【０３００】
この貯玉更新応答を受信したＣＵ３は、Ｓ２４８０で「持玉：０玉」、「貯玉：９００玉」をＣＵ３画面に表示し、貯玉再プレイ処理を終了する。なお、Ｓ２４８０でＣＵ３画面上に表示される「貯玉：９００玉」は、会員管理装置が１５０がＣＵ３画面に再プレイ可能玉数として表示するために、更新後のエリア２（２円口座）の貯玉数１８００を当該口座であるエリア１（４円口座）に換算した算出値であり、実際の口座２（エリア２）の貯玉は１８００玉である。
【０３０１】
また、Ｓ２４００で再プレイボタン３１９が操作されたときに、ＣＵ３で表示されている再プレイ可能玉数が乗入れ状態時払出玉数未満である場合、即ち、乗入れ元エリアに残存する貯玉数が、［乗入れ状態時払出玉数×乗入れ先エリア単価÷乗入れ元エリア単価］未満である場合には、［払出玉数×乗入れ先エリア単価÷乗入れ元エリア単価＝乗入れ元エリアの貯玉数］となるような払出玉数（即ち、乗入れ元エリアの貯玉数を全て消費する（払出後の乗入れ元エリアの貯玉数が０となる）ような払出玉数）を算出し、該算出した払出玉数を、対応するパチンコ機２及び当該ＣＵ３の計数・端数払出ユニット３４０から払出可能としても良い。このとき算出された払出玉数が整数値でない場合には、小数点以下を切り上げて払い出すようにしても良く、少数点以下を切り捨てて払い出すようにしても良い。
【０３０２】
なお、このような構成とする場合において、再プレイボタン３１９が操作されたときに、算出した払出玉数のうち、一単位数の倍数であって該算出した払出玉数以下となる最大数を一旦、対応するパチンコ機２から払い出し、次に再プレイボタン３１９が操作されたときに、一単位数未満の端数を当該ＣＵ３の計数・端数払出ユニット３４０から払い出すようにしても良い。なお、このような形態に限らず、ＣＵ３で表示されている再プレイ可能玉数が乗入れ状態時払出玉数未満である場合には、乗入れ状態における貯玉再プレイを禁止する（乗入れ状態における乗入れ元エリアの貯玉数の使用を禁止する）ようにしても良い。また、ＣＵ３で表示されている再プレイ可能玉数のうち、一単位数の倍数であって上記算出した払出玉数以下の最大数はパチンコ機２から払出可能であるが、一単位数未満の端数は払い出さないようにしても良い。
【０３０３】
２−３．ＣＵでの意思確認（乗入れ解除）
図２３は、本実施の形態におけるカードユニット（ＣＵ３）での意思確認（乗入れ解除）において、会員管理装置１５０、持玉管理装置１４０及びＣＵ３間の動作の流れを示す図である。以下、一旦乗り入れ状態（選択された乗入れ元エリアの貯玉数を使用して乗入れ先エリア単価の遊技媒体を払出可能な状態）となり、口座２（エリア２）が乗入れ元として選択された後、乗入れ解除を行う場合の処理について説明する。
【０３０４】
図２３に示すように、会員管理装置１５０に記憶されている会員の貯玉／貯メダル数は、乗入れ先である口座１（エリア１）には０、乗入れ元である口座２（エリア２）には２２００、口座３（エリア３）には３０００、口座４（エリア４）には４０００、となっている。また、持玉管理装置１４０に記憶されている会員の持玉数は、乗り入れ状態となったことに伴って会員の所有する各エリアの持玉は既に貯玉に移行された状態であるため、口座１（エリア１）、口座２（エリア２）、口座３（エリア３）ともに０（持玉無し）となっている。
【０３０５】
持玉管理装置１４０の発行済み取引通番は２、受信済み通番は０（乗入れ口座）である。また、ＣＵ３に対応した口座１（エリア１）は１玉４円口座であり、乗入れ状態のため、払出度数は乗入れ状態時払出玉数（２００）に応じた払出度数（８）となっている。乗入れ状態に至る処理については、上述した処理と同じであるため、説明は省略する。
【０３０６】
２−３−１．乗入れ解除表示
まず、ＣＵ３画面である図３５（ａ）〜図３５（ｃ）を参照して、乗入れ解除表示処理における遊技者の操作の流れについて説明する。
【０３０７】
図３５（ａ）に示すＣＵ３のメイン画面では、乗入れ先エリア（口座１（エリア１））に対応した基本単価が表示され（貸玉：１玉４円）、乗入れ元エリア（口座２（エリア２））の貯玉数を乗入れ先エリア単価の玉数に換算した払出可能玉数（乗入れ貯玉１１００玉）が表示されている。当該乗入れ元エリアからの乗入れを解除するためには、まず、図３５（ａ）のＣＵ３のメイン画面内の「メニュー」ボタンを指でタッチして、図３５（ｂ）のメニュー画面を表示させる。続いて、図３５（ｂ）メニュー画面内の「乗入れ」ボタンをタッチして、図３５（ｃ）の「乗入れ元選択」画面を表示させる。
【０３０８】
図３５（ｃ）の「乗入れ元選択」画面には、ブロック１に口座２（エリア２）の貯玉数である２２００玉と「乗入ＯＮ」が表示されており、ブロック２に口座３（エリア３）の貯玉数である３３００玉と「乗入ＯＦＦ」が表示されている。この「乗入ＯＮ」と「乗入ＯＦＦ」は、遊技者が指でタッチすることで切替可能となっている。口座２（エリア２）の乗入れを解除するためには、ブロック１の「乗入ＯＮ」と表示されている箇所をタッチして、「乗入ＯＦＦ」に切り替える。更に同じ画面内の「決定」ボタンをタッチすることで、ブロック１の乗入れ解除を決定する。
【０３０９】
次に、図２３及び図３５（ｃ）を参照して、乗入れ解除表示処理における会員管理装置１５０、持玉管理装置１４０、ＣＵ３間の処理の流れについて説明する。図３５（ｃ）のＣＵ３画面での口座２（エリア２）の乗入れ解除操作は、図２３のＳ３０００に相当している。
【０３１０】
Ｓ３０００に続いて、Ｓ３０１０で、ＣＵ３貯玉持玉乗入れ意思確認要求が持玉管理装置１４０に送信され（図５３参照）、続いて、Ｓ３０２０で持玉管理装置１４０から会員管理装置１５０に送信される（図４６参照）。この貯玉持玉乗入れ意思確認要求は、継続有無：００（終了）、継続番号：０１、会員番号、カードＩＤ、カード種別、１ブロック目乗入れ元指定エリア種別０２（２円口座）、１ブロック目要求区分：００（意思解除）、２〜１０ブロック目乗入れ元指定エリア種別００、２〜１０ブロック目要求区分：００、の情報を含んでいる。即ち、貯玉持玉乗入れ意思確認要求には、ＣＵ３にて受付中の会員カードの会員番号及びカードＩＤと、乗入れ元エリア（２）及び乗入れ先エリア（１）の組合せ、並びに、当該組合せについて乗入れを解除する旨（要求区分：００（意思解除））が含まれる。
【０３１１】
貯玉持玉乗入れ意思確認要求を受信した会員管理装置１５０は、Ｓ３０３０で口座２から口座１への乗入れ解除を認識し、記憶している乗入れ登録情報を変更する。即ち、貯玉持玉乗入れ意思確認要求で意思解除が指定される乗入れ元エリア（２）については、乗入れ元エリアとして選択されていない状態とする。
【０３１２】
例えば、会員管理装置１５０は、Ｓ２２４０で受信した貯玉持玉乗入れ意思確認要求の内容（ブロック毎に乗入れ意思確認の登録・解除を設定するための要求区分を含む）を乗入れ登録情報として記憶しておくようにしているが、貯玉持玉乗入れ意思確認要求で意思解除（要求区分：００）が指定されるブロックについては、当該ブロックに関して記憶している要求区分を０１（乗入れ意思の登録）から００（乗入れ意思の解除）と変更する。
【０３１３】
このような構成とすることにより、Ｓ３０００で指定した乗入れ元エリアからの乗入れは解除されることになるが、複数の乗入れ元エリアが選択されていた場合には、指定した乗入れ元エリア以外の乗入れ元エリアからの乗入れは解除されない。
【０３１４】
次いで、会員管理装置１５０は、Ｓ３０４０で台番号及び「結果：００（登録完了）」を含む貯玉持玉乗入れ意思確認結果を持玉管理装置１４０に送信する（図４５参照）。貯玉持玉乗入れ意思確認結果を受信した持玉管理装置１４０は、Ｓ３０５０で「結果：００（登録完了）」を含む貯玉持玉乗入れ意思確認結果をＣＵ３に送信する（図４９参照）。
【０３１５】
なお、以上のＳ３０００〜３０５０の処理は、会員管理装置１５０側へ乗入れ解除を通知することが目的であるため、ＣＵ３画面上は下記Ｓ３１８０の乗入れ状態の解除完了でメイン画面（通常画面）へ遷移する。
【０３１６】
２−３−２．乗入れ解除通知
図２４は、乗入れ解除通知処理において、会員管理装置１５０、持玉管理装置１４０及びＣＵ３間の動作の流れを示す図である。
【０３１７】
会員管理装置１５０は、２−３−１．乗入れ解除表示の処理を完了した後、図２４に示す乗入れ解除通知処理に自動的に移行する。乗入れ解除通知処理に移行するタイミングは、例えば、図２３のＳ３０５０で送信された情報をＣＵ３が受信した後、または、会員管理装置１５０が乗入れ意思確認を登録（Ｓ３０３０）後、所定の時間が経過した後等とすればよい。
【０３１８】
会員管理装置１５０は、乗入れ解除通知処理に移行すると、前述したように記憶していた乗入れ登録情報において、意思解除（要求区分：００）が指定されるブロック（非選択となったエリア）の要求区分を０１（乗入れ意思の登録）から００（乗入れ意思の解除）と変更するものとすることに伴い、Ｓ３１００で持玉管理装置１４０にＣＵ設定変更通知２を送信する。ＣＵ設定変更通知２には、台番号：００１、会員番号、乗入れ状態指示：００（終了）、乗入れ状態時払出玉数：２００、乗入れ元エリア種別：０２（２円口座）、の情報（Ｓ３０２０の貯玉持玉乗入れ意思確認要求で指定される情報）が含まれている（図４２参照）。
【０３１９】
続いて、Ｓ３１１０で、持玉管理装置１４０からＣＵ３に、貯玉持玉乗入れ設定通知が送信される。貯玉持玉乗入れ設定通知には、会員番号、乗入れ状態指示：００（終了）、乗入れ状態時払出玉数：２００、乗入れ元エリア種別：０２（２円口座）、及び乗入れ元エリア単価（１玉２円）の情報（Ｓ３１００のＣＵ設定変更通知２で指定される情報）を含んでいる（図４９参照）。
【０３２０】
貯玉持玉乗入れ設定通知を受信したＣＵ３は、Ｓ３１２０で持玉管理装置１４０に「結果：ＯＫ」を含む貯玉持玉乗入れ設定応答を送信する（図５４参照）。そして、表示部３１２に表示される全てのブロック（例えば１〜１０）について、乗入れ元エリアとして選択されていない（乗入れ：ＯＦＦ）ことを確認したときには、当該ＣＵ３の乗入れ状態を解除する。即ち、当該口座以外の他の口座の貯玉数を使用して当該口座に応じた基本単価の遊技媒体を払い出さないようにする。また、乗入れ状態の解除に伴い、払出度数を、乗入れ状態時払出玉数（２００）に応じた払出度数（８）から、記憶している基本払出玉数（１２５）に応じた払出度数（５）に戻す。
【０３２１】
このように、乗入れ状態が解除されると、払出度数が乗入れ状態前の払出度数に戻るようにすることで、払出度数が戻らないことにより遊技者が違和感を感じたり、払い出される玉数が基本払出玉数よりも多いまま（あるいは少ないまま）となってしまうことによる遊技者の不便を回避することができる。
【０３２２】
なお、複数の乗入れ元エリアが選択されていた場合（複数のブロックの乗入れがＯＮになっていた場合）において、いずれかのブロックについてはタッチパネル３１４の操作により乗入れがＯＮからＯＦＦに変更されたものの、他のブロックについては乗入れがＯＮのままとなっている場合がある。このような場合には、乗入れ解除を行わずに乗入れ状態を継続し、当該他のブロックに応じた乗入れ元エリアの貯玉数を使用して、乗入れ先エリア単価の遊技媒体を払出可能とするものとする。なお、このような形態に限らず、いずれかのブロックについて乗入れがＯＮからＯＦＦに変更されたことに基づいて、乗入れ状態を解除するようにしても良い。
【０３２３】
貯玉持玉乗入れ設定応答を受信した持玉管理装置１４０は、Ｓ３１３０で台番号及び「結果：ＯＫ」を含むＣＵ設定変更応答２を会員管理装置１５０に送信する（図４２参照）。ＣＵ設定変更応答２を受信した会員管理装置１５０は、ＣＵ３の乗入れ解除設定が終了したことを認識し、ＣＵ設定変更を終了する。これに伴い、持玉管理装置１４０の発行済み取引通番は３（更新）、受信済み通番は０（乗入れ口座）となる。
【０３２４】
ＣＵ３画面は、図３５（ｃ）の「乗入れ元選択」画面において「決定」ボタンが押された後からＳ３１２０のＣＵ３の乗入れ状態解除までの所定時間中は図３６（ａ）に移行した状態となる。図３６（ａ）画面が表示中に、「切替」ボタンを押すと、図３５（ｂ）のメニュー画面に遷移する。Ｓ３１２０処理後、図３６（ａ）の乗入れ中画面は、図３６（ｂ）に示す乗入れ処理中画面に移行し、ＣＵ３画面には、例えば「しばらくお待ちください」という文字案内が表示される。
【０３２５】
次に、ＣＵ３は、Ｓ３１４０でＣＩＤ及び会員番号を含むカード挿入通知を持玉管理装置１４０に送信し、続けて、持玉管理装置１４０は、Ｓ３１５０で会員番号を含むカード情報要求を会員管理装置１５０に送信する。これは、図２４及び２−２−４．乗入れ開始（Ｓ２３４０）と同じく擬似的にコマンドを使用するためのものであり、実際にカード挿入が行われるわけではない。
【０３２６】
カード情報要求を受信した会員管理装置１５０は、Ｓ３１６０で、カード情報要求で指定される会員番号に対応付けて乗入れ先エリアに対応した口座で管理している貯玉数（本例では口座１（エリア１）４円口座の貯玉数）を読み出し、読み出した貯玉数（「口座１：０玉」）を含むカード情報応答を持玉管理装置１４０に送信する。
【０３２７】
カード情報応答を受信した持玉管理装置１４０は、Ｓ３１７０でオンライン取引通番：３及び再プレイ可能玉数：０玉の情報を含むカード挿入結果を、ＣＵ３に送信する。カード挿入結果を受信したＣＵ３は、Ｓ３１８０で乗入れ状態の解除を完了し、ＣＵ３のメイン画面は、図３６（ｂ）から図３６（ｃ）に遷移する。ここで、図３６（ｃ）は、乗入れ元口座（１玉２円コーナーから乗入れ中）及び乗入れ貯玉表示の無いメイン画面（通常画面）である。
【０３２８】
なお、乗入れ状態を解除しても、貯玉に移行した持玉は貯玉のまま会員管理装置１５０に記憶される。本例では、持玉数が貯玉数に加算されたときの更新後の貯玉数２２００が、乗入れ状態解除後の旧乗入れ元口座（エリア２）の貯玉数となる。
【０３２９】
２−４．乗入れ開始通知タイミング
２−４−１．乗入れ意思確認済みの会員カード挿入
以下は、既に乗入れ意思確認済みの会員カードをＣＵ３に挿入する処理から乗入れ開始を行う処理の流れについて説明する。具体的には、以下の例は、乗入れ意思確認後に、遊技者が遊技機の移動を行った際や、遊技者が一旦カードを排出した後に再度カードを挿入した場合に相当している。
【０３３０】
図２５は、本実施の形態における会員管理装置１５０、持玉管理装置１４０及びＣＵ３間の動作の流れを示す図である。図２５においては、会員管理装置１５０に記憶されている会員所有の貯玉／貯メダル数は、口座１（エリア１）には０、口座２（エリア２）には２０００、口座３（エリア３）には３０００、となっている。また、持玉管理装置１４０に記憶されている会員所有の持玉／持メダル数は、口座１（エリア１）には０、口座２（エリア２）には２００、口座３（エリア３）には３００、となっている。また、ＣＵ３に対応した基本単価は４円（エリア１）であり、基本払出玉数は１２５（払出度数５）であるものとする。
【０３３１】
Ｓ４０００で遊技者によって乗入れ意思確認済みの会員カードがＣＵ３に挿入され、ＣＵ３がカード挿入を検知すると、Ｓ４０１０でＣＵ３はカードに記録されたＣＩＤと会員番号を読み取り、ＣＩＤと及び会員番号を含むカード挿入通知を持玉管理装置１４０に送信する。カード挿入通知を受信した持玉管理装置１４０は、Ｓ４０２０で、カード挿入通知で指定された会員番号を含むカード情報要求を会員管理装置１５０に送信する。なお、これに伴い、持玉管理装置１４０の発行済み取引通番は１、受信済み通番は０となっている。
【０３３２】
カード情報要求を受信した会員管理装置１５０は、カード情報要求で指定される会員番号に対応付けて記憶している各口座の貯玉数から当該口座（ＣＵ３で記憶する基本単価に対応した口座）である口座１（エリア１）の貯玉数を読み出し、Ｓ４０３０でカード情報応答を持玉管理装置１４０に返信する。このカード情報応答には、会員番号、口座１：再プレイ可能玉数：０、及び、口座１：再プレイ可能度数：０、が含まれている。
【０３３３】
カード情報応答を受信した持玉管理装置１４０は、Ｓ４０４０で、カード情報応答で指定された情報（口座１：再プレイ可能玉数：０、及び、口座１：再プレイ可能度数：０）及びカード単位のオンライン取引通番（：１）を含むカード挿入結果をＣＵ３に送信する。また、図示しないが、ＣＵ３は、受け付けた会員カードのカードＩＤに対応付けて持玉管理装置１４０で記憶されている各口座の持玉数のうち、当該ＣＵ３が記憶している基本単価に対応した口座１（エリア１）の持玉数を取得するものとする。また、図示しないが、ＣＵ３は、受け付けた会員カードのカードＩＤに対応付けて残額管理装置１００で記憶されているプリペイド残額（カード残高）を取得するものとする。
【０３３４】
カード挿入結果を受信したＣＵ３は、図３７（ａ）に示すように、当該口座である口座１（エリア１）４円口座の持玉数と貯玉数をＣＵ３画面に表示する。この場合は、持玉０、貯玉０と表示される。以上の処理により、会員カードのＩＤ照合と当該口座の総玉数確認が終了する。
【０３３５】
（乗り入れの開始を通知）
以下、図２５及び図２６を参照して説明する。
ＣＵ３がカード挿入結果を受信後または、Ｓ４０３０で会員管理装置１５０がカード情報応答を送信してから所定時間経過後、会員管理装置１５０は、既に記憶している乗入れ登録情報を検索し、カード情報要求で指定される会員番号に該当する乗入れ登録情報が存在するか否かを確認する。存在しなければ、乗入れ登録がされていないと判定して、通常のカード挿入時の処理（Ｓ２０２０でカード情報要求を受信したときと同様の処理）を実行する。存在すれば、既に乗入れ意思確認がされているため、Ｓ４０５０で、会員管理装置１５０は、自動的に乗入れの開始通知処理に移行する。
【０３３６】
即ち、乗入れ登録情報として記憶している各ブロックの乗入れ元指定エリア種別及び要求区分、並びに、会員カードが挿入されたＣＵ３に対応した基本単価に基づいて、持玉管理装置１４０に送信するＣＵ設定変更通知２を設定する。
【０３３７】
ここで、ＣＵ設定変更通知２において、会員カードが挿入されたＣＵ３の台番号（本例では０００２）及び当該会員カードの会員番号を設定し、乗入れ状態指示：０１（開始）と設定し、乗入れ元エリア単価と当該ＣＵ３の基本単価（乗入れ先エリア単価）に基づいて、前述した計算式（［払出玉数×乗入れ先エリア単価÷乗入れ元エリア単価］が整数値となるような払出玉数）により乗入れ状態時払出玉数（本例では２００）を設定し、記憶している乗入れ登録情報において要求区分が０１（意思登録）に設定されているブロックの乗入れ元指定エリア種別に基づいて、乗入れ元エリア種別（本例では０２）を設定し、当該乗入れ元エリア種別に対応した基本単価に基づいて、乗入れ元エリア単価（１玉２円）を設定する（図４２参照）。そして、Ｓ４０６０で、そのＣＵ設定変更通知２を持玉管理装置１４０に送信する。
【０３３８】
ＣＵ設定変更通知２を受信した持玉管理装置１４０は、Ｓ４０７０で会員管理装置１５０に個別持玉転送通知を送信する。個別持玉転送通知には、Ｓ２２２０で示したように、ＣＵ設定変更通知２において指定された台番号及び会員番号、並びに、乗入れ元エリア種別及び乗入れ元エリア単価に基づく、台番号：０００２、会員番号、ＣＩＤ、カード種別、エリア１持玉加算玉数：０、エリア２持玉加算玉数：２００、エリア３持玉加算玉数：０〜エリア１０持玉加算玉数の情報が含まれている（図４１参照）。これにより、乗入れ元口座である口座２（エリア２）の持玉数が２００であることが、持玉管理装置１４０から会員管理装置１５０に通知される。
【０３３９】
個別持玉転送通知を受信した会員管理装置１５０は、Ｓ２２２０の個別持玉転送通知受信時と同様に、受信した個別持玉転送通知で指定される会員番号に対応付けて貯玉管理テーブルで記憶されている各エリアの貯玉数に、貯玉持玉転送通知で指定される各エリアの持玉数を加算し、各エリアの貯玉数を更新する。これにより、実際に管理されている貯玉数が更新されることになる。
【０３４０】
続けて、Ｓ４０８０で、会員管理装置１５０から持玉管理装置１４０へ、個別持玉転送応答が送信される。個別持玉転送応答は、持玉の移行と貯玉との合算が完了したことを示す結果：００（貯玉成功）と、台番号：０００２を含む情報である（図４１参照）。
【０３４１】
ここで、個別持玉転送通知（Ｓ４０７０）及び個別持玉転送応答（Ｓ４０８０）は、乗入れ意思確認で登録されている乗入れ先指定エリア種別に応じた乗入れ先エリア単価が、当該ＣＵ３の基本単価と合致する場合には、発生しない処理となる。例えば、乗入れ先エリアを口座１（エリア１）４円口座、乗入れ元エリアを口座２（エリア２）２円口座として乗入れ意思確認済みの会員カードを所有する遊技者が、異なる遊技機に移動して遊技を行う場合、移動先の遊技機に対応したＣＵ３に対応した基本単価（４円）が、乗入れ登録情報の乗入れ先指定エリア種別（０１）に応じた乗入れ先エリア単価（４円）と合致しているのであれば、基本単価４円のＣＵ３から同じく基本単価４円のＣＵ３に移動したことになるため、既に乗入れ元エリアとして選択された口座２（エリア２）の持玉数は貯玉数に加算されていることになる。そのため、Ｓ４０７０及びＳ４０８０の処理は省略可能となる。
【０３４２】
次いで、持玉管理装置１４０は、Ｓ４０９０でＣＵ３に貯玉持玉乗入れ設定通知を送信する。この貯玉持玉乗入れ設定通知には、会員番号、乗入れ状態指示：０１（開始）、乗入れ状態時払出玉数：２００、乗入れ元エリア種別：０２（２円口座）及び乗入れ元エリア単価（１玉２円）、の情報（Ｓ４０６０のＣＵ設定変更通知２で指定される情報）が含まれている（図４９参照）。このＳ４０９０は、初回乗入れ時にＳ２３１０で持玉管理装置１４０からＣＵ３に送信された貯玉持玉乗入れ設定通知を再度送信することと等しい。
【０３４３】
Ｓ４０９０の貯玉持玉乗入れ設定通知を受信したＣＵ３は、Ｓ４１００で、ＣＵ設定変更の「結果：ＯＫ（００：移行完了）」を含む貯玉持玉乗入れ設定応答を持玉管理装置１４０に送信する（図５４参照）。また、この貯玉持玉乗入れ設定通知を受信したＣＵ３は、払出度数を、当該ＣＵ３で記憶している基本払出玉数に応じた払出度数から、Ｓ４０９０の貯玉持玉乗入れ設定通知で指定される乗入れ状態時払出玉数に応じた払出度数に変更する。
【０３４４】
貯玉持玉乗入れ設定応答を受信した持玉管理装置１４０は、Ｓ４１１０で台番号及び「結果：ＯＫ（００：乗入れ状態移行可能）」を含むＣＵ設定変更応答２を会員管理装置１５０に送信する（図４２参照）。このＣＵ設定変更応答２を受信した会員管理装置１５０は、ＣＵ設定変更処理を終了する。即ち、ＣＵ３に対して指定した乗入れ状態時払出玉数に応じた払出度数に変更されたことを確認する。
【０３４５】
次に、Ｓ４１２０でＣＵ３から持玉管理装置１４０に、受付中の会員カードのＣＩＤ及び会員番号を含むカード挿入通知が送信される。このカード挿入通知は、持玉管理装置１４０にＣＩＤと会員番号を送信する手段として、擬似的且つ自動的に行われるシーケンスであり、実際にカードの排出や挿入の動作は行われない。続いて、Ｓ４１３０で、持玉管理装置１４０から会員管理装置１５０に、会員番号を含むカード情報要求が送信される。持玉管理装置１４０の発行済取引通番は２（更新）、受信済通番は０となる。
【０３４６】
このカード情報要求を受信した会員管理装置１５０は、口座２（エリア２）から口座１（エリア１）に乗入れ可能な玉数を計算する。この場合の計算式は、２２００（口座２の貯玉数）×（２円÷４円）＝１１００玉となる。続いて、会員管理装置１５０は、Ｓ４１４０で、この口座２の乗入れ可能玉数（再プレイ可能玉数＝１１００玉）を含むカード情報応答を持玉管理装置１４０に送信し、持玉管理装置１４０は、Ｓ４１５０で、カード単位のオンライン取引通版（：２）、口座２の乗入れ可能玉数（再プレイ可能玉数：１１００玉）及び該乗入れ可能玉数に応じた再プレイ可能度数（再プレイ可能度数：４４）を含むカード挿入結果をＣＵ３に送信する。
【０３４７】
持玉管理装置１４０からＳ４１５０のカード挿入結果を受信したＣＵ３は、貯玉持玉乗入れ設定通知（Ｓ４０９０）で指定された乗入れ元エリア単価及び乗入れ状態時払出玉数に応じた「１玉２円コーナーから乗入れ中」及び「２００玉払出」を表示すると共に、カード挿入結果（Ｓ４１５０）で指定される再プレイ可能玉数に応じた「乗入れ貯玉：１１００玉」を表示する。
【０３４８】
このように、一旦乗入れ意思確認を行った遊技者が台移動を行い、異なる遊技機で遊技を行う場合や、遊技者が休憩等によって離席し（その際会員カードを排出し）、休憩終了後に同じ台で再度遊技を行う（その際会員カードを再度挿入する）場合に、会員管理装置１５０で記憶している乗入れ登録情報が消去されていないことにより、改めて乗入れの意思確認を行う必要がなくなり（２−２−２．乗り入れ総玉数確認とそれに続く２−２−３．乗入れ意思表示に必要な処理が不要となり）、遊技者の利便性を向上させることができる。
【０３４９】
また、この実施の形態では、営業終了後に乗入れ登録情報が消去されるようになっているため、翌日以降は、再び乗入れ意思確認を行った上で乗入れ状態に移行させることになる。これにより、適切な期間内で乗入れ意思確認を不要とし、乗入れ意思確認が不要となる期間が不明確となることによる遊技者の混乱を防止するようにしている。また、乗入れ意思確認が不要となる期間が無制限となることによる遊技用システム１の処理負担を軽減するようにしている。
【０３５０】
また、この実施の形態では、Ｓ４０６０で送信するＣＵ設定変更通知２の乗入れ状態時払出玉数を、新たに会員カードが挿入されたＣＵ３に対応する基本単価に応じた払出玉数に設定している。これにより、乗入れの意思確認が行われたとき（又は前回乗入れ状態における貯玉再プレイが行われたとき）のＣＵ３に対応する基本単価と、新たに会員カードが挿入されたＣＵ３の基本単価とが異なる場合（基本単価が異なるエリア間の台移動の場合）であっても、乗入れ意思確認で選択された乗入れ元口座の貯玉数を使用して、遊技者及び遊技場が損失を被らない乗入れ状態時払出玉数を払い出すことが可能となる。
【０３５１】
また、会員管理装置１５０において、記憶している乗入れ登録情報で指定される乗入れ先エリアと、会員カードが挿入されたＣＵ３の基本単価に対応したエリアが合致する場合（同じエリア（基本単価）間での台移動や、同じＣＵ３への会員カードの再挿入の場合）にのみ、Ｓ４０６０で、記憶している乗入れ登録情報に基づいて設定されたＣＵ設定変更通知２を送信して乗入れ状態に移行し、ＣＵ３にて払出度数を変更可能としても良い。
【０３５２】
例えば、会員管理装置１５０側において、送信したＣＵ設定変更通知２（例えばＳ２３００の情報）を、乗入れ意思登録情報（例えばＳ２２４０の情報）に対応付けて記憶しておくようにしても良い。そして、会員管理装置１５０は、Ｓ４０５０で乗入れの開始を通知する際に、記憶していたＣＵ設定変更通知２で指定される台番号に対応する基本単価（乗入れ先エリア単価）と、当該ＣＵ３の台番号に対応した基本単価とが合致するか否かを判定する。そして、合致している場合には、乗入れ先エリアに変更が無いため、Ｓ４０６０では、該記憶していたＣＵ設定変更通知２（ただし台番号は今回対象となるＣＵ３の台番号に設定する）を再度送信すると良い。
【０３５３】
一方で、記憶していたＣＵ設定変更通知２で指定される台番号に対応する基本単価（乗入れ先エリア単価）と、当該ＣＵ３の台番号に対応した基本単価とが合致しない場合には、乗入れ先エリア単価の異なるＣＵ３間での移動となるため、乗入れ状態への移行処理を中断して、２−２−２．乗り入れ総玉数確認の処理に移行するようにしても良い。
【０３５４】
その場合、会員管理装置１５０は、Ｓ４０６０に相当する処理において、「乗入れ状態指示：００（乗入れ終了）」と設定したＣＵ設定変更通知２を、持玉管理装置１４０に送信する。これを受信した持玉管理装置１４０は、Ｓ４０９０に相当する処理において、「乗入れ状態指示：００（乗入れ終了）」と設定した貯玉持玉乗入れ設定通知を、ＣＵ３に送信する。続いて遊技者は、図３７（ａ）のＣＵ３画面上の「メニュー」ボタンにタッチして、再度２−２−２．乗り入れ総玉数確認から乗入れ処理を行う。この場合、「乗入れ状態指示：００（乗入れ終了）」を含む貯玉持玉乗入れ設定通知を受信したＣＵ３は、ＣＵ３画面上に「乗入れを再度設定してください」等の文字案内を数秒間表示した後、図３７（ａ）のＣＵ３メイン画面を表示するようにしてもよい。
【０３５５】
なお、この実施の形態では、乗入れ先エリアの貯玉数によらず、既に乗入れの意思確認がされている会員カードがＣＵ３に挿入された場合には、会員管理装置１５０で記憶されている乗入れ登録情報に基づいて、改めて乗入れの意思確認を要することなく乗入れが可能となる例を示したが、このような形態に限らず、乗入れ先エリアの貯玉数が０である場合や、あるいは乗入れ状態時払出玉数未満である場合にのみ、改めて乗入れの意思確認を要することなく乗入れが可能となるようにしても良い。
【０３５６】
２−４−２．当該口座の貯玉残数が無くなった時
以下、乗入れ意思確認済みの状態で、当該口座の貯玉数が０になった場合の処理について説明する。図２７及び図２８は、その場合の会員管理装置１５０、持玉管理装置１４０及びＣＵ３間の動作の流れを示す図である。
【０３５７】
図２７及び図２８においては、会員管理装置１５０に記憶されている会員所有の貯玉数は、口座１（エリア１）には１２５、口座２（エリア２）には２２００、口座３（エリア３）には３０００、となっている。また、持玉管理装置１４０の持玉に記憶されている会員所有の持玉数は、口座１（エリア１）、口座２（エリア２）、口座３（エリア３）全てにおいて０、となっている。また、ＣＵ３の基本単価に対応した口座は、口座１（エリア１）の４円口座であり、払出度数はＣＵ３の基本払出玉数（１２５）に応じた払出度数（５）となっている。また、会員管理装置１５０には、当該ＣＵ３にて受け付けられている会員カードの会員ＩＤを含む乗入れ登録情報が記憶されているものとする。
【０３５８】
但し、乗入れ先エリアの貯玉数が１２５残っているため、選択されている乗入れ元口座の貯玉数を使用して乗入れ先エリア単価（ＣＵ３に対応した基本単価）の遊技媒体を払い出すことは禁止されている状態である。まず、他の口座から乗入れを行う前に、口座１（エリア１）４円口座の再プレイを実施し、口座１（エリア１）４円口座の上記の貯玉１２５を遊技機に払い出す処理の流れを説明する（Ｓ４２００〜Ｓ４２６０）。これは、乗入れを伴わない通常の貯玉再プレイの最後の一回分に相当する処理である。
【０３５９】
会員カード挿入〜総玉数確認までの処理は、２−２−１．会員カード挿入と同じ処理のため、説明は省略する。このとき口座１（エリア１）の４円口座は、上述したように持玉０、貯玉１２５であるから、総玉数は１２５である。ここで、再プレイボタン３１９が操作され、貯玉再プレイが実行されて、遊技機から５度数相当の１２５玉が払い出されたものとする。
【０３６０】
このとき、ＣＵ３から持玉管理装置１４０に、貯玉更新開始通知が送信される（Ｓ４２００）。貯玉更新開始通知には、会員番号、予定引き落とし玉数：１２５玉（５度数）、予定エリア（口座）：エリア１（口座１）の情報が含まれている。貯玉更新開始通知を受信した持玉管理装置１４０は、Ｓ４２１０で台番号及び会員番号を含む貯玉更新開始通知を会員管理装置１５０に送信する。さらにＳ４２２０で「結果：００（ＯＫ）」を含む貯玉更新開始応答をＣＵ３に送信する。
【０３６１】
貯玉更新開始応答を受信したＣＵ３は、払出玉数を通知して貯玉数を更新するために、Ｓ４２３０で貯玉更新要求を持玉管理装置１４０に送信する。この貯玉更新要求には、払出玉数：１２５玉（５度数）、エリア種別：０１（４円口座）、オンライン取引通番：２、乗入れ元口座：００（乗入れ無し）の情報が含まれている（図５４参照）。これに伴い、持玉管理装置１４０の発行済み取引通番は２、受信済み通番は２となる。
【０３６２】
貯玉更新要求を受信した持玉管理装置１４０は、Ｓ４２４０で会員管理装置１５０に貯玉更新要求３を送信する。この貯玉更新要求３には、台番号：００３、会員番号、引落区分：０１（再プレイ）、払出玉数：１２５（５度数）、当台エリア種別：００、乗入れ元エリア種別：００、の情報が含まれている。当台エリア種別と乗入れ元エリア種別は共に００であり、乗入れ無しの再プレイであることを示している（図４７参照）。
【０３６３】
貯玉更新要求３を受信した会員管理装置１５０は、会員管理装置１５０が管理している当該口座の貯玉数を更新する。すなわち、貯玉更新要求３で指定される会員番号に対応付けて管理している各口座の貯玉数のうち、貯玉更新要求３で指定される台番号の基本単価に対応した口座の貯玉数から貯玉更新要求３で指定される払出玉数を減算するものであり、上記の例では、当該口座である口座１（エリア１）の４円口座の貯玉が、１２５（更新前貯玉数）−１２５（払出玉数）＝０、に更新される。
【０３６４】
続いて、会員管理装置１５０は、Ｓ４２５０で持玉管理装置１４０に貯玉更新応答３を送信する。貯玉更新応答３には、「結果：０１」、会員番号、玉１（再プレイ可能玉数）：０、玉１（再プレイ可能度数）：０、の情報が含まれている（図４７参照）。玉１（再プレイ可能玉数）により、当該口座の貯玉数が０となったことが指定される。
【０３６５】
貯玉更新応答３を受信した持玉管理装置１４０は、Ｓ４２６０でＣＵ３に貯玉更新応答を送信する。この貯玉更新応答には、オンライン取引通番：３、玉１（再プレイ可能玉数）：０、玉１（再プレイ可能度数）：０、の情報（貯玉更新応答３で指定された情報）が含まれている（図５１参照）。貯玉更新応答を受信したＣＵ３は、図３８（ａ）に示されるように、ＣＵ３メイン画面に、持玉０、貯玉０を表示する。
【０３６６】
ここで、当該口座（エリア）の持玉数及び貯玉数が０となったことにより、他口座（エリア）の貯玉数を使用して当該ＣＵ３に対応した基本単価の遊技媒体を払い出すことが可能となる。前述したＳ４２５０の貯玉更新応答３の送信処理終了から所定時間経過後、Ｓ４２７０で会員管理装置１５０は、ＣＵ３にて受付中の会員カードの会員番号に対応した乗入れ登録情報を記憶している（乗入れ意思確認が完了している）ことに基づいて、Ｓ４２８０で持玉管理装置１４０にＣＵ設定変更通知２を送信する。
【０３６７】
このＣＵ設定変更通知２は、前述したように会員管理装置１５０で記憶している乗入れ登録情報に基づいて設定されるものである。このＣＵ設定変更通知２には、台番号：００３、会員番号、乗入れ状態指示：０１（開始）、乗入れ状態時払出玉数：２００（８度数）、乗入れ元エリア種別：０２（２円口座）、乗入れ元エリア単価（１玉２円）、の情報が含まれている（図４２参照）。
【０３６８】
ＣＵ設定変更通知２を受信した持玉管理装置１４０は、Ｓ４２９０でＣＵ３に貯玉持玉乗入れ設定通知を送信する。この貯玉持玉乗入れ設定通知には、会員番号、乗入れ状態指示：０１（開始）、乗入れ状態時払出玉数：２００（８度数）、乗入れ元エリア種別：０２（２円口座）、乗入れ元エリア単価（１玉２円）、の情報が含まれている（図４９参照）。
【０３６９】
貯玉持玉乗入れ設定通知を受信したＣＵ３は、ＣＵ３画面を図３８（ａ）から図３８（ｂ）に切り替え、例えば「しばらくお待ちください」等の文字案内を表示する。さらに、ＣＵ３は、Ｓ４３００で持玉管理装置１４０に貯玉持玉乗入れ設定応答を送信し（図５４参照）、これを受信した持玉管理装置１４０はＳ４３１０で会員管理装置１５０に、「結果：ＯＫ」を含むＣＵ設定変更応答２を送信する（図４２参照）。
【０３７０】
次に、ＣＵ３は、Ｓ４３２０でＣＩＤ及び会員番号を含むカード挿入通知を持玉管理装置１４０に送信し、続けて、持玉管理装置１４０は、Ｓ４３３０で会員番号を含むカード情報要求を会員管理装置１５０に送信する。上記のカード挿入は、図２１で説明した２−２−４．乗入れ開始（Ｓ２３４０）と同じく擬似的なものであり、実際にカード挿入が行われるわけではない。これに伴い、持玉管理装置１４０の発行済み取引通番は４（更新）、受信済み通番：２となる。
【０３７１】
Ｓ４３３０のカード情報要求を受信した会員管理装置１５０は、記憶している口座２（エリア２）２円口座の貯玉数を読み出した後、口座２の乗入れ可能玉数を通知するために、Ｓ４３４０で会員番号及び「口座２：再プレイ可能玉数：１１００」を含むカード情報応答を持玉管理装置１４０に送信する。
【０３７２】
口座２（エリア２）２円口座の総玉数は、貯玉２０００と持玉２００を合算した２２００であるので、２２００×（２円÷４円）＝１１００が口座１に乗入れる際の再プレイ可能玉数となる。また、１１００玉÷２５玉＝４４が再プレイ可能度数となる。
【０３７３】
Ｓ４３４０のカード情報応答を受信した持玉管理装置１４０は、Ｓ４３５０でオンライン取引通番：４及び再プレイ可能玉数：１１００再プレイ可能度数：４４を含むカード挿入結果をＣＵ３に送信する。これを受信したＣＵ３は、ＣＵ３の画面を図３８（ｂ）から図３８（ｃ）に切り替えて、乗入れ状態：１玉２円コーナーから乗入れ中、乗入れ状態時払出玉数：２００玉、乗入れ貯玉：１１００玉をＣＵ３画面上に表示する。
【０３７４】
２−５．乗入れ解除通知タイミング
２−５−１．乗入れ意思確認済みカードの排出
以下、会員カードがＣＵ３に挿入され、乗入れ総玉数確認、乗入れ意思表示、乗入れ開始処理が行われた後、会員カードが排出される場合の処理の流れについて説明する。ここで、図２９の会員カード挿入、乗入れ総玉数確認、乗入れ意思表示、乗入れ開始については、前述した２−２−１〜４と同様であるので説明を省略する。
【０３７５】
図２９の会員カード排出前の状態で会員管理装置１５０に記憶されている会員の貯玉は、口座１（エリア１）には０、口座２（エリア２）には２２００、口座３（エリア３）には３０００、となっている。また、持玉管理装置１４０に記憶されている会員の持玉は、口座１（エリア１）、口座２（エリア２）、口座３（エリア３）の全てにおいて０、となっている。また、ＣＵ３の口座は、口座１（エリア１）の４円口座であり、乗入れ開始後のため払出度数は乗入れ用払出度数の８、となっている。ここで、図３９（ａ）はＣＵ３のカード挿入状態で乗入れ中の表示画面、図３９（ｂ）は会員カード排出後の画面である。
【０３７６】
Ｓ５０００でＣＵ３のカード排出ボタン２２が押されると、ＣＵ３は、カードから読み取られたＣＩＤ及び会員番号を含むカード排出通知を持玉管理装置１４０に送信する。このカード挿入通知を受信した持玉管理装置１４０は、Ｓ５０１０で「結果：ＯＫ」を含むカード排出結果をＣＵ３に送信し、それを受信したＣＵ３は、会員カードの排出を行う。
【０３７７】
続いてＣＵ３は、Ｓ５０２０で持玉管理装置１４０にカード排出ＲＥＳを送信し、カード排出ＲＥＳを受信した持玉管理装置１４０はＳ５０３０で台番号及びＣＩＤを含む遊技終了通知を会員管理装置１５０に送信する。この遊技終了通知を受信した会員管理装置１５０は、Ｓ５０４０で持玉管理装置１４０に遊技終了応答を送信する。
【０３７８】
Ｓ５０４０で送信された遊技終了応答を受信した持玉管理装置１４０は、Ｓ５０５０で貯玉持玉乗入れ設定通知をＣＵ３に送信する。この貯玉持玉乗入れ設定通知において、乗入れ状態指示は００：乗入れ状態終了指示と設定されており、これを受信したＣＵ３は、乗入れ状態の解除、即ち、当該ＣＵ３の基本単価に対応した口座以外の口座の貯玉数を使用して当該ＣＵ３に対応した基本単価の遊技媒体を払い出すことが可能な状態の終了に伴い、払出度数を、乗入れ状態時払出玉数（２００）に応じた度数（８）から、記憶している基本払出玉数（１２５）に応じた度数（５）に変更し、乗入れ意思確認済みカードの排出処理を終了する。
【０３７９】
なお、Ｓ５０２０でＣＵ３が上記カード排出ＲＥＳを送信した後に、払出度数を基本払出玉数（１２５）に応じた度数（５）に変更するように設定しておくことにより、Ｓ５０５０における貯玉持玉乗入れ設定通知の受信は不要となる。
【０３８０】
このように、会員カードがＣＵ３から返却されるときに（乗入れを行った遊技者が遊技を終了するときに）、乗入れ状態が解除されることに伴い払出度数を基本払出玉数に応じた払出度数に戻すことにより、次に当該ＣＵ３を使用する遊技者が、通常の基本払出玉数とは異なる乗入れ状態時払出玉数の遊技媒体が払い出されることにり困惑してしまうことを防止することができる。
【０３８１】
２−５−２．会員管理装置−持玉管理装置切断時
以下、会員カードがＣＵ３に挿入され、乗入れ総玉数確認、乗入れ意思表示、乗入れ開始処理が行われた後、会員管理装置１５０−持玉管理装置１４０間の通信接続が切断された場合の処理の流れについて説明する。図３０の会員カード挿入、乗入れ総玉数確認、乗入れ意思表示、乗入れ開始については、２−１〜２−４と同様であるので説明を省略する。
【０３８２】
通信回線の不具合等の理由で、Ｓ５１００で会員管理装置１５０と持玉管理装置１４０の通信が切断され、Ｓ５１１０で持玉管理装置１４０がその通信切断を検知すると、Ｓ５１３０でＣＵ切断通知がＣＵ３に送信される。なお、Ｓ５１１０の通信切断の検知後、Ｓ５１２０で持玉管理装置１４０からＣＵ３へ貯玉持玉乗入れ設定通知（乗入れ状態指示は００：乗入れ状態終了指示）を送信するようにしてもよいが、この処理は省略可能である。
【０３８３】
ＣＵ切断通知を受信したＣＵ３は、Ｓ５１４０で乗入れの終了を検知し、乗入れ状態の解除に伴い、払出度数を、乗入れ状態時払出玉数（２００）に応じた度数（８）から、記憶している基本払出玉数（１２５）に応じた度数（５）に変更する。
【０３８４】
ここで、ＣＵ３と会員管理装置１５０とが通信不能（オフライン状態）となったことに伴い、当該ＣＵ３の基本単価に対応した口座以外の口座の貯玉数（会員管理装置１５０により管理される）を使用して、当該ＣＵ３に対応した基本単価の遊技媒体を払い出すことができなくなる。従って、ＣＵ３では、表示部３１２における乗入れ表示（図５０）を終了すると共に、貯玉再プレイを禁止する（例えば、貯玉数の表示を０として再プレイボタン３１９の操作を無効化する）。
【０３８５】
このように、あくまで乗入れ元口座の貯玉数を更新可能な通信状態においてのみ乗入れが許容されるようにし、ＣＵ３と会員管理装置１５０とが通信不能の状態では乗入れが禁止されるようにすることで、乗入れ状態において会員管理装置１５０で管理される貯玉数を減少させないために意図的にオフライン状態を発生させる等の不正を防止することができる。
【０３８６】
また、ＣＵ３と会員管理装置１５０とが通信不能な状態となったときには、ＣＵ３において乗入れ状態における払出度数から基本払出玉数に応じた払出度数に戻すことにより、ＣＵ３と会員管理装置１５０とがオフライン状態となった後も、乗入れ状態における払出度数が維持されることにより、乗入れ状態が継続されていると誤解させることを防止するようにしている。
【０３８７】
次に、ＣＵ３及び持玉管理装置１４０は、ＣＵ３におけるオンライン確認要求の受信及び持玉管理装置１４０におけるオンライン確認応答の受信に基づいて、Ｓ５１５０で再接続シーケンスに移行する。ＣＵ３は、Ｓ５１６０でＣＩＤ及び会員番号を含むカード挿入通知を持玉管理装置１４０に送信する。このカード挿入通知を受信した持玉管理装置１４０は、Ｓ５１７０で口座１：再プレイ可能玉数、口座１：再プレイ可能度数を含むカード挿入結果をＣＵ３に送信し、会員管理装置１５０−持玉管理装置１４０接続時の処理を終了する。
【０３８８】
２−５−３．持玉管理装置−ＣＵ切断時
以下、会員カードがＣＵ３に挿入され、乗入れ総玉数確認、乗入れ意思表示、乗入れ開始処理が行われた後、持玉管理装置１４０−ＣＵ３間の通信接続が切断された場合の処理の流れについて説明する。図３１の会員カード挿入、乗入れ総玉数確認、乗入れ意思表示、乗入れ開始については、前述した２−２−１〜４と同様であるので説明を省略する。
【０３８９】
通信回線の不具合等の理由で、Ｓ５２００で持玉管理装置１４０とＣＵ３の通信が切断され、Ｓ５２１０で持玉管理装置１４０が通信切断を検知すると、Ｓ５２３０で持玉管理装置１４０から台番号を含むＣＵ切断通知が会員管理装置１５０に送信される。このときの通信状態は、持玉管理装置１４０が、ＣＵ３からはオンライン確認応答を受信していないが、会員管理装置１５０からはオンライン確認応答を受信している状態に該当する。
【０３９０】
ＣＵ３は、持玉管理装置１４０とＣＵ３の通信切断により、Ｓ５２２０でＣＵ３側で乗入れの終了を検知し、乗入れ状態の解除に伴い、払出度数を、乗入れ状態時払出玉数（２００）に応じた度数（８）から、記憶している基本払出玉数（１２５）に応じた度数（５）に変更する。また、ＣＵ３では、表示部３１２における乗入れ表示（図５０）を終了すると共に、貯玉再プレイを禁止する（例えば、貯玉数の表示を０として再プレイボタン３１９の操作を無効化する）。
【０３９１】
ＣＵ切断通知を受信した会員管理装置１５０は、通信切断により乗入れ状態を終了する。即ち、乗入れ状態における貯玉再プレイにおいてＣＵ３から持玉管理装置１４０に送信されるべき貯玉更新要求（例えば、Ｓ２４４０）を、持玉管理装置１４０が受信不能な状態となることにより、当該ＣＵ３の基本単価に対応した口座以外の口座の貯玉数（会員管理装置１５０により管理される）を使用して、当該ＣＵ３に対応した基本単価の遊技媒体を払い出すことができなくなる。
【０３９２】
次に、持玉管理装置１４０及びＣＵ３は、持玉管理装置１４０におけるオンライン確認応答の受信及びＣＵ３におけるオンライン確認要求の受信に基づいて、Ｓ５２５０で再接続シーケンスに移行し、持玉管理装置１４０−ＣＵ３切断時の処理を終了する。再接続シーケンスが終了し、持玉管理装置１４０とＣＵ３の通信が正常に復帰したことが確認できた後、会員管理装置１５０、持玉管理装置１４０及びＣＵ３は、２−４−１．で説明した乗入れ意思確認済みの会員カード挿入処理に移行可能となる。
【０３９３】
ここで、上述したような乗入れ状態に制御されているときにも、ＣＵ３は計数・端数払出ユニット３４０により、パチンコ機２での遊技により獲得した遊技媒体（賞球）を計数可能とされている。従って、乗入れ状態に移行した後でも、当該ＣＵ３の基本単価に対応した口座の持玉数が０から増加するケースが発生しうる。この場合には、持玉数が０ではなくなったことに基づいて、直ちに乗入れ状態を解除せず、また、直ちに払出度数を戻さない（乗入れ状態時払出玉数に応じた払出度数から基本払出玉数に応じた払出度数に戻さない）ものとしている。そして、当該ＣＵ３から会員カードが排出されたときや、遊技者による乗入れ解除の操作（例えば全ての乗入れ元エリアの選択がＯＦＦとされたとき）に、乗入れ状態を解除し、払出度数を戻すものとする。
【０３９４】
ここで、当該ＣＵ３により計数された持玉数が所定数以上（例えば基本払出玉数である１２５以上）となったときや、当該ＣＵ３に対応する遊技機にて大当りが発生したとき（このとき遊技機から出力される大当り信号が制御ユニット３２８に入力されるものとする）には、乗入れ状態を解除し、払出度数を戻すようにしても良い。このように、所定の持玉数条件を満たす場合や、遊技機が遊技者にとって有利な有利状態に制御されることに基づいて、乗入れ状態を解除し、払出度数を戻すようにしても良い。これにより、持玉数を使用した遊技を促すと共に、乗入れ状態が継続することによる処理負担を軽減することができる。
【０３９５】
また、遊技場の営業終了後（例えば２３：００）に遊技用システム１において実行される締め処理や、遊技場の営業開始前（例えば９：００）に遊技用システム１において実行される開店処理において、乗入れ状態を解除し、各ＣＵ３において払出度数を戻すようにしても良い。
【０３９６】
また、乗入れ状態にあるＣＵ３、又は、持玉管理装置１４０若しくは会員管理装置１５０の電断が検出されたときに、乗入れ状態を解除し、当該ＣＵ３の払出度数を戻すようにしても良い。なお、ＣＵ３の基本払出玉数（及びこれに対応した払出度数）は、電断状態におけるバックアップ記憶領域に記憶されており、電断が検出されたときには、払出度数を、バックアップ記憶領域に記憶されている基本払出玉数に対応した払出度数に設定すると良い。
【０３９７】
また、ＣＵ３が、基本払出玉数（例えば１２５玉）に対応した払出度数（５度数）と、設定された乗入れ状態時払出玉数（例えば２００玉）に対応した払出度数（８度数）とを記憶しておき、乗入れ状態ではない場合（プリペイド残額を使用する場合、当該口座の持玉数を使用する場合、当該口座の貯玉数を使用する場合）には、基本払出玉数に対応した払出度数相当の遊技媒体数（１２５玉）を払い出し、乗入れ状態である場合（当該口座以外の貯玉数を使用する場合）には、乗入れ状態時払出玉数に対応した払出度数相当の遊技媒体数（２００玉）を払い出すようにしても良い。即ち、使用する価値の種別や口座に応じて異なる払出度数が設定されるようにしても良い。
【０３９８】
（基本単価の変更に伴う乗入れ）
前述した持玉管理装置１４０及び会員管理装置１５０におけるＣＵ管理テーブルでは、各ＣＵ３に対応した基本単価が記憶されている。このＣＵ管理テーブルの基本単価は、遊技場の管理者が入力装置によって設定可能となっている。例えば、１の遊技媒体の払出に消費されるプリペイド価値を、４．００円から４．３２円、２．００円から２．１６円、１．００円から１．０８円、に各々変更することにより、消費税（本例では８％）を勘案した基本単価を設定することができる。更新後の基本単価は更新対象のＣＵ３に送信されて記憶されることになる。また、これに伴い、持玉管理装置１４０の持玉管理テーブル及び会員管理装置１５０の貯玉管理テーブルにおいて、エリア８、９、１０が有効となり、エリア８、９、１０に対応したエリア単価として、それぞれ、４．３２円、２．１６円、１．０８円が設定されるものとする。
【０３９９】
ここで、ＣＵ３の基本単価が変更されることによって、変更前の基本単価に対応したＣＵ３が遊技場内に設置されなくなる（会員管理装置１５０と通信接続されなくなる）ことで、変更前の基本単価に対応した口座の貯玉数を使用することができなくなってしまい、遊技者が損失を被る可能性がある。例えば、変更前の基本単価が４．００円であったＣＵ３の基本単価が４．３２円に変更された場合には、遊技場内に基本単価が４．００円のＣＵ３が存在せず、会員管理装置１５０で管理されているエリア１（４．００円）の貯玉数を通常の貯玉再プレイ（ＣＵ３の基本単価に対応した口座の貯玉数を使用する貯玉再プレイ）に使用できないことになってしまう。このような問題を回避するために、図１２の乗入れ許可テーブルを用いて乗入れを許可するものとする。
【０４００】
エリア１〜３は、それぞれ基本単価の変更前に設置されていたＣＵ３の基本単価に対応した口座である。エリア１、２、３のエリア単価は、４．００円、２．００円、１．００円であり、各口座には基本単価の変更前に貯蓄されていた貯玉数が記憶されているものとする。ここで、エリア１（４．００円）、エリア２（２．００円）、及びエリア３（１．００円）の貯玉数は、会員管理装置１５０と通信可能であり且つ当該エリア１〜３に対応した基本単価のＣＵ３が存在しないことにより、会員管理装置１５０と通信可能なＣＵ３の基本単価に対応した口座（エリア）の貯玉数を使用する貯玉再プレイには使用することができないものである。
【０４０１】
エリア８〜１０は、それぞれ基本単価の変更後に設置されているＣＵ３の基本単価に対応した口座である。エリア８、９、１０のエリア単価は、４．３２円、２．１６円、１．０８円であり、各口座には基本単価の変更後に貯蓄された貯玉数が記憶されているものとする。エリア８〜１０のエリア単価は、消費税を勘案して変更前の基本単価（４．００円、２．００円、１．００円）よりも８％高い基本単価に変更されている。
【０４０２】
ここで、会員管理装置１５０との通信対象となるＣＵ３の基本単価（即ち現在遊技場に設置されているＣＵ３の基本単価）に対応するエリア８〜１０では、乗入れ元エリア単価４．３２円から乗入れ先エリア単価２．１６円、１．０８円への乗入れ、乗入れ元エリア単価２．１６円から乗入れ先エリア単価４．３２円、１．０８円への乗入れ、乗入れ元エリア単価１．０８円から乗入れ先エリア単価４．３２円、２．１６円への乗入れ、の全ての組み合わせが許可される。
【０４０３】
また、乗入れ先エリアが、会員管理装置１５０との通信対象となるＣＵ３の基本単価に対応しないエリア１〜３となるような乗入れは、エリア１〜３に対応した基本単価が記憶されているＣＵ３が遊技場内に存在しないことにより、乗入れ元エリアによらず全て禁止されている。
【０４０４】
一方、会員管理装置１５０との通信対象となるＣＵ３の基本単価に対応しないエリア１〜３から、会員管理装置１５０との通信対象となるＣＵ３の基本単価に対応するエリア８〜１０への乗入れは許容される。本例では、このような関係となる、乗入れ元エリア単価４．００円から乗入れ先エリア単価４．３２円、２．１６円、１．０８円への乗入れ、乗入れ元エリア単価２．００円から乗入れ先エリア単価４．３２円、２．１６円、１．０８円への乗入れ、乗入れ元エリア単価１．００円から乗入れ先エリア単価４．３２円、２．１６円、１．０８円への乗入れ、の全ての組み合わせが許可される。
【０４０５】
これにより、ＣＵ３における通常の貯玉再プレイに使用することができないエリア１〜３の貯玉数を、乗入れ状態における貯玉再プレイに使用可能とすることができる。即ち、会員管理装置１５０との通信対象となるＣＵ３の基本単価に対応しないエリア１〜３を乗入れ元口座とすることを許可することにより、変更前の基本単価の口座に貯玉を所有する遊技者が、その口座の貯玉数を使用して、変更後の基本単価の遊技媒体を払い出すことができるようになり、遊技者に損失を与えないようにすることができる。
【０４０６】
なお、会員管理装置１５０との通信対象となるＣＵ３の基本単価に対応しないエリア１〜３を乗入れ元エリアとする場合には、乗入れ元エリア単価４．００円から乗入れ先エリア単価４．３２円への乗入れ、乗入れ元エリア単価２．００円から乗入れ先エリア単価２．１６円への乗入れ、乗入れ元エリア単価１．００円から乗入れ先エリア単価１．０８円への乗入れ、の組み合わせのみを許容するようにしても良い。即ち、乗入れ元エリア単価に代わり新たに設定された乗入れ先エリア単価に対しての乗入れのみを許容するようにしても良い。
【０４０７】
なお、上記の実施形態においては、持玉管理装置１４０の持玉管理テーブルで管理されているエリアｎに対応したエリア単価と、会員管理装置１５０の貯玉管理テーブルで管理されているエリアｎに対応したエリア単価と、乗入れ許可テーブルで管理されているエリアｎに対応したエリア単価とが合致している（ｎ＝１，２，…，１０）ものとしている。
【０４０８】
ここで、基本単価の変更に伴い、持玉管理テーブルにおけるエリア１〜３に対応したエリア単価を消去して持玉管理テーブルにおけるエリア１〜３を無効化する（対応するエリア単価を特定不能な状態とする）処理を実行する場合には、貯玉管理テーブルにおけるエリア１〜３のエリア単価に対応した口座が持玉管理テーブルには存在しないことになる。この場合には、持玉管理装置１４０側でエリア１〜３の情報が不明となるため、会員管理装置１５０側で、前述した図１９のＳ２１１０で送信する貯玉持玉乗入れ情報において、エリア１〜３に対応した各ブロックの玉／メダル単価（例えば、１玉４円、１玉２円、１玉１円）を設定することにより、対象となるＣＵ３における乗入れ元口座の情報表示を可能としている。
【０４０９】
［変形例］
次に、前述した実施の形態の変形例を挙げる。
（１）上記の実施の形態では、会員カードＩＤ及び会員番号に対応して会員管理装置１５０に記録された貯玉を乗入れに使用するとして説明した。しかし、これに限定されず、ビジターカード（非会員カード）ＩＤに対応して持玉管理装置１４０に記録された持玉を乗入れに使用してもよい。その場合は、持玉管理装置１４０及びＣＵ３間で、持玉乗入れ確認、持玉乗入れ意思確認、ＣＵ設定変更及び持玉更新等の送受信を行う構成とすればよい。こうすることにより、会員カードを所持する会員以外（非会員、ビジター）でも、乗入れによる遊技玉の補充が可能となる。
【０４１０】
（２）上記の実施の形態では、会員カードを所持する会員が「乗入れ意思確認」することによって、乗入れが可能になるとして説明した。しかし、これに限定されず、会員が会員カードをＣＵに挿入後、自動的に乗入れ状態となるように設定してもよい。例えば、前述した２−２−１．会員カード挿入後、２−２−２〜４を省略して自動的に乗入れ状態となり、２−２−５．貯玉再プレイが可能とするように設定する。その際は、乗入れ元口座等の情報は、予め遊技店又は遊技者が登録しておけばよい。
【０４１１】
（３）上記の実施の形態では、乗入れはパチンコ玉に対応した口座（エリア）間、あるいはメダルに対応した口座（エリア）間で行われる場合のみ許可され、パチンコ玉に対応した口座とメダルに対応した口座の間（即ち、種別の異なる遊技媒体間）での乗入れは許可されない例について説明した。しかし、これに限定されず、パチンコ玉に対応した口座とメダルに対応した口座の間（即ち、種別の異なる遊技媒体間）での乗入れを許可してもよい。
【０４１２】
（４）上記の実施の形態では、貯玉再プレイ１回分の払出玉数（乗入れ状態時払出玉数）は、１の乗入れ元口座の貯玉数からのみ減算される例について説明した。しかし、これに限定されず、貯玉再プレイ１回分の払出玉数に相当する玉数を、複数の乗入れ元口座の貯玉数から減算するようにしても良い。例えば、乗入れ先エリア単価が４円であり、乗入れ状態時払出玉数が２００である場合において、乗入れ元エリア単価が２円の口座の貯玉数から１５０玉相当（１５０×４÷２＝３００玉）を減算して、乗入れ元エリア単価が１円の口座の貯玉数から５０玉相当（５０×４÷１＝２００玉）を減算するようにしても良い。このようにすることにより、遊技者が各口座に所有する貯玉を有効に乗入れに活用することができる。
【０４１３】
（５）上記の実施の形態では、会員管理装置１５０を介して貯玉管理サーバ１５に貯玉を登録することができる貯玉第三者管理加盟店においてのみ乗入れ機能を使用可能とする前提で説明したが、これに限定されず、貯玉第三者管理加盟店以外の遊技場においても乗入れ機能を使用可能としてもよい。その場合は、遊技場が貯玉管理機関１５を代替する貯玉管理サーバー等を設置し、運用する構成とすればよい。
【０４１４】
（６）上記の実施の形態では、各口座間（但し、会員管理装置１５０と通信可能なＣＵ３の基本単価に対応した口座間）の全ての組合わせについて、乗入れを許可する場合について説明した。しかし、これに限定されず、特定の口座間において乗入れを不可とするようにしてもよい。例えば４円口座から１円口座への乗り入れを不可としたい場合は、図１１（ａ）の乗入れ許可テーブルの該当箇所を「Ｘ：不許可」として会員管理装置１５０に登録しておけばよい。また、図１１（ｂ）の乗入れ許可時間帯テーブルを用いて、特定の時間帯以外又は営業時間中は４円から１円への乗入れは不許可とすればよい。
【０４１５】
（７）上記の実施の形態では、乗入れをする場合、選択された乗入れ元口座の全ての持玉が貯玉に変換されるとして説明した。しかし、これに限定されず、予め指定した持玉数分のみ貯玉に変換されるようにしてもよい。その場合は、予め遊技者又は遊技店側が、乗入れの際に貯玉に変換される持玉数の上限を各口座（エリア）ごとに設定し、該上限値を持玉管理装置１４０に登録する。そして、持玉管理装置１４０は、図２０のＳ２２１０で貯玉持玉乗入れ意思確認要求を受信したタイミングで該上限値の情報を読み出し、上限を超えていない場合は次のステップであるＳ２２２０に進み、上限を超えている場合にはＣＵ３に応答を返信して、ＣＵ３画面上に「持玉変換の上限値を超えています」等の文字案内を表示させるようにすればよい。
【０４１６】
（８）上記の実施の形態では、乗り入れを行う貯玉数には特に制限を設けずに乗入れ処理を行う場合について説明した。しかし、これに限定されず、乗入れに使用できる営業日一日あたりの貯玉数の上限を、会員又は遊技店側が予め設定し、会員管理装置１５０に記憶させておいてもよい。その場合は、乗入れに使用された一日あたりの貯玉数を会員管理装置１５０に随時記憶させる。そして、会員管理装置１５０は、Ｓ２２４０の貯玉持玉乗入れ意思確認要求を受信したタイミングで、乗入れに使用できる営業日一日あたりの貯玉数の上限値を参照して、乗入れの許可、不許可を判定するようにすればよい。また、該上限値は、会員の全ての口座（エリア）の貯玉数を合算した値に対して設けてもよく、各口座貯玉数毎に設定してもよい。
【０４１７】
（９）上記の実施の形態では、乗入れ先口座の実際の貯玉数は乗入れ状態となった後でも更新されず０のままである例について説明した。これにより、乗入れを行った場合にも、当該乗入れ先エリア単価の貯玉を景品と交換することは不可能となる。即ち、乗入れ元エリアの貯玉が乗入れ先エリアの貯玉に変換される場面は、貯玉再プレイが実行されるときに限られる。一方で、乗入れ元口座の貯玉数に相当する乗入れ先エリア単価の遊技媒体数（乗入れ元エリア単価×乗入れ元エリアの貯玉数÷乗入れ先エリア単価）を、実際の乗入れ先口座の貯玉数に加算する形態としても良い。このような形態とする場合には、乗入れ先口座の実際の貯玉数が更新されることになる。
【０４１８】
このような構成とする場合において、乗入れ後の乗入れ先口座の貯玉数を景品交換に使用することを禁止するようにしても良い。ただし、乗入れ先口座の貯玉数を乗入れ元口座の貯玉数に戻す乗入れ解除処理（乗入れ先エリア単価×乗入れ先エリアの貯玉数÷乗入れ元エリア単価により算出される値を、乗入れ元エリアの貯玉数とする処理）を実行した後は、該乗入れ元口座の貯玉数を景品交換に使用可能とすると良い。例えば、遊技店側が景品交換のタイミングで、景品ＰＯＳ１７０等で乗入れ解除処理を行うようにすればよい。なお、これに限定されず、乗入れ解除処理を行うことなく乗入れ先口座の貯玉数を貯玉再プレイ以外（例えば景品交換）で使用可能としてもよい。
【０４１９】
（１０）上記の実施の形態では、一単位数、乗入れ元エリア単価及び乗入れ先エリア単価の最小公倍数の倍数を、乗入れ状態時払出玉数とする例を説明した。しかし、例えば外税などの要素が加わって乗入れ元エリア単価又は乗入れ先エリア単価に小数点以下の端数が発生した場合、上記の最小公倍数が大きくなり、結果として乗入れ状態時払出玉数が多くなりすぎる可能性が考えられる。例えば一回あたりの払出玉数が２５０玉（１０度数）以上になると、遊技者や遊技店に不利益が生じる可能性もある。
【０４２０】
これを防止すべく、例えば、算出される乗入れ状態時払出玉数が２５０玉（１０度数）以上になった場合には、会員管理装置１５０において乗入れ不許可の判定をすればよい。または、算出される乗入れ状態時払出玉数が２５０玉（１０度数）以上になった場合には、会員管理装置１５０において、該払出玉数を分割して払い出すコマンドを用意し、例えば１２５玉（５度数）ずつ複数回（２回）に分けて払出を行う構成とすればよい。
【０４２１】
（１１）上記の実施の形態では、２−４−２．当該口座の貯玉残数が無くなったときに、会員管理装置１５０が自動的に乗入れ状態に移行するための処理を実行する例について説明した（図２７及び図２８）。しかし、これに限定されず、当該口座の貯玉が残っている場合でも、乗入れ状態に移行可能としてもよい。例えば、当該口座の貯玉残数が所定数未満（例えば基本払出玉数未満、あるいは一単位数未満）の場合や、貯玉再プレイ実行可能回数が０である（例えば貯玉残数が０ではないものの、予め定められた貯玉再プレイを実行可能な貯玉残数未満である）場合は、貯玉残数が０になるのを待たずに、会員管理装置１５０が自動的に乗入れ状態に移行するための処理を実行するようにしてもよい。
【０４２２】
または、当該口座の貯玉残数が０になるのを待たずに、遊技者が図３８（ａ）のＣＵ３画面上の「メニュー」ボタンをタッチして、図３２（ｂ）及び図３５（ｂ）に示すメニュー画面を表示させ、さらに「乗り入れ」ボタンをタッチして乗入れ意思確認を行うことで、２−２−２．乗り入れ総玉数確認以降の処理を行って、乗入れを実行してもよい。その際は、例えば、会員管理装置１５０又はＣＵ３が当該口座の貯玉残数が所定数（例えば１００）以下になったことを検知した場合、ＣＵ３画面上に「乗り入れを行いますか？」等の文字案内を表示するようにしてもよい。
【０４２３】
（１２）上記の実施の形態では、乗入れ元口座に持玉がある場合は、持玉を貯玉に変換し、貯玉から乗入れを行うとして説明した。しかし、これに限定されず、持玉を貯玉に変換せずに乗入れに使用することとしてもよい。その場合は、持玉管理装置１４０及びＣＵ３間で、持玉乗入れ確認、持玉乗入れ意思確認、ＣＵ設定変更及び持玉更新等の送受信を行う構成とすればよい。さらに、乗入れ元口座に貯玉と持玉がある場合は、持玉から優先的に乗り入れを行うこととしてもよい。
【０４２４】
（１３）上記の実施の形態では、乗入れ元口座に持玉がある場合は、持玉を貯玉に変換し、貯玉から乗入れを行うとして説明した。しかし、これに限定されず、持玉を貯玉に変換することなく、貯玉のみによって乗入れを行うようにしても良い。その場合には、乗入れ元口座の持玉数が０であると仮定した場合と同様の処理を実行すると良く、例えば、Ｓ２２２０及びＳ２２３０の処理を実行せずに、以降の処理に移ると良い。
【０４２５】
（１４）上記の実施の形態では、乗入れ元口座で乗入れに使用可能な玉数や、乗入れ元口座の貯玉数を使用する貯玉再プレイの回数に制限を設けていない例について説明した。しかし、これに限定されず、各乗入れ元口座ごとに貯玉再プレイに使用できる営業日一日あたりの貯玉数の上限や貯玉再プレイ回数の上限を設定してもよい。さらに、最初の乗入れ元口座から貯玉再プレイに使用された貯玉数が該上限を超過した場合は、他の乗入れ口座を選択可能とすればよい。
【０４２６】
例えば、４円口座を最初の乗入れ元口座とする場合で説明すると、遊技店が予め設定した該上限値と各乗入れ元口座毎に貯玉再プレイに使用された一日あたりの貯玉数を会員管理装置１５０に記憶させておく。次に会員管理装置１５０は、図２２のＳ２４２０の貯玉更新開始通知を受信したタイミングで、該上限値を参照して、乗入れ元口座（４円口座）からの乗入れの許可、不許可を判定する。不許可の場合は、会員管理装置１５０は自動的に他の乗入れ元口座（例えば２円口座）からの乗入れ状態に移行するための処理を実行するようにすればよい。または、遊技者が図３８（ａ）のＣＵ３画面上の「メニュー」ボタンをタッチして、図３２（ｂ）及び図３５（ｂ）に示すメニュー画面を表示させ、さらに「乗り入れ」ボタンをタッチして乗入れ意思確認を行うことで、２−２−２．乗り入れ総玉数確認以降の処理を行って、他の乗入れ元口座からの乗入れを実行してもよい。
【０４２７】
また、貯玉再プレイに使用できる営業日一日あたりの貯玉数の上限は、会員の全ての口座の貯玉数を合算した値（例えば２５００玉）としてもよい。その場合は、最初の乗入れ元口座（４円口座）と２番目以降に選択される乗入れ元口座（２円、１円）からの貯玉再プレイ払出玉数の合計が２５００玉以上になった場合は、それ以降の営業時間中は乗入れ不許可となるようにすればよい。
【０４２８】
（１５）上記の実施形態では、持玉管理装置１４０において持玉数が管理される例について説明したが、持玉数は会員カードやビジターカードに記憶され、管理装置において管理されないようにしても良い。また、上記の実施形態では、会員管理装置１５０において貯玉数が管理される例について説明したが、貯玉数は会員カードに記憶され、管理装置において管理されないようにしても良い。このようなケースで乗入れを行う場合には、カードユニット３が会員カードを受け付けたときに、会員カードに記憶されたエリア毎の持玉数及び貯玉数を読み取ると共に、エリア毎に読み取った持玉数を読み取った貯玉数に加算して、加算後の各乗入れ元エリアの貯玉数を、当該ＣＵ３に対応した乗入れ先エリアの貯玉数に換算して液晶表示器３１３に表示すると良い。
【０４２９】
そして、乗入れ元エリアが選択された後、再プレイボタン３１９が操作された場合には、パチンコ玉を払い出すと共に、会員カードに記憶されている当該乗入れ元エリアの貯玉数を減算更新する。即ち、［読み取られた乗入れ元エリアの貯玉数−（払出玉数×乗入れ先エリア単価／乗入れ元エリア単価）］により算出される玉数を、当該乗入れ元エリアの貯玉数として記憶すると良い。
【０４３０】
（１６）上記の実施形態では、乗入れ元エリア単価の貯玉数が更新されるタイミングは、貯玉再プレイが実行されるタイミングであり、再プレイボタン３１９が操作されると、（払出玉数×乗入れ先エリア単価／乗入れ元エリア単価）の玉数が乗入れ元エリアの貯玉数から減算されるが、このような形態に限らず、乗入れ元エリアが指定されたときに、（乗入れ元エリアの貯玉数×乗入れ先エリア単価／乗入れ元エリア単価）により算出される玉数を、乗入れ先エリアの貯玉数に一旦加算するようにしても良い。即ち、乗入れ元エリアの貯玉を乗入れ先エリアの貯玉に変換するタイミングは、貯玉再プレイが実行されるタイミングであっても良く、乗入れ元エリアが指定されたタイミングであっても良い。
【０４３１】
（１７）上記の実施形態では、乗入れ元エリアの指定を含む乗入れの意思確認は、遊技機に対応した基本単価（乗入れ先エリア単価）の持玉数又は貯玉数が残存している状態であっても実行可能とし、遊技機に対応した基本単価（乗入れ先エリア単価）の持玉数及び貯玉数がいずれも０となったときに、指定された乗入れ元エリアの貯玉を使用する乗入れを可能とする例について説明したが、このような形態に限らず、会員カードが挿入されたＣＵ３に対応した基本単価（乗入れ先エリア単価）の持玉数及び貯玉数がいずれも０となったときに、乗入れ元エリアの指定を含む乗入れの意思確認及び当該乗入れ元エリアの貯玉数を使用する乗入れが可能となるようにしても良い。
【０４３２】
（１８）上記の実施形態において、乗入れ元エリアの指定を含む乗入れの意思確認が行われた場合には、その後、計数・端数払出ユニット３４０によりパチンコ玉の計数が行われて持玉数が０ではなくなった場合にも、乗入れ状態が解除されず、当該乗入れ元エリアの貯玉を使用する乗入れを継続して実行可能であるものとする。これにより、持玉数が０ではなくたったことに基づいて乗入れ状態を一旦解除し、再度持玉数が０となってから乗入れを可能とする（乗入れ状態に移行する）ための処理を実行しなければならないことによる処理負担を抑制することができる。この場合には、遊技者の乗入れ解除操作や会員カードの返却に応じて乗入れ状態を解除するようにすると良い。なお、これに限らず、計数・端数払出ユニット３４０によりパチンコ玉の計数が行われて持玉数が０ではなくなった場合には、乗入れ状態を解除して、払出度数を戻すようにしても良い。
【０４３３】
（１９）上記の実施形態において、乗入れ元エリアの指定が行われて乗入れ状態時払出玉数が設定された場合には、その後、計数・端数払出ユニット３４０によりパチンコ玉の計数が行われて持玉数が０ではなくなった場合、乗入れではなく当該ＣＵ３に対応した基本単価の当該持玉数を使用する（貯玉数に加算することなく当該口座の持玉数を使用した遊技媒体の払出を行う）場合であっても、乗入れ状態時払出玉数から基本払出玉数への変更は行われない（払出度数を戻さない）ものとする。これにより、貯玉数が０ではなくたったことに基づいて乗入れ状態時払出玉数から基本払出玉数への変更を行うことによる処理負担や、払出玉数の変動による遊技者の違和感を抑制することができる。この場合には、遊技者の乗入れ解除操作や会員カードの返却に応じて乗入れ状態時払出玉数から基本払出玉数に戻すようにすると良い。なお、これに限らず、計数・端数払出ユニット３４０によりパチンコ玉の計数が行われて持玉数が０ではなくなった場合、乗入れではなく当該ＣＵ３に対応した基本単価の当該持玉数を使用する（貯玉数に加算することなく当該口座の持玉数を使用した遊技媒体の払出を行う）場合には、乗入れ状態時払出玉数から基本払出玉数への変更を行う（払出度数を戻す）ようにしても良い。
【０４３４】
（２０）上記の実施形態では、持玉を管理する持玉管理装置と貯玉を管理する貯玉管理装置とが別個のコンピュータにより構成されている例を説明したが、このような形態に限らず、持玉管理装置と貯玉管理装置とは一体化されており、１のコンピュータ（管理装置）が前述した持玉管理装置１４０と貯玉管理装置１５０の両方の機能を有するものであっても良い。
【０４３５】
（２１）上記の実施形態では、当該口座の貯玉を使用する通常の貯玉再プレイを実行する場合と、乗入れ状態において当該口座以外の口座の貯玉を使用する貯玉再プレイを実行する場合とで、いずれも共通の操作（再プレイボタン３１９の操作）を行う例について説明したが、このような形態に限らず、前者の非乗入れ状態での貯玉再プレイと、後者の乗入れ状態での貯玉再プレイを実行する場合とで、操作を異ならせるようにしても良い。例えば、表示部３１２に、乗入れ状態での貯玉再プレイを実行するための専用のアイコンを表示するようにしても良い。
【０４３６】
（２２）上記の実施形態では、乗入れの意思確認が行われた後（会員管理装置１５０で乗入れ登録情報が記憶された後）、当該口座の貯玉数が０となったことに基づいて自動的に乗入れ状態に移行する例について説明したが（図２７及び２８）、このような形態に限らず、当該口座の貯玉数が０となり且つ乗入れを開始するための操作を受け付けたことに基づいて乗入れ状態に移行するようにしても良い。
【０４３７】
（２３）上記の実施形態では、ＣＵ３の基本単価に対応した口座（当該口座）の貯玉数（持玉数を加算した後の更新後の貯玉数）が０となった場合に、乗入れが可能となる例について説明したが、このような形態に限らず、ＣＵ３の基本単価に対応した口座の貯玉数が残存している場合であっても、乗入れを可能とするようにしても良い。
【０４３８】
このような構成とする場合に、乗入れ元エリアの貯玉数のうち乗入れに使用可能とする玉数を、乗入れ先エリアの玉数に換算する場合の乗入れ先エリアの玉数と、実際の乗入れ先エリアの貯玉数との合算値が特定値を超えない場合に乗入れを実行可能としても良い。例えば、４円口座から１円口座への乗入れを行うときに、４円貯玉数をＸ、該Ｘのうちの乗入れに使用可能とする玉数をＹ、１円貯玉数をＺとした場合に、４Ｙ＋Ｚ≦特定値（例えば２５万玉）を満たす場合に乗入れを可能とするようにしても良い。また、１円口座から４円口座への乗入れを行うときに、１円口座の貯玉数をｘ、該ｘのうちの乗入れに使用可能とする玉数をｙ、４円貯玉数をｚとした場合に、（ｙ／４）＋ｚ≦特定値（例えば２５万玉）を満たす場合に乗入れを可能とするようにしても良い。この特定値に関しては、例えば、一の会員番号について、４円貯玉数と１円貯玉数との合算値が特定値（２５万玉）を超えるような貯玉はできないものとする。
【０４３９】
また、乗入れ元エリアの貯玉数のうち乗入れに使用可能とする玉数を、乗入れ先エリアの玉数に換算する場合の乗入れ先エリアの玉数と、乗入れ元エリアの貯玉数のうち乗入れに使用しない残りの玉数と、実際の乗入れ先エリアの貯玉数との合算値が特定値を超えない場合に乗入れを実行可能としても良い。例えば、４円口座から１円口座への乗入れを行うときに、４円貯玉数をＸ、該Ｘのうちの乗入れに使用可能とする玉数をＹ、１円貯玉数をＺとした場合に、（Ｘ−Ｙ）＋４Ｙ＋Ｚ≦特定値（例えば２５万玉）を満たす場合に乗入れを可能とするようにしても良い。また、１円口座から４円口座への乗入れを行うときに、１円口座の貯玉数をｘ、該ｘのうちの乗入れに使用可能とする玉数をｙ、４円貯玉数をｚとした場合に、（ｘ−ｙ）＋（ｙ／４）＋ｚ≦特定値（例えば２５万玉）を満たす場合に乗入れを可能とするようにしても良い。
【０４４０】
（２４）上記の実施形態において、乗入れ意思確認の実施（Ｓ２０７０）から払出度数の変更（Ｓ２３２５）までの期間（あるいは、乗入れ元口座の選択（Ｓ２２００）から払出度数の変更（Ｓ２３２５）までの期間）において、ＣＵ３において、プリペイド残額を使用する払出処理、持玉数を使用する払出処理、及び、非乗入れ状態における通常の貯玉再プレイを制限する（例えば、払出ボタン２１や再プレイボタン３１９が操作されても制御ユニット３２８が払出処理を実行しない）ようにしても良い。即ち、非乗入れ状態から乗入れ状態に移行する処理が実行される期間において、乗入れ元エリア単価の貯玉を使用する払出、乗入れ先エリア単価（当該ＣＵ３の基本単価）の持玉又は貯玉を使用する払出、及び、プリペイド残額を使用する払出を禁止するようにしても良い。なお、このような構成とする場合において、プリペイド残額を使用する払出は制限しないようにしても良い（例えば、払出ボタン２１が操作されると制御ユニット３２８が払出処理を実行するが、再プレイボタン３１９が操作されても制御ユニット３２８が払出処理を実行しないようにしても良い）。
【０４４１】
（２５）上記の実施形態において、会員管理装置１５０（あるいは持玉管理装置１４０や他の集計用コンピュータ）は、乗入れ状態に移行するときの乗入れ元エリア及び乗入れ先エリアに関する履歴を集計して表示装置１５７やプリンタ１５８に出力するようにすると良い。具体的には、各エリアについて、乗入れ元エリアとして設定された回数や、乗入れ先エリアとして設定された回数を集計すると共に、乗入れ元エリア及び乗入れ先エリアの組合せ毎に、当該組合せに設定された回数を集計するようにしておくと良い。そして、乗入れ元エリアの優先順位を決定するときに、乗入れ元エリアとして選択回数の多い乗入れ元エリアから順に決定したり、あるいは、対象となる乗入れ先エリアとの関係で選択回数の多い乗入れ元エリアから順に決定するようにすると良い。また、乗入れ元エリア及び乗入れ先エリアの組合せとして選択回数が多い組み合わせ（例えば上位５組）についてのみ、乗入れを許可するようにしても良い。
【０４４２】
（２６）上記の実施形態において、ＣＵ管理テーブルで台番号（装置ＩＤ）に対応付けて、当該ＣＵ３に対応して設けられる遊技機の機種を管理するようにしても良い。会員管理装置１５０においては、乗入れ状態となったＣＵ３や、乗入れ状態における貯玉再プレイが行われたＣＵ３を特定可能であることにより、当該ＣＵ３に対応した遊技機の機種毎及び台毎の乗入れ回数や乗入れ時の消費金額（使用貯玉数×単価）も特定可能となる。これにより、遊技機の機種毎に１台あたりの乗入れ回数や乗入れ時の消費金額等を集計して表示装置１５７やプリンタ１５８に出力することが可能となる。
【０４４３】
（２７）上記の実施形態では、遊技機に対応して設けられるＣＵ３によって貯玉再プレイが実行されて遊技媒体が払い出される例について説明したが、このような形態に限らず、遊技場内の所定位置（例えば遊技島の端）に設けられる遊技用装置（例えば会員管理装置１５０と通信可能な貯玉再プレイ機）に会員カードを挿入し、ＣＵ３と同様に乗入れの意思確認を行い、乗入れ元エリアを選択（あるいは予め定められた優先順位に基づいて乗入れ元エリアを自動決定）して、乗入れ元エリアの貯玉数を使用して当該遊技用装置が設置される領域（例えば４円遊技機が設置される遊技島）に応じた乗入れ先エリア単価（あるいは選択された乗入れ先エリアに応じた単価）の遊技媒体を遊技用装置から払い出すようにしても良い。
【符号の説明】
【０４４４】
１…遊技用システム
２…パチンコ機
３…カードユニット
１５０…会員管理装置
１５２…ＣＰＵ
１５５…記憶装置
３１２…表示部
３１４…透明タッチパネル
３２７…カードＲ／Ｗ
３２８…制御ユニット
３２９…表示制御基板
３３４…通信部
【図１】
0006568400.tif 000002
【図２】
0006568400.tif 000003
【図３】
0006568400.tif 000004
【図４】
0006568400.tif 000005
【図５】
0006568400.tif 000006
【図６】
0006568400.tif 000007
【図７】
0006568400.tif 000008
【図８】
0006568400.tif 000009
【図９】
0006568400.tif 000010
【図１０】
0006568400.tif 000011
【図１１】
0006568400.tif 000012
【図１２】
0006568400.tif 000013
【図１３】
0006568400.tif 000014
【図１４】
0006568400.tif 000015
【図１５】
0006568400.tif 000016
【図１６】
0006568400.tif 000017
【図１７】
0006568400.tif 000018
【図１８】
0006568400.tif 000019
【図１９】
0006568400.tif 000020
【図２０】
0006568400.tif 000021
【図２１】
0006568400.tif 000022
【図２２】
0006568400.tif 000023
【図２３】
0006568400.tif 000024
【図２４】
0006568400.tif 000025
【図２５】
0006568400.tif 000026
【図２６】
0006568400.tif 000027
【図２７】
0006568400.tif 000028
【図２８】
0006568400.tif 000029
【図２９】
0006568400.tif 000030
【図３０】
0006568400.tif 000031
【図３１】
0006568400.tif 000032
【図３２】
0006568400.tif 000033
【図３３】
0006568400.tif 000034
【図３４】
0006568400.tif 000035
【図３５】
0006568400.tif 000036
【図３６】
0006568400.tif 000037
【図３７】
0006568400.tif 000038
【図３８】
0006568400.tif 000039
【図３９】
0006568400.tif 000040
【図４０】
0006568400.tif 000041
【図４１】
0006568400.tif 000042
【図４２】
0006568400.tif 000043
【図４３】
0006568400.tif 000044
【図４４】
0006568400.tif 000045
【図４５】
0006568400.tif 000046
【図４６】
0006568400.tif 000047
【図４７】
0006568400.tif 000048
【図４８】
0006568400.tif 000049
【図４９】
0006568400.tif 000050
【図５０】
0006568400.tif 000051
【図５１】
0006568400.tif 000052
【図５２】
0006568400.tif 000053
【図５３】
0006568400.tif 000054
【図５４】
0006568400.tif 000055